(57)【要約】  エンドユーザの通信デバイスまたは通信サービスプロバイダ（１２０）によるこれらの制御上に設定される制限とは無関係に、ネットワーク通信の、パラメータ、動作、および識別子をエンドユーザ（１１０，１１５）が制御できるシステムおよび方法が開示される。中間媒体プロキシ（１８０）が電気通信ネットワーク（１００）上にあり、ネットワーク通信デバイスへの、およびネットワーク通信デバイスからのインバウンドおよびアウトバウンド通信を受け入れる。中間媒体プロキシは、ネットワーク通信デバイスと他のネットワーク通信デバイスとの間で行うネットワーク通信のために媒介役として機能する。この方法では、中間媒体プロキシは、エンドユーザの通信デバイスまたは通信サービスプロバイダにより制定される制限から独立して通信のさまざまな機能を制御できる。【選択図】      １Ｃ
2008522501.tif 000002
【特許請求の範囲】
【請求項１】
エンドユーザの通信を制御する方法において、
中間媒体プロキシにおいて通信信号を受信し、前記通信信号は、前記中間媒体プロキシから分離したエンティティにより制御される少なくとも１つの電気通信ネットワークに関してインバウンドまたはアウトバウンドであることと、
前記通信信号を制御し、前記制御は、前記少なくとも１つの電気通信ネットワークを制御するエンティティにより制定される制限から独立していることとを含む方法。
【請求項２】
前記通信信号が、どのように制御されるかを規定する１組のフィルタを管理することをさらに含む請求項１記載の方法。
【請求項３】
前記通信信号を制御することは、インバウンドまたはアウトバウンド通信信号に識別子を割り当て、前記識別子は、前記少なくとも１つの電気通信ネットワークを制御するエンティティにより割り当てられる識別子とは異なっている請求項１記載の方法。
【請求項４】
前記通信信号は、電話通話であり、前記識別子は、発呼者識別子である請求項１記載の方法。
【請求項５】
前記識別子は、プロファイルに含まれる予め定められたルールに基づいて割り当てられる請求項３記載の方法。
【請求項６】
前記通信信号を制御することは、前記通信信号にバックグラウンドノイズを関係付けることを含む請求項１記載の方法。
【請求項７】
エンドユーザに少なくとも１つのエイリアスアドレスを割り当てることをさらに含み、前記少なくとも１つのエイリアスアドレスは、通信リンクが確立できるネットワーク位置を示し、前記中間媒体プロキシは、前記少なくとも１つのエイリアスアドレスに関連する通信を制御する請求項１記載の方法。
【請求項８】
前記少なくとも１つのエイリアスアドレスが、エイリアス電話番号を含む請求項７記載の方法。
【請求項９】
複数のエイリアスアドレスがエンドユーザに割り当てられ、通信がエイリアスアドレス上で受信されるとき、エンドユーザに通知を提供することをさらに含み、前記通知は、通信が受信されるエイリアスアドレスを識別する請求項７記載の方法。
【請求項１０】
少なくとも１つのエイリアスアドレスに関連があるプロファイルを管理することをさらに含み、前記プロファイルは、通信がプロファイルにおけるエイリアスアドレスに関して受信されるとき実行される１つ以上の動作を規定する請求項７記載の方法。
【請求項１１】
前記通信信号は、第１の通信プロトコルのアウトバウンド通信信号であり、目標アドレスに方向付けられており、
目標アドレスと通信リンクを確立することをさらに含み、前記通信リンクは、前記第１通信プロトコルとは異なる第２の通信プロトコルである請求項１記載の方法。
【請求項１２】
前記エイリアスアドレスは、予め定められた期間後に失効する請求項７記載の方法。
【請求項１３】
前記通信信号に関係付けられるべきことが決定されたパラメータに基づいて前記通信信号の制御を変更することをさらに含む請求項１記載の方法。
【請求項１４】
前記パラメータは、通信信号の発信者に関連し、前記パラメータは、年齢ならびに配偶者の有無およびネガティブフィードバックデータを含む請求項１３記載の方法。
【請求項１５】
インバウンド通信信号が受信され、前記インバウンド通信信号は、もともと第１のアドレスに方向付けられており、
第２のアドレスに前記インバウンド通信信号を再方向付けすることと、
前記インバウンド通信信号が、前記第２のアドレスに再方向付けされたことをエンドユーザに通知することとをさらに含む請求項１記載の方法。
【請求項１６】
アウトバウンド通信信号が受信され、前記アウトバウンド通信信号は、前記アウトバウンド通信信号を発信したハンドセット上で指定された宛先アドレスに関係付けらており、
前記ハンドセット上で指定された宛先アドレスとは異なる宛先アドレスに、前記アウトバウンド通信信号を方向付けることをさらに含む請求項１記載の方法。
【請求項１７】
エンドユーザが前記中間媒体プロキシにデータをアップロードし、前記データは、前記中間媒体プロキシがどのように前記通信信号を制御するかを規定する請求項１記載の方法。
【請求項１８】
前記通信信号が、エンドユーザにより制御される第２の通信デバイスによる受信のための信号を送信した第１の通信デバイスから受信され、
前記第１の通信デバイスのユーザに関係し、前記第１の通信デバイスのユーザにより選択された情報にしたがい前記第１の通信デバイスと前記第２の通信デバイスとの間に通信リンクを確立することをさらに含む請求項１記載の方法。
【請求項１９】
インバウンド通信信号が受信され、前記インバウンド通信信号は、実際の発信アドレスから発信されており、
前記エンドユーザに前記インバウンド通信信号を方向付けることと、
実際の発信アドレスとは異なる発信アドレスを前記エンドユーザに提供することとをさらに含む請求項１記載の方法。
【請求項２０】
エンドユーザの通信を制御する方法を実行するためのコンピュータ読取り可能なデータを備えたコンピュータ読取り可能媒体において、前記方法は、
中間媒体プロキシにおいて通信信号を受信し、前記通信信号は、前記中間媒体プロキシから分離したエンティティにより制御される少なくとも１つの電気通信ネットワークに関してインバウンドまたはアウトバウンドであることと、
前記通信信号を制御し、前記制御は、前記少なくとも１つの電気通信ネットワークを制御するエンティティにより制定される制限から独立していることとを含むコンピュータ読取り可能媒体。
【請求項２１】
中間媒体プロキシにおいて、
電気通信ネットワークに通信可能に結合された電気通信機器を具備し、前記電気通信機器は、前記ネットワークを通してネットワーク通信信号を受信するように構成され、前記中間媒体プロキシにより、エンドユーザの通信デバイスまたは通信サービスプロバイダにより制定された制限と無関係に、前記ネットワーク通信信号のパラメータ、動作および識別子を、エンドユーザが制御できる中間媒体プロキシ。
【請求項２２】
会議通話を確立する方法において、
会議通話の２以上の参加者を識別することと、
前記２以上の参加者のそれぞれに会議通話通知を提供し、前記会議通話通知は、前記会議通話の発信者を記述する識別子を含むことと、
前記通知を受信するそれぞれの参加者に対して前記識別子を変更することとを含む方法。
【請求項２３】
前記識別子が発呼者ＩＤである請求項２２記載の方法。
【請求項２４】
前記会議通話通知がプロファイルに基づいて自動的に提供される請求項２２記載の方法。
【請求項２５】
前記プロファイルは、前記会議通話のために識別された前記参加者に基づいて変更するルールを含む請求項２４記載の方法。
【請求項２６】
ユーザが、前記２以上の参加者を識別し、それぞれの参加者に対する識別子を識別できるようにするグラフィカルユーザインターフェイスを表示することをさらに含む請求項２２記載の方法。
【請求項２７】
前記２以上の参加者がアドレスデータベースを使用して識別される請求項２２記載の方法。
【請求項２８】
会議通話を開始する方法において、
ハンドセット上にグラフィカルユーザインターフェイス（ＧＵＩ）を提示することを含み、前記ＧＵＩは、会議通話の参加者を提供する少なくとも１つのフィールドおよび前記会議通話の参加者への通知において提供される発信識別子を提供する少なくとも１つのフィールドを含み、前記発信識別子は、前記会議通話の発信者に関係付けられている会議通話を開始する方法。
【請求項２９】
前記グラフィカルユーザインターフェイスは、前記会議通話の参加者をデジタル電話帳から選択できるようにする請求項２９記載の方法。
【請求項３０】
前記発信識別子が発呼者ＩＤである請求項２９記載の方法。
【発明の詳細な説明】
【先行文書への参照】
【０００１】
この出願は、２００４年１１月２４日に出願された同時継続中の米国仮特許出願第６０／６３１，００２号および２００５年９月１９日に出願された同時継続中の米国仮特許出願第６０／７１８，６２０号の優先権を主張する。前述の出願日の優先権は、ここに主張され、仮特許出願の開示は、それらの全体において参照によりここに組み込まれる。
【背景】
【０００２】
現在電気通信デバイス、特に移動電話機のようなワイヤレス電気通信デバイスの使用において爆発的な成長がある。このようなデバイスに対する電気通信サービスは、通常通信サービスプロバイダにより提供され、通信サービスプロバイダはインバウンドおよびアウトバウンド通信を行うための電気通信ネットワークに対するアクセスをデバイスに提供する。典型的なシナリオでは、セルラーキャリアのような電気通信サービスプロバイダは、電気通信デバイスを加入者に提供し、そのデバイスに関連付けられているサービスも提供する。例えば、セルラーキャリアは、セル電話機および通信サービスを加入者に提供することができ、その通信サービスにより、セル電話機がキャリアのネットワークを通して電話通話を行ったり、受信したりすることができる。
【０００３】
このようなシステムの１つの欠点は、通信サービスプロバイダによりセットアップされる制限およびルールに加入者が縛られることである。セル電話機加入者の例においては、加入者は、通常セルラープロバイダにより認可されるセル電話デバイスを使用しなければならない。その結果、セル電話機の加入者の使用はセルラープロバイダによって提供されるデバイスの能力により制限される。さらに、セルラーサービスプロバイダは、サービスプロバイダのネットワーク上で行われるインバウンドおよびアウトバウンド電話通話に関して動作および機能を制御する。
【０００４】
電気通信デバイスの利用者が、サービスプロバイダによりこのような通信上に設定される制限とは無関係に、インバウンドおよびアウトバウンド通信の機能を制御できることが有利である。
【概要】
【０００５】
エンドユーザの通信デバイスまたは通信サービスプロバイダによるこれらの制御上に設定される制限とは無関係に、ネットワーク通信の、パラメータ、動作、および識別子をエンドユーザが制御できるシステムおよび方法が開示される。中間媒体プロキシが電気通信ネットワーク上にあり、ネットワーク通信デバイスへの、およびネットワーク通信デバイスからのインバウンドおよびアウトバウンド通信を受け入れる。ネットワーク通信デバイスは、電気通信ネットワークと通信できる何らかのデバイスであればよい。中間媒体プロキシは、ネットワーク通信デバイスと他のネットワーク通信デバイスとの間で行うネットワーク通信のために媒介役として機能する。この方法では、中間媒体プロキシは、エンドユーザの通信デバイスまたは通信サービスプロバイダにより制定される制限から独立して通信のさまざまな機能を制御できる。中間媒体プロキシは、通信の、発信、宛先、または特性について通信に関係するどちらかの当事者の直接の知識なしに、２つの指定された通信デバイス間の通信をリダイレクトすることもできる。
【０００６】
エンドユーザ（例として、セルラーキャリア）により使用されるネットワークは、第１の通信行程を通して中間媒体プロキシに通信デバイス（例えば、セル電話機、インスタントメッセージプラットフォーム、ビデオ端末など）を接続するまでだけに使用される。その時点で、中間媒体プロキシは、別のエンドポイントに同じまたは類似のタイプの第２の通信行程を創造することを指示される（または、手動の要求あるいは自動的に実行されるルールにより予め指示されている）。この新しい通信行程は、ユーザの要求につき第１の行程とは異なる識別子を有してもよく、またはもともとの行程が許可しなかったある機能を有してもよい。中間媒体プロキシにより適用される機能は、ユーザにより（例えば、話し言葉、押しボタン、インスタントメッセージキーワード、または類似の方法のような媒体により）帯域内で制御されてもよく、または（例えば同一デバイス上または第３のグループのインターフェイスを通して、または他の相互作用によりユーザ駆動のアプリケーションと通信するＩＰプロトコルのような他の何らかのネットワークにより）帯域外で制御されてもよい。さらに、会議通話のシナリオにおいては、会議通話のそれぞれの参加者を、異なるプロトコルにしたがって接続することができる。
【０００７】
インバウンド通信に対して、制御がまだ“カスタマ”（受信番号）の支配下にあり、発信当事者が通信の完成の方法に対して知識または制御を持っていないことを除いて、同様の様式のアウトバウンドおよびインバウンド両方の通信に、この方法を使用してもよい。
【０００８】
１つの観点において、エンドユーザの通信を制御するための方法およびデバイスが開示されており、そのような方法およびデバイスは、中間媒体プロキシにおいて通信信号を受信し、その通信信号は、中間媒体プロキシから独立した構成要素により制御されるような少なくとも１つの電気通信ネットワークに対してインバウンドまたはアウトバウンド信号であり、その通信信号を制御し、その制御は少なくとも１つの電気通信ネットワークを制御する構成要素によって制定された制限から独立であることを含んでいる。
【０００９】
別の観点において、中間媒体プロキシが開示されており、中間媒体プロキシは、電気通信ネットワークに通信可能に結合された電気通信機器を含んでおり、その電気通信機器はネットワークに対するネットワーク通信信号を受信するように構成されており、中間媒体プロキシは、エンドユーザの通信デバイスまたは通信サービスプロバイダにより制定される制限とは無関係に、ネットワーク通信信号のパラメータ、動作、および識別子をエンドユーザが制御できるようにする。
【００１０】
別の観点において、会議通話を確立する方法が開示されており、その方法は、会議通話の２人以上の参加者を識別し、２人以上の参加者のそれぞれに会議通話の通知を提供し、会議通話の通知は、会議通話の発信者を記述する識別子を含み、通知を受信するそれぞれの参加者に対する識別子を変更することを含んでいる。
【００１１】
別の観点において、会議通話を開始する方法が開示されており、その方法は、ハンドセット上にグラフィカルユーザインターフェイス（ＧＵＩ）を提示し、ＧＵＩは、会議通話の参加者を提供する少なくとも１つのフィールドと、会議通話の参加者への通知において表示される発信者識別子を提供する少なくとも１つのフィールドとを含んでおり、発信者識別子は、会議通話の発信者と関係があることとを備えている。
【００１２】
１つ以上の実施の詳細は、以下の添付されている図面および説明の中に記載されている。さらになる機能、観点、および利点が説明、図面、および特許請求の範囲から明らかになるであろう。
【詳細な説明】
【００１３】
図１Ａは、本開示にしたがってネットワークに通信可能に接続されたデバイス間の通信を可能にする電気通信ネットワーク１００の例示的な実施形態の高レベルな概略図を示す。ネットワーク１００は、例えば、ＴＣＰ／ＩＰネットワーク（例えば、インターネットまたはイントラネット）に結合した、またはそれらによってオーバーレイされた、公共のまたは私設の双方向電気通信ネットワーク（例えば、公衆電話交換ネットワーク（ＰＳＴＮ）、セルラネットワーク、ケーブルをベースとしている電気通信ネットワーク、ＬＡＮ、ＷＡＮ、ワイヤレスネットワーク、またはそれらの組み合わせ）を含むことができる。
【００１４】
少なくとも第１の電気通信デバイス１１０および第２の電気通信デバイス１１５はネットワーク１００に通信可能にリンクされている。電気通信デバイスは、ネットワークと通信し、ネットワーク１００を通して互いに通信リンクを確立するように構成されている何らかのタイプのデバイスであってもよい。電気通信デバイスは、ここでは第１のワイヤレス電話機１１０と第２のワイヤレス電話機１１５との状況で説明されているが、通信デバイスのタイプは変更することができる。例えば、電気通信デバイスは、ネットワークを通して任意のタイプのデータを送信および受信するように構成されている何か（例えば、コンピュータ、パーソナルデジタルアシスタント、地上有線電話など）であってもよい。
【００１５】
それぞれの電気通信デバイスは、少なくとも１つのアドレスを持っており、アドレスはネットワーク１００により電気通信デバイスと通信リンクが確立できるネットワークの位置を示す。この開示全体を通して、ネットワークデバイスは時々、電話番号からなる１つ以上のアドレスを持つ電話機であるという状況で説明されている。しかしながら、通信デバイスのアドレスは、電話番号に限られず、例えばセッション開始プロトコル（ＳＩＰ）統一リソース識別子（ＵＲＩ）、インスタントメッセージニックネーム、他のアドレスのグループの略式記述子、あるいは通信リンクが確立できるネットワーク上の位置またはノードを示す何らかの識別子のような、他のタイプのアドレスを含むことができることを理解すべきである。
【００１６】
ネットワーク１００は電話機１１０および１１５に通信サービスを提供する１つ以上のサービスプロバイダネットワーク（ＳＰＮ）１２０を含んでいるか、または１つ以上のサービスプロバイダネットワーク（ＳＰＮ）１２０に結合されている。ＳＰＮは、例えば、ローカル交換キャリア（ＬＥＣ）、競争ローカル交換キャリア（ＣＬＥＣ）、ワイヤレス電話技術キャリア、ＶｏＩＰプロバイダ、または電話機１１０、１１５のような加入者デバイスの間にエンドポイント間通信を提供する他の何らかのネットワークであってもよい。それぞれの電話機１１０および１１５は、ＳＰＮ１２０に関係付けられており、ＳＰＮはネットワーク１００に、およびネットワーク１００を通して通信アクセスを提供する。電話機１１０および１１５は両方とも共通のＳＰＮに関係付けることができ、またはそれぞれが異なるＳＰＮを持つことができる。それぞれの電話機に対して、各ＳＰＮは基本電話番号のような（基本アドレスとして呼ばれる）１つ以上のアドレスを提供し、これは電話機を示し、ネットワークに対して通信リンクを確立するために使用できる。ＳＰＮは通常、電話機がネットワーク１００に対して確立する通信リンクの構成または動作を制限する。
【００１７】
さらに図１Ａを参照すると、エイリアスサービスプロバイダ１８０（中間媒体プロキシとしても呼ばれる）がネットワーク１００内に存在し、または、さもなければネットワーク１００に通信可能にリンクされている。エイリアスサービスプロバイダ１８０はネットワーク通信を可能にするための機器、例えば、サーバ、通話制御装置、データベース機器、コンピュータプロセッサ、メモリなどを含むことができる。機器は、ここで説明されるプロセスを実行するための命令を含むコンピュータ読み取り可能なデータを備えたコンピュータ読み取り可能媒体を含むことができる。電話機１１０および１１５に関係付けられたＳＰＮ１２０による制御上に設定された制限とは無関係に、電話機１１０または１１５が通信に対して制御を行うためにネットワークを作り変える通信を受け入れるように、エイリアスサービスプロバイダ１８０は構成されている。そのような制御は、以下でさらに完全に説明するように、例えば、通信のパラメータ、動作、および識別子に対する制御を含むことができる。
【００１８】
このような通信に関連したサービスを提供するために、エイリアスサービスプロバイダ１８０は、電話機１１０のような電気通信デバイスの所有者との、またはＳＰＮとのサービス契約を確立する。電話機１１０は、サービスを可能にするためにエイリアスサービスプロバイダ１８０により提供される１つ以上のアプリケーション（例えば、図３Ａにおいて示されるアプリケーション３１０）をオプションで装備することができる。加えて、エイリアスサービスプロバイダ１８０は、電話機１１０と関連付けられたＳＰＮ以外の、エイリアスサービスプロバイダ１８０により制御されるエイリアス電話番号のような（エイリアスアドレスとして呼ばれる）１つ以上の付加的なアドレスを電話機１１０に提供することができる。これによりエイリアスサービスプロバイダ１８０は、エイリアスアドレスに関連した通信を制御できるようになる。
【００１９】
代替実施形態において、エイリアスサービスプロバイダ１８０およびＳＰＮ１２０は、同一エンティティであるか、または両方とも同一エンティティにより制御される。そのようなケースでは、基本アドレスおよびエイリアスアドレスの両方は、そのエンティティにより提供される。他の実施形態において、アプリケ−ション３１０は、パーソナルコンピュータのような、電話機１１０以外のデバイス上に存在する。加入者は、アプリケーションを使用してパーソナルコンピュータによりエイリアスサービスプロバイダにアクセスすることができる。加入者は、アプリケーションを使用して通信を発生させ、規定することができる。
【００２０】
例示的な状況において、エイリアスサービスプロバイダ１８０は、１つ以上のエイリアス電話番号を電話機１１０に提供し、ＳＰＮ１２０を制御するエンティティが１つ以上の基本電話番号を提供する。各基本電話番号および１つ以上のエイリアス電話番号を電話機１１０により使用して、インバウンドおよびアウトバウンド通話のような通信を行いおよび受信するためにネットワーク１００にアクセスすることができる。しかしながら、エイリアス電話番号に対するインバウンドおよびアウトバウンド通話は、以下に説明するようにエイリアスサービスプロバイダ１８０により一意的に構成することができる。言及したように、アドレスは、必ずしも電話番号に限られず、通信は、必ずしも電話通話に限られない。ネットワークに対する他のタイプのアドレスおよび通信は、この開示の範囲内である。
【００２１】
図１Ａは、電話機１１０のＳＰＮ１２０により通信上に設定された制限とは無関係に、エイリアスサービスプロバイダが電話機１１０のアウトバウンドおよびインバウンド通信のユーザにより規定された制御を可能にする方法の高レベルな表示を提供する。アウトバウンド通信Ｘ１は、電話機１１５に関係付けられた電話番号のようなアドレスに対して、電話機１１０により開始される。言及したように、アドレスが電話番号であることは単なる例示である。ネットワークデバイスは電話機である必要はなく、アドレスは、必ずしも電話番号とは限らず、他の任意のタイプのアドレスであってもよい。
【００２２】
アウトバウンド通信Ｘ１は、少なくとも最初にＳＰＮ１２０を通過する。電話機１１５に到着する前に、アウトバウンド通信Ｘ１は少なくとも部分的にエイリアスサービスプロバイダ１８０により制御され、エイリアスサービスプロバイダ１８０は、電話機１１０および１１５の間にあるネットワーク１００中のどこかに存在する。例示の実施形態において、電話機１１０は電話機１１５上のアドレスにアウトバウンド通信を送信する前に、エイリアスサービスプロバイダに対して最初の通信リンクを確立する。最初の通信リンクにしたがって、電話機は、電話機１１５に対してやがて出るアウトバウンド通信に関連した情報をエイリアスサービスプロバイダに提供する。電話機１１０は、次に（エイリアスサービスプロバイダを通しての）電話機１１５に対するアウトバウンド通信Ｘ１を開始する。エイリアスサービスプロバイダがアウトバウンド通信を制御できるようにするための例示的なスキームを以下で説明する。
【００２３】
エイリアスサービスプロバイダ１８０は、このようにしてアウトバウンド通信Ｘ１に対して制御を確立する。この事について、エイリアスサービスプロバイダ１８０は、以下で説明するさまざまな機能を可能にするために通信Ｘ１の設定をすることができ、それらの機能のいくつかは、通信Ｘ１がＳＰＮ１２０により独占的に取り扱われた場合には認められなかった、または可能ではなかったものである。エイリアスサービスプロバイダ１８０は、次に電話機１１５と通信リンクＸ２を確立する。通信リンクＸ２は、電話機１１５と関係付けられた付加的なＳＰＮを通過することがある。
【００２４】
この段階において、通信リンクＸ１は電話機１１０とエイリアスサービスプロバイダ１８０との間に存在し、通信リンクＸ２はエイリアスサービスプロバイダ１８０と電話機１１５との間に存在する。エイリアスサービスプロバイダ１８０は、次に、通信リンクの構成に対しいくつかの制御を持つエイリアスサービスプロバイダにより電話機１１０と電話機１１５との間に双方向の通信リンクを確立する。有利なことに、このスキームによりエイリアスサービスプロバイダ１８０が、ＳＰＮ１２０により設定された制限とは無関係に、通信に関連した機能を提供することができるようになる。上述したように、電話機１１０からのアウトバウンド通信を取り扱うための特定のスキームを以下でより詳細に説明する。
【００２５】
エイリアスサービスプロバイダ１８０は、電話機１１０の電話番号に対するインバウンド通話のような、電話機１１０に関係付けられたアドレスに対するインバウンド通信も制御することができる。電話番号は、エイリアスサービスプロバイダ１８０が電話機１１０に割り当てたエイリアス番号であってもよく、エイリアスサービスプロバイダは、そのエイリアス電話番号に対して制御を有する。エイリアス電話番号に対するインバウンド通話は、自動的にエイリアスサービスプロバイダにリンクする。
【００２６】
例えば、図１Ａを参照すると、電話機１１５は電話機１１０のエイリアス電話番号に向かう通信Ｘ２を開始する。通信Ｘ２は、エイリアスサービスプロバイダ１８０に方向付けられる。その理由は、エイリアスサービスプロバイダ１８０が、このような方法で作動するエイリアス番号を予めセットアップしているからである。エイリアスサービスプロバイダ１８０は、この時点でインバウンド通信Ｘ２に対して制御を有する。次にエイリアスサービスプロバイダ１８０は電話機１１０に対するインバウンド通信リンクＸ１を確立し、インバウンド通信リンクＸ１はＳＰＮ１２０を通過するかもしれない。エイリアスサービスプロバイダ１８０は、次にエイリアスサービスプロバイダにより可能になった機能を持つ通信リンクにより電話機１１０と１１５との間に通信リンクを確立する。
【００２７】
インバウンド通信のための例示的なスキーム 
図１Ｂは、電話機１１０に到来する通信を取り扱うための例示的なスキームを図示する概略図を示す。この例の目的のために、電話機１１０の所有者は、エイリアスサービスプロバイダ１８０により提供されるサービスに加入しており、エイリアスサービスプロバイダ１８０は、電話機１１０と電話機１１５との間の少なくともいくつかの通信を制御できるようにするために通信ネットワーク中に位置している。電話機１１５は、必ずしもエイリアスサービスプロバイダ１８０のサービス加入者ではない。
【００２８】
言及したように、電気通信デバイス１１０および１１５は、必ずしも電話機である必要はない。さらに、ここでは時々、例を電話番号による通信という状況で説明しているが、電気通信デバイスに割り当てられるＳＩＰ ＵＲＩ、インスタントメッセージニックネームなどのような他のタイプのアドレスとともに開示されたプロセスを容易に使用できることを理解すべきである。
【００２９】
言及したように、エイリアスサービスプロバイダ１８０は、電話機１１０に１つ以上、２つ以上、３つ以上、または任意の量のエイリアスアドレスを割り当てる。例示的な状況においてエイリアスサービスプロバイダ１８０は、１つ以上のエイリアス電話番号を電話機１１０に割り当て、エイリアス電話番号は、電話機１１０上で通話を受信および送信するために使用できる。エイリアス番号は、基本電話番号に追加されるものである。エイリアスサービスプロバイダは、加入者に割り当てることができるエイリアスアドレスのプールに対して制御するということを理解すべきである。これにより、アドレスに対するインバウンド通信が、自動的にエイリアスサービスプロバイダに方向付けられるように、エイリアスサービスプロバイダがアドレスを設定することができる。エイリアスサービスプロバイダは、次に一時的なまたは永久的なベースでその加入者にアドレスを割り当てることができる。
【００３０】
図１Ｂを参照すると、エイリアスサービスプロバイダ１８０は通信ネットワーク中に位置付けられているので、エイリアスサービスプロバイダ１８０は、特に電話機１１０に対して割り当てられるエイリアス番号に関して、電話機１１０に対するインバウンドおよびアウトバウンド通信を管理し、または電話機１１０に対するインバウンドおよびアウトバウンド通信にアクセスすることができる。
【００３１】
エイリアスサービスプロバイダ１８０は、インバウンドおよびアウトバウンド通話の管理を実現するためのさまざまな機器を含む。例えば、エイリアスサービスプロバイダ１８０は１つ以上の通話制御装置２０２、１つ以上の媒体制御装置２０４、および１つ以上のデータベースを含み、１つ以上のデータベースは、ユーザデータベース２０６、一時またはエイリアス番号データベース、最小費用ルートデータベース２０７、ならびに通話詳細記録データベースのようなものである。データベースは変更することができ、加入者および加入者の電話機１１０に関連した情報を記憶するために使用することができるだけでなく、加入者がインバウンドおよびアウトバウンド通話をどのように管理することを望んでいるかを規定するデータも記憶することができる。加入者は、有利なことに、ネットワークに対してエイリアスサービスプロバイダを接続することにより、加入者のエイリアス番号に関連したデータおよび通話構成データを異なる電話機に対して転送することができる。
【００３２】
例示的な実施形態において、送信する電話機１１５は、電話機１１０に対する電話通話Ｃ１のような通信を開始する。その通話はエイリアスサービスプロバイダ１８０により電話機１１０に割り当てられているエイリアス番号に対して開始される。エイリアスサービスプロバイダ１８０が番号を割り当てたため、エイリアスサービスプロバイダ１８０は、番号を通じて受信された通話に対するアクセスを制御することができる。通話は、例えば、ＰＳＴＮ２１２およびキャリアゲートウェイ２１４を通してルーティングさせることができる。
【００３３】
通話を受信したとき、エイリアスサービスプロバイダ１８０は最初に、通話を受信したエイリアスサービス番号に関係がある加入者に関連した情報を取得する。例えば、媒体制御装置２０４（またはエイリアスサービスプロバイダに関係がある何らかのデバイス）は、通話制御装置２０２とコンタクトし、通話に関連するエイリアス番号のような情報を送信する。通話制御装置２０２は１つ以上のデータベースと通信して、呼び出されているエイリアス番号に基づいて、通話を取り扱う方法を規定する情報を取得する。この点に関して、いったん電話機１１０および１１５の間に通信リンクが確立されると、制御装置はインバウンド通話のさまざまな側面を構成するために使用される媒体フィルタのデータベースに照会することができる。媒体フィルタは、インバウンド通話に対し実行できる１つ以上の機能を規定する。機能は変更することができるが、いくつかの例示的な機能を以下で説明する。通話制御装置２０２および媒体制御装置２０４は、必要に応じて往復して通信することができる。媒体制御装置２０４は、次に、取得した情報に基づいて通話に作用することができる。
【００３４】
媒体制御装置２０４は、次に、電話機１１０に対する電話通話のような通信Ｃ２を確立する。エイリアスサービスプロバイダ１８０が電話機１１０に通信可能に接続できるように、通信Ｃ２は電話機１１０に関係があるキャリアゲートウェイ２１６およびＰＳＴＮ２１８を通してルーティングさせることができる。要望に応じて、媒体制御装置は、例えば課金目的のために通話詳細記録データベース２１９を更新することができる。
【００３５】
電話機１１０が通話を受信するとき、エイリアスサービスプロバイダ１８０は（音声またはテキストメッセージのような）通知を電話機に提供し、この通知はインバウンド通話がどのエイリアス番号に関係があるかに関する指標を提供する。言及したように、電話機１１０はいくつかのエイリアスアドレスを持つことができるので、どのエイリアスアドレスが通話を受信しているかを加入者が識別することは有用である。ユーザは、プロファイル通知メッセージを表示しないようにすることを選んでもよいし、またはユーザが通話を取りたいかどうかを彼／彼女に尋ねるプロンプトを表示することを選んでもよい。ユーザは、通話をボイスメールにさせたり、または自動的に話中信号を再生したりするなど、通話を取り扱う方法を左右するルールを規定することもできる。
【００３６】
１つの実施形態において、電話機１１０が鳴り、識別聴覚メッセージが再生する。例えば、メッセージは“ライン３に通話を受信しています”と伝えることができる（ここでライン３はエイリアス番号に関係付けられている）。代わりに、各基本番号および各エイリアス番号に関係付けられているユニークな鳴動音であってもよい。ユニークなグラフィックの表示、ユニークな振動、自動聴覚信号など、他の何らかのタイプの識別子を使用することができる。
【００３７】
加入者が通話を取るかどうかにより、エイリアスサービスプロバイダ１８０は、次に、電話機１１０と電話機１１５との間に双方向の通信リンクを確立したり、または加入者および／またはエイリアスサービスプロバイダにより予め規定されたフィルタに基づいて通話に作用したりする。電話機１１０と１１５との間の通信が未定の間、エイリアスサービスプロバイダは、通話に対してさまざまなレベルの制御を発揮させることができる。
【００３８】
図３Ｂはインバウンドフィルタデータベースの例示的な構成を示す。エイリアスサービスプロバイダにより制御されるアドレスに対するインバウンド通信をエイリアスサービスプロバイダが取り扱うことについて、加入者がどのように希望するのかに関連したデータをインバウンドフィルタデータベースは含む。加入者は、アドレス毎のベースでまたはアドレスのグループに基づいたルールで指定することができ、ルールは、そのアドレスに対するインバウンド通信がどのように取り扱われるかについて指定する。フィルタデータベースは、通話の取扱いに関連するするさまざまなデータを含むことができ、通話の取扱いは以下で詳細に説明するように、（通話を録音することに対する法的な要求を受ける）通話録音、会議通話機能、ボイスメール処置などのようなものである。
【００３９】
例えば、エイリアス番号Ｘに対するインバウンド通話は、予め定められた挨拶を伴う特定のボイスメールボックスに送られ、一方では、エイリアス番号Ｙに対するインバウンド通話は、異なるボイスメールボックスに送られるということをフィルタは指定することができる。別の例においては、いくつかの異なるエイリアス番号（または特定の通話番号）に対するすべての到来通話を１つのボイスメールボックスに送るようにフィルタをセットしてもよく、そこでエイリアスユーザ、またはインバウンド番号は、そのインバウンド番号すなわちエイリアス番号のためにカスタマイズされた異なるボイスメールの挨拶を受信してもよい。言い換えれば、加入者は複数の挨拶を伴う１つのボイスメールボックスを持つことができ、複数の挨拶は、通話が方向付けられるエイリアス番号に基づいて変化する。
【００４０】
電話機に関係付けられたそれぞれのアドレスまたはアドレスのグループに対して、ユーザは、そのアドレスに到来する通信の取扱いを左右するルールを規定することができる。実行できるいくつかの動作としては、例えば、通話を録音すること、会議モードに自動的に通話を入れること、通話にバックグラウンドノイズを挿入すること、通話中にユーザの声を歪ませること、通話に対してドーントディスターブをセットすること、時間帯または電話機１１０の位置に基づいて通話応答を変更することなどを含む。これにより、複数の電話番号を取り扱う１つの電話機１１０をユーザが使用できるようになり、同時に、通話が方向付けられているエイリアス番号に基づいて、インバウンド通話に対して取られる動作を変更することもできるようになる。
【００４１】
図１７は、インバウンド通話に対するフィルタの実現を例示する概略図である。アウトバウンド通話フィルタは、同様の方法で実行することができる。動作２６１０においてインバウンド通話が１人以上の発呼者から開始される。インバウンド通話は（上述したように）エイリアスサービスプロバイダにより受け入れられ、フィルタデータベース２６１２が動作２６１５においてアクセスされる。言及したようにフィルタは変更することができ、例えば、セクシャルプレデター情報、犯罪前歴情報、ドーントディスターブ情報、年齢／性別情報、人気情報、時間帯情報、バックグラウンドノイズ情報、代替識別子情報、およびネガティブフィードバック情報に関するフィルタを含むことができる。フィルタは、以下でより詳細に説明するように、インバウンド通話に対する機能を提供するために使用される。フィルタはさまざまな基準に基づいて実行することができ、さまざまな基準は、通話が方向付けられているアドレス、通話が発生した場所のアドレスなどである。それらのいくつかは、フィルタデータベース中に規定されている。フィルタはエイリアスサービスプロバイダにより自動的に、またはアプリケーション３１０によるようなユーザとの対話と共にセットアップすることができる。動作２６２０および２６２５において、インバウンド通話は、ユーザに方向付けられている。
【００４２】
こうして、電話番号のような複数のアドレスが、移動電話機のような１つの電気通信デバイスに割り当てられるか、またはさもなければマッピングされる。複数の電話番号は、従来の移動電話サービスプロバイダにより電話機に割り当てられる１つ以上の番号だけではなく、以下で説明するようにエイリアスサービスプロバイダにより割り当てられる追加的な番号も含むことができる。電話機は、電話機に割り当てられる任意のの電話番号により通話を受信および／または行うことができる。
【００４３】
システムの例示的な使用は、ユーザが通話中に匿名のままでありたいか、あるいは彼のまたは彼女のプライバシーを保護するために他の制御を確立したいような場合である。ユーザは、限られた数の人々に対してエイリアス番号の１つを与えることができ、その一方で異なるグループの人々に対して電話機の基本番号または別のエイリアス番号を与えることができる。ユーザは同一の電話機上にあるすべての番号に対する通話を受信するが、通話が行われる番号に基づいて、それぞれの通話を別々に取り扱うことができる。
【００４４】
例えば、オンライン上でデートの関係を続けている間、プライバシーおよび安全の保護を希望する女性は、新しい知り合いのために取っておかれているエイリアス番号を明かすことができる。女性は、じかに彼女を識別する彼女の名前または他の情報を示すことなく、デート通信の開始の間、匿名のままでいることを希望してもよい。匿名モードの間、依然として彼女はまだ、潜在的な相手と話すことができることを望んでいる。それゆえに、女性は基本番号以外の、あるエイリアス番号を新しい知り合いに与える。女性が“新しい知り合い”番号により通話を受信するとき、彼女は、それを受け入れること、それを無視すること、またはルールセットが予め定められた方法でインバウンド通話を自動的に処理するようにさせることのいずれかを選択することができる。
【００４５】
女性がもはや特定の知り合いに対してアクセスできることを望んでいない場合には、彼女は、ルールセットが、彼女が知り合いに与えたエイリアス番号にその知り合いの電話番号からの通話が接続されるのを自動的に防ぐようにさせることができる。女性は“新しい知り合い”番号を完全に取り消すこともできるし、彼女がエイリアスサービスプロバイダから獲得した番号の１つとして、それを取り除くこともでき、その結果、彼女がその番号を提供したすべての新しい知り合いが、何らかの方法で彼女にさらにコンタクトすることを防ぐことができる。
【００４６】
別の例において、弁護士のような専門家は、電話機に関係付けられたいくつかのエイリアス番号を持つことができる。エイリアス番号のうちの１つは、仕事関係の通話のために使用することができ、弁護士は、仕事関連の通話がどのように取り扱われるかについてルールを規定することができ、通話を受信したとき、それが仕事関連のものであることを知ることもできる。弁護士が仕事の通話から離れた週末を望んでいるが、エイリアス番号からであろうと、または基本番号からであろうと他のすべての通話には答える自由を望んでいる場合を仮定する。そのようなケースでは、弁護士は、“仕事関連の”エイリアス番号に対するすべてのインバウンド通話を、自動的にボイスメールまたはドーントディスターブモードに移行させるルールセットを指定することができる。
【００４７】
さらに別の例は、ユーザが、オンライン上の分類されたリスティングサービスまたは地方新聞中に、あるいはオンライン上のオークションサービス上に“売ります”広告を載せるが、安全およびプライバシーの理由から広告中に自分の基本番号を発表することを望んでいない場合である。そのようなケースでは、ユーザは、エイリアスサービスプロバイダによるエイリアス番号を割り当てることができ、エイリアス番号は、事実上広告の期間中だけのものであり、アイテムが売られた後は取り消される。ユーザは広告中にエイリアス番号を掲載することができ、ユーザの基本番号と同一の電話機においてエイリアス番号で通話を受信することができる。アイテムが売られ、または、さもなければユーザが広告およびエイリアス番号を取り消した後は、ユーザはもはやエイリアス番号を覚えている公衆のメンバによりコンタクト可能でなくなる。
【００４８】
アウトバウンド通信のための例示的なスキーム 
図１Ｃは、電話機１１０から電話機１１５へのアウトバウンド通信を取り扱うための例示的なプロセスを図示する概略図を示す。説明したように、エイリアスプロバイダ１８０はエイリアス電話番号のような１つ以上のエイリアスアドレスを電話機１１０に割り当て、エイリアスアドレスは電話機１１０上で通話を受信および送信するために使用できる。加入者は、何らかのエイリアス番号または基本番号に関連して、アウトバウンド通話を行うことができる。エイリアスサービスプロバイダは、図１Ｂを参照して上述したような機器および／またはデータベースを含む。
【００４９】
例示的な実施形態において、加入者は電話番号のような目標コンタクト識別子に対して電話機１１０上でアウトバウンド通話を開始することを望む。この説明の目的のため、加入者が通話を開始する電話番号は、“目標電話番号”として呼ばれ、目標電話番号は図１Ｃにおいて電話機１１５を示す。加入者は、エイリアスサービスプロバイダにより通話が一意的に構成されることを望む。
【００５０】
最初の動作において、加入者は電話機１１０上にあるアプリケーション３１０を起動し、アプリケーションは予め定められた方法でエイリアスサービスプロバイダ１８０と通信リンクを開始するように構成されている。以下で説明するように、加入者はアプリケーション３１０を使用して、アウトバウンド通信がエイリアスサービスプロバイダによりどのように取り扱われるべきかに関するさまざまなパラメータを規定することができる。起動において、アプリケーション３１０は、エイリアスサービスプロバイダと初期管理に関連する通信リンクをオプション的に確立して、初期管理タスクを実行することができる。そのようなタスクは、例えば、ソフトウェアアップデートをダウンロードすること、加入者の識別子を検証すること、課金タスクを実行することなどを含む。最初の通信リンクは、電話ネットワークまたはインターネット接続によるなど、さまざまな方法で行うことができる。管理通信リンクが確立されている間、加入者は、以下で詳細に説明するように、アウトバウンド通話の構成を規定するためにアプリケーション３１０と相互対話することができる。
【００５１】
次の動作において、加入者は、目標電話番号に対するアウトバウンド電話通話のような、目標アドレスに対するアウトバウンド通信を開始するようにアプリケーションに指示する。これは、例えば、電話機上の送信キーを押すこと、または他のいくつかの動作を取ることにより行うことができる。アプリケーションは、エイリアスサービスプロバイダ１８０と通信リンク３３０を確立する。通信リンク３３０は、ＰＳＴＮを通して、またはインターネットによってなどの何らかの方法で実行することができる。通信リンク３３０の少なくとも１つの目的は、目標電話番号およびユーザがどのようにアウトバウンド通話を構成することを望むかに関する情報を、アプリケーションがエイリアスサービスプロバイダ１８０に提供することである。
【００５２】
電話機１１０と電話機１１５との間の通信リンクは、まだ確立されていないことを理解すべきである。そのようなリンクを確立する前に、エイリアスサービスプロバイダ１８０は、通話を構成するためにさまざまな動作を取る。
【００５３】
次の動作において、通話制御装置２０２は、加入者により指定された構成情報のような、アプリケーション３１０により提供される情報を使用してさまざまなデータベース２０６、２０７、２０８に照会する。通話制御装置は、一時電話番号のような一時アドレスを取得し、一時アドレスは、エイリアスサービスプロバイダ１８０を示し、媒体制御装置２０４との後続する通信リンク３３５を確立するために電話機１１０に提供される。通話制御装置２０２は、次に、電話機１１０上にあるアプリケーション３１０に対して（通信リンク３３２により）一時電話番号を送信する。
【００５４】
次の動作において、アプリケーションは電話機１１０上にあるダイヤルアプリケーションに一時電話番号を提供する。一時電話番号を使用して、ダイヤルアプリケーションは次に、例えばＰＳＴＮ２１８を通して電話をかけることによりエイリアスサービスプロバイダ１８０との通信３３５を確立する。代替の実施形態において、通信リンク３３０によりエイリアスサービスプロバイダ１８０に接続するアプリケーションの最初のステップは削除される。加入者は単に、ＰＳＴＮ２１８を通して、または他の何らかの方法において、エイリアスサービスプロバイダ１８０に対して電話をかけることができる。
【００５５】
媒体制御装置２０２は、次に、ユーザにより規定されたプロファイル中に含まれるフィルタを実行することによるなど、送出通信に関連するある動作を実行することができる。例えば、媒体制御装置は通話に対して、発呼者ＩＤのような予め規定されたユーザ識別子をセットすることができ、または（通話を録音することに対する法的な要求を受ける）通話の録音を自動的にセットアップすることができる。
【００５６】
プロセスのこの段階において、電話機１１０と電話機１１５との間に、まだ通信リンクはない。媒体制御装置２０４は、次に、目標電話番号を使用して、ＰＳＴＮ２１２（または他の形態の通信リンク）を通して電話機１１５への通信リンク３４０を確立する。通信リンク３４０はこの時点で、エイリアスサービスプロバイダ１８０と電話機１１５との間に存在する。通信リンク３３５も電話機１１０とエイリアスサービスプロバイダ１８０との間に存在する。エイリアスサービスプロバイダ１８０は、次に、電話機１１０と１１５との間に双方向の通信リンクを確立し、エイリアスサービスプロバイダ１８０は通信リンクに対して少なくとも何らかのの制御を有する。望まれる場合は、例えば課金目的のために、媒体制御装置は通話詳細記録データベースを更新することができる。
【００５７】
エイリアスサービスプロバイダはさまざまな方法およびプロトコルで通信リンク３３５を確立することができる。有利なことに、通信リンクは、リンク３３５のプロトコルあるいはネットワークとは異なるプロトコルまたはネットワークにしたがって確立することができる。例えば、リンク３３５は、通話が異なるプロトコルから発生していても、スカイプ、ボネージ、（ＴＭ）（登録商標）、ＡＩＸ、ＰＢＸのような任意のタイプのサービスまたはプロトコルにしたがうことができる。
【００５８】
加えて、加入者は、１つ以上のプロファイルをセットアップすることができ、プロファイルはアウトバウンド通話がターミネーションリンク３３５にどのように接続されるかを指定する。プロファイルを特定の番号またはグループの番号に関係付けて、予め定められたルールに基づいて特定のターミネーションサービスまたはプロトコルを使用することができる。この点に関して、加入者は（ユーザネーム／パスワードのような）パスコードのデータベースをセットアップすることができ、パスコードのデータベースは、エイリアスサービスがリンク３３５を完成するためにパスコードを必要とするとき、エイリアスサービスプロバイダにより容易にアクセスすることができる。
【００５９】
図３Ｃは、アウトバウンドフィルタデータベースの例示的な構成を示す。アウトバウンドフィルタデータベースは、エイリアスサービスプロバイダがアウトバウンド通話を取り扱うことについて、加入者がどのように望むかに関連するデータを含む。言及したように、加入者は番号毎のベースで、またはグループの番号に基づいてルールを指定することができ、ルールはその番号に対するアウトバウンド通話が、どのように取り扱われるかを指定する。フィルタデータベースは、（通話を録音するための法的な要求を受ける）通話録音、会議通話機能、声の歪み、バックグラウンドノイズのパイピング、発呼者ＩＤなどの、アウトバウンド通話の取扱いに関連するさまざまなデータを含むことができる。
【００６０】
図１Ｄは、エイリアスサービスプロバイダによりアウトバウンド通信を開始するための代替方法を記述するいくつかのフローチャートを示す。最初の方法はトーンダイヤル方式である。最初の動作３６０において、加入者はアウトバウンド通話を開始することを決定する。方法は、２方向のどちらかで進行することができる。動作３６２において、加入者は、電話機の電話ディレクトリ上にあるダイヤルイン番号のリストからエイリアスサービスプロバイダに対するダイヤルイン番号を選択する。代わりに、動作３６４において、地理的に最も近いダイヤルイン番号が、ＧＰＳを使用して自動的に選択される。次の動作３６６において、電話機はログイン番号を使用してエイリアスサービスプロバイダにダイヤルする。動作３６８、３６９、および３７０において、加入者は手動で、または自動化されたプロセスを通してエイリアスサービスプロバイダに指示を提供する。トーンを使用して、アウトバウンド通話は目標番号に渡され、ユーザは指定されたパラメータを使用して目標番号に接続される。
【００６１】
別の方法は、ＵＲＬコールバック方法であり、これは図１Ｃを参照して上述した。別の方法は代替番号方法である。動作３６０において、加入者がアウトバウンド通話を開始することを決定した後、動作３７２において、電話機は統一リソース位置指定子（ＵＲＬ）によりエイリアスサービスプロバイダに対して通話セットアップ情報を送信する。動作３７４および３７６において、サーバは利用できる電話番号をデータベースから選択し、次に、ユーザにより規定されたパラメータによりアウトバウンド通話を調整する。動作３７８においてエイリアスサーバは一時番号を電話機１１０に提供し、動作３８０において電話機は一時番号をダイヤルする。動作３８２において、ユーザは、次に、指定されたパラメータを使用して目標番号に接続される。
【００６２】
図１Ｅを参照すると、キャリアすなわちネットワーク内の方法が示されている。この方法にしたがって、アウトバウンド通話が電話機のＳＰＮを通して行われる。最初の動作３６０において、ユーザはアウトバウンド通話を行うことを決定する。動作３６４において、電話機は、サーバまたはＳＰＮにより動作するスイッチに対して通話セットアップ情報および目標番号を送信する。動作３８６において、サーバまたはスイッチは所望の構成パラメータによりアウトバウンド通話を通過させる。動作３８８において、ユーザは、次に、指定されたパラメータを使用して目標番号に接続される。
【００６３】
図１Ｆは、電話機からのアウトバウンド通話を開始するための例示的なプロセスを記述するフロー図を示す。動作３９０において示されるように、ユーザは、キーパッド上で英数字の数字列を入力することにより、または電話機上にあるアドレス帳から電話番号を選択することによりアウトバウンド電話通話を開始することができる。１つの手順Ａにしたがうと、アクセスすべき電話番号は、例えば、２１２−５５５−４４５５である。その番号は、ユーザインターフェイス（ＵＩ）３９８に入力される。
【００６４】
次の動作３９２において、電話機は、アウトバウンド番号がデータベース中にあり、アウトバウンド番号が発呼者プロファイルに関係がある予め定められた機能を持つプロファイルに関係付けられているかどうかを確認するためにチェックする。チェックは、ローカル的に電話機において実行することができ、またはエイリアスサービスプロバイダによっても実行することができる。例えば、プロファイルに関係付けられている任意の番号に対する任意のアウトバウンド通話に、（発呼者ＩＤのような）予め定められた識別子が提供されるということを、プロファイルは指定することができる。こうして、動作３９３において、チェックが実行されて、電話番号がグループプロファイルＩＤを持っているかどうかが決定される。持っている場合、動作３９６において、（発呼者ＩＤのような）アウトバウンド識別子がセットされる。代わりに，動作３９４において、電話番号がデータベース中にない場合、次にユーザはで通話に対して識別子を手動割り当てることができる。ユーザは、エイリアス番号に関連したプロファイル中で規定されているパラメータを無効にできることを理解すべきである。ＵＩ３９８はアウトバウンド通話に対して使用される発呼者ＩＤを識別する。
【００６５】
別の動作３９７において、ユーザは、アウトバウンド通話が発生する電話番号を指定することができる。言い換えれば、ユーザは電話機１１０からアウトバウンド通話を行うことができるが、エイリアスサービスプロバイダは、その通話がユーザ選択の番号から発生したと見えるようにアウトバウンド通信を構成する。
【００６６】
エイリアスサービスプロバイダが、呼び出されているアウトバウンド番号に基づいて、アウトバウンド通話のための発呼者ＩＤを予め定められた番号に自動的にセットするように、ユーザはプロファイルを構成することもできる。例えば、加入者が番号Ｘを呼び出すときはいつでも、加入者が実際にどの番号から呼び出しているかに関わらず、発呼者ＩＤが番号Ｙに設定されるように、加入者はプロファイルをセットアップすることができる。これにより、加入者は発呼者ＩＤ上でデート関連のエイリアス番号を示すことだけを意図しているときに、加入者が、仕事関連のエイリアス番号を示す誰かおよび発呼者ＩＤを呼び出すことを防ぐことができる。
【００６７】
さまざまな通信構成 
上で説明したように、エイリアスサービスプロバイダは、電話機１１０に対するインバウンドおよびアウトバウンド通信を制御することができ、ＳＰＮの制限により左右されない機能を通信に対して提供する。通信のために実施できるさまざまな機能を以下で説明する。例示のため、時々、通信が電話機間の電話通話であるという状況で機能を説明している。しかしながら、説明される機能は、非電話アドレス間の他のタイプの通信とともに使用するために修正できるということを理解すべきである。
【００６８】
１つの実施形態において、加入者は、１つ以上のルールを構成することができ、ルールは、エイリアスサービスプロバイダがどのようにそのような機能を提供するのかを左右する。ローカルアプリケーション３１０中に、またはエイリアスサービスプロバイダにおけるフィルタデータベース中に存在するルールエンジンにルールを含めることができる。図７は、ルールエンジンを規定する例示的な一連のユーザインターフェイスを示す。ルールエンジンにより、加入者（または他の権限のあるもの）はエイリアスサービスの使用を左右する、あるルールを予め設定しておくことができる。例示的な機能の基本リストは以下の通りである。パーソナルルールエンジンインターフェイス７１０は、ルールエンジンを左右するために管理ページにアクセスするのに使用することができる。
【００６９】
アウトバウンド通信のためのユーザ識別子 
図１Ｇは、本開示にしたがってさまざまな通信関連の機能を実行することができる電気通信ネットワーク１００の別の例示的な実施形態を示す。電気通信ネットワーク１００は図１Ａとは異なる方法で例示されているが、図１Ａおよび図１Ｂに関して説明した機能はどちらの実施形態でも実現することができる。図１Ｇは、例示的な機能を説明するために使用され、機能は電話機１１０からのアウトバンド電話通話に関して実現できる。
【００７０】
電気通信ネットワーク１００は、通常、公衆電話交換ネットワーク（ＰＳＴＮ）に関係がある構成要素だけではなく、セルラー電話通信ネットワークのようなワイヤレス電話通信ネットワークに関係がある構成要素も含むことができる。電気通信ネットワーク１００は、インターネットプロトコル（ＩＰ）ネットワークの構成要素を含むように構成され、例えば、音声をＩＰにのせる仕組み（ＶｏＩＰ）などに対応する機能およびサービスを実行することもできる。
【００７１】
図１Ｇで示されるように、電気通信ネットワーク１００は、電話機１１０のような第１の電気通信デバイスを持つ発呼者と電話機１１５のような第２の電気通信デバイスを持つ発呼者との間にある音声中継回線１０５を実現するために使用することができる。電気通信回線ネットワーク１００は会議通話も実現することができ、音声中継回線は、２つ以上の電気通信デバイスの間で確立される。
【００７２】
ここでは、（ワイヤレス電話機および音声をＩＰにのせる仕組みの電話機（例えば、ウェブ電話機を含む）電話機ならびにハイブリッドワイヤレス／ＶｏＩＰ電話機）であるという状況で、電気通信デバイスを説明しているが、電気通信デバイスは、音声および／またはデータ通信を実現できる何らかのタイプのデバイスであってもよいことを理解すべきである。電気通信ネットワーク１００は、さらに１つ以上のサービスプロバイダネットワーク（ＳＰＮ）１２０、１２５を含み、サービスプロバイダネットワークは、電話機１１０および１１５にローカル電話サービスを提供する。言及したように、ＳＰＮは、加入者の間にエンドポイント間通信を提供するＬＥＣ（ローカル交換キャリア）、ＣＬＥＣ（競合ローカル交換キャリア）、ワイヤレス電話技術キャリア、ＶｏＩＰプロバイダ、または他の何らかのネットワークであってもよい。ＳＰＮ１２０および１２５は、よく知られている方法で１つ以上の相互交換キャリア（ＩＸＣ）により相互接続することができるが、ＳＰＮは、終端間の通話を完成するために何らかのＩＸＣまたは他のリソースを使用しないことが可能である。
【００７３】
電気通信ネットワーク１００は、発呼者名データベース（ＣＮＡＭ）のようマスターデータベース１３０を含み、マスターデータベースは、ＳＰＮのサービスの加入者に関連するプロファイルデータを含む。図１Ｇは１つのマスターデータベースだけを示しているが、ネットワーク１００は、１つ以上のマスターデータベースを含むことができることを理解すべきである。プロファイルデータは、ＳＰＮ１２０、１２５によりアクセスすることができ、発呼者ＩＤシステムにしたがって被呼者へ提供することができる。この点に関して、マスターデータベース１３０は、例えば、それぞれの加入者に関係がある名前または他のしるしを含むことができる。それぞれの加入者に対して、電話番号（例えば、１０桁の番号であり、特定のＳＰＮスイッチを識別する３桁のオフィスコードが後に続く、特定の地理的エリアを規定する３桁のエリアコードを含み、さらに４桁の顧客ラインが続く）のような１つ以上のステーションＩＤもある。例えば、以下の表１は、マスターデータベース１３０中のそれぞれの加入者に関係付けられている例示的なフィールドを示す。マスターデータベース１３０は表１中に示される以外に、追加的な情報または情報を含むことができる。このように、表１は単に例示であり、マスターデータベース１３０の構成を制限しない。
【表１】
2008522501.tif 000003
【００７４】
マスターデータベース１３０は、マスター管理者により維持され、マスター管理者は、マスターデータベース１３０のコンテンツに対して読み取ることと書き込むこととの両方の権限を持っている。ＳＰＮ１２０、１２５の管理者はマスターデータベース１３０からデータを読み取る能力を持っているが、以下でさらに完全に説明するように、ある環境においては、マスターデータベース１３０にデータを書き込むことだけができる。
【００７５】
さらに図１Ｇを参照すると、それぞれのＳＰＮは、ローカル加入者データベースを維持し、ローカル加入者データベースはＳＰＮ１２０に対するローカルデータベース１３５およびＳＰＮ１２５に対するローカルデータベース１４０のようなものである。ローカルデータベース中の少なくともいくつかのデータフィールドは、マスターデータベース１３０中のデータフィールドに対応する。この点に関し、ローカルデータベースは、ＳＰＮのそれぞれの加入者のために、加入者のしるしおよび電話番号のようなデータを含む。このように、それぞれのＳＰＮは、各ローカルデータベース中に含まれるデータを維持する唯一の権限を持っている。マスターデータベース１３０は、集団ローカルデータベース内に含まれるすべてのデータの編集物、または単に特定のＳＰＮ１２０により発行される特定の電話番号に関係付けられているすべてのデータの編集物を含む。いくつかのケースにおいて、ＳＰＮ１２０は、従来のＣＮＡＭ（またはそれに関連したもの）におけるようにルックアップに対して電話番号を決定する１つのデータベースを維持するだけでもよい。１つのデータベースだけが維持されるケースでは、ＳＰＮ１２０のデータベース１３５およびマスターデータベース１３０は、電話通信ネットワークのその他の部分に対して、単に１つの単一データベース（１３５または１３０のどちらか）になるであろう。各ＳＰＮ１２０および１２５は、公式のマスターデータベース１３０（またはＣＮＡＭデータベース）のように単一データベース１３５または１４０を維持してもよいことも理解される。そのため、マスターデータベース１３０およびＳＰＮ１２０、１２５のデータベース１３５、１４０は、ここに含まれている図において完全に相互に交換可能であってもよい。
【００７６】
言及したように、ＳＰＮは、限られた環境にしたがって、マスターデータベース１３０に対してデータを提供することができる。例えば、マスターデータベース１３０は同期化プロセスを定期的に実行し、同期化プロセスではマスターデータベース１３０は、ローカルデータベースからのデータのアップロードをするためにローカルデータベースに照会し、アップロードはローカルデータベース全体、または修正されたデータだけを含むことができる。このような同期化は、予め定められた時間スパンの経過において定期的に行うなど、定期的なベースで行うことができる。データを同期化させることができる別の方法は、各ローカルデータベースにおいて何らかのデータが修正または更新されたときに、マスターデータベース１３０にプロンプトを送信するＳＰＮによるものである。そのようなプロンプトを受信すると、データベース１３０はデータの同期化を実行する。データを同期化させることができる別の方法は、マスターデータベース１３０とＳＰＮのデータベース１３５または１４０とを同期化させるために修正（例えば、追加、削除、および／変更）を押し付けるＳＰＮによるものである。
【００７７】
通常の発呼者ＩＤプロセスは、次のように動作する。最初に、電話機１１０における（ＳＰＮ１２０の加入者である）発呼者は、電話機１１５における（ＳＰＮ１２５の加入者である）被呼者に対して通話を開始する。電話機１１０は、ＳＰＮ１２０と接続を確立し、ＳＰＮ１２０はＳＰＮ１２５と接続を確立する。言及したように、ＳＰＮ間の接続は相互交換キャリア（すなわち、長距離プロバイダ）により行うことができる。
【００７８】
被呼者が発呼者ＩＤサービスに加入し、発呼者が、彼の電話番号が表示されることをブロックしたり、または制限したりしていないと仮定すると、ＳＰＮ１２５は、マスターデータベース１３０に含まれている発呼者の電話番号に関係付けられた加入者のしるし（例えば、加入者の名前）および／または電話番号のような関連情報をマスターデータベース１３０に照会する。言及したように、マスターデータベース１３０は、ＳＰＮ１２０のローカルデータベース１３５とマスターデータベース１３０との間で行う同期化プロセスにしたがった情報を含んでいる。被呼者のＳＰＮ１２５は、次に、マスターデータベース１３０から発呼者の関連情報を取得し、表示のために被呼者の電話機１１５に対してそのような情報を提供する。例えば、電話機１１５は、ＳＰＮ１２５がマスターデータベース１３０から取得した発呼者の名前および電話番号を表示することができる。この方法では、被呼者には、発呼者ＩＤサービスにしたがって発呼者の関連情報が提供される。
【００７９】
ローカルデータベースはそれらの各ＳＰＮにより維持され、ＳＰＮは一般に会社のような事業主体を含むことを理解すべきである。ＳＰＮに対する個人のユーザ（すなわち、加入者）は、ＳＰＮに含まれているデータを任意に修正する権限または能力をもっていない。加入者が、ＳＰＮのローカルデータベースに含まれるそれらの情報を変更することを望む場合、加入者は、ＳＰＮとコンタクトし、情報を変更することを要求しなければならないであろう。加入者は次に、ＳＰＮが、要求された変更を実現することを待たなければならない。それゆえに、潜在的な退屈さが、このようなプロセスに関係している場合には、加入者は一般的に、彼らの発呼者ＩＤを修正することに気が進まないことがありうることが理解できる。最後に、そのような何らかの要求された変更を承認することは、ＳＰＮ１２０またはローカル電話番号データベース１３５または１４０を制御する当事者次第である。一般に、ＳＰＮ（１２０、１２５）およびサービスプロバイダは、ローカルデータベース１３５内に見出されるフィールドを完成するために加入者の課金情報を使用することを好み、課金情報は、ひいては後にマスターデータベース１３０に複製される。
【００８０】
ＳＰＮの加入者にとってより一層ユーザフレンドリである発呼者ＩＤサービスを提供するシステムおよび方法を今から説明する。さらに図１Ｇを参照すると、電気通信ネットワーク１００はプライベートデータベース１４５を含み、プライベートデータベース１４５は、ＳＰＮを通過する必要なく加入者によりアクセスされることができる。プライベートデータベース１４５は、１つ以上の電話番号のブロックに関係付けられているデータを含み、その電話番号は、予め購入されたか、またはさもなければ１つ以上のＳＰＮから取得されたものである。例えば、プライベートデータベース１４５に関係付けられている電話番号は、ＳＰＮ１２０から取得された数百の電話番号およびＳＰＮ１２５から取得された数百または数千の電話番号を含むことができる。最後に、プライベートデータベース１４５に関係付けられている電話番号は、加入者が、彼の自宅、セル、または職場の電話番号のようなすでに制御（すなわちアクセスまたは使用のための許可）を有する番号を含むことができる。プライベートデータベース中のそれぞれの電話番号に対して、表１を参照して上述した主しるしのような関係付けられている主しるしがある。主しるしは、電話番号に関係付けられている加入者が電話通話を行うとき、発呼者ＩＤとともにデフォルトとして表示されるしるしである。それぞれの電話番号は、以下でさらに説明するように、それらに関係付けられている追加的なデータも持つことができる。
【００８１】
１つの実施形態において、プライベートデータベース１４５中のそれぞれの電話番号は、それらに関係付けられている１つ以上の代替しるしも持つ。代替しるしは加入者指定のしるしを含み、加入者指定のしるしは発呼者ＩＤとともに代わりに表示でき、または主しるしに追加して表示できる。言い換えれば、代替しるしは、プライベートデータベース中の電話番号に関係付けることができるさまざまな“エイリアス”を含む。以下の表２は、電話番号、主しるし、代替しるしのためのフィールド、および“他の”データフィールドを有するプライベートデータベースの例示的な実施形態を示し、これらのデータフィールドを以下でより完全に説明する。
【表２】
2008522501.tif 000004
【００８２】
表２中で示されるプライベートデータベースの例において、電話番号“８８８−５５５−１１１１”は、“ジョーン ドウ”の主しるし、“ジェーン ドウ”の第１の代替しるし、および “ＡＣＭＥ製品”の第２の代替しるしを持っている。表２は２つの代替しるしを有するようなプライベートデータベースを示すが、代替しるしの使用数は（必要ならば）変更できることを理解すべきである。
【００８３】
電気通信システムのプライベートデータベース１４５は、次のようにセットアップされる。最初、個人または事業体のようなエンティティは、ローカル交換キャリアまたは他のＳＰＮのような電話サービスプロバイダから１つ以上の電話番号に対する権利を取得する。すべての取得された電話番号は、プライベートデータベース１４５中のエントリが割り当てられる。電話番号は、次に、プライベートデータベース１４５を維持しているサービスの加入者に対して、例えば、有料で割り当てられる。その後、加入者は、電話番号を使用して、電気通信ネットワーク上で電話通話を行ったり、受信したりすることができる。
【００８４】
プライベートデータサービスへの加入者は、加入者が適合すると思うようにプライベートデータベースのフィールドにデータを一括入力することができる。このようにして、加入者は、主しるしのコンテンツおよび代替しるしのコンテンツを指定することができ、意のままにそのようなコンテンツを変更することができる。以下でより完全に説明するように、加入者は、さまざまな方法でプライベートデータベースのコンテンツを編集することができ、さまざまな方法は、インターネットを通してプライベートディレクトリにアクセスしたり、または彼の電話にロードされた特別のアプリケーションを使用したりすることによるようなものである。したがって、加入者は、プライベートデータベースのコンテンツを見たり、または編集したりするのに何らかのＳＰＮの許可を得る必要はない。
【００８５】
プライベートデータベース１４５は、直接的に、または間接的にマスターデータベース１３０と同期化するように構成されている。プライベートデータベース１４５とマスターデータベース１３０との間の同期化の目的は、プライベートデータベース１４５から最も新しい電話番号とそれに対応する主しるしをマスターデータベースに提供することである。この方法において、加入者が、電話番号の１つに関係付けられている通話を行うとき、対応する発呼者ＩＤのしるしは、プライベートデータベースの主しるしである。プライベートデータベース１４５は、さまざまな方法で構成することができ、表１に示される構成は、単なる例示であることを理解すべきである。例えば、電話番号および主しるしは、データベースの（フィールド１および２のような）異なるフィールドにセットされてもよい。
【００８６】
言及したように、プライベートデータベースとマスターデータベースとの間の同期化は、直接的または間接的な方法のどちらかで行うことができる。直接的な同期化は、上述したように、ＳＰＮローカルデータベースがマスターデータベース１３０と同期化するのと同じ方法で行うことができる。つまり、図１Ｇ中でプライベートデータベース１４５とマスターデータベース１３０とを接続する同期化ライン１４７により表されるように、プライベートデータベース１４５は、マスターデータベース１３０と直接通信する。同期化１４７が行われるとき、マスターデータベース１３０はプライベートデータベース１４５からの電話番号および主しるしのデータにより更新される。
【００８７】
代わりに、プライベートデータベースとマスターデータベースとの間の同期化は、間接的であってもよい。間接的なシナリオにおいて、図１Ｇ中で同期化ライン１５０により表されるように、プライベートデータベース１４５は、ローカルデータベース１３５のような１つ以上の関係付けられているＳＰＮローカルデータベースと直接的な同期化を行う。プライベートデータベース１４５は、更新された電話番号およびユーザにより選択された主しるしのデータをローカルデータベースに提供する。次に、ローカルデータベース１３５はマスターデータベース１３０と同期化するとき、プライベートデータベースからの最新のデータにより、実際上マスターデータベース１３０が更新される。とにかく、直接的または間接的などちらかの同期化シナリオのため、マスターデータベースはプライベートデータベース１４５からのデータにより定期的に更新される。
【００８８】
使用において、プライベートデータベースの加入者は、加入者がプライベートデータベースを通して正当に取得したアクセスを有する電話番号の１つに関連して電話通話を行う。そのような電話番号に対して、対応する主しるしがプライベートデータベース、マスターデータベース、および、おそらくは以前の同期化の結果としてＳＰＮの１つ以上のローカルデータベース中に存在する。電話通話は、上述した電気通信システムを通してルーティングされる。被呼者が発呼者ＩＤサービスを有している場合、次に、被呼者のＳＰＮは、被呼者の電話機器上での表示のために、呼び出しているしるしをマスターデータベースに照会する。言及したように、マスターデータベース１３０中のしるしは、マスターデータベースとプライベートデータベースとの間の最も最近の同期化の時点でのプライベートデータベース中の主しるしと同じである。
【００８９】
１つの実施形態において、プライベートデータベース１３５の加入者は、プライベートデータベース１４０に遠隔操作でアクセスして、彼らの電話番号に関連した情報を見たり、および／または修正したりすることができる。加入者は、以下でより完全に説明するように、プライベートデータベースのコンテンツを修正することもできる。プライベートデータベース１３５は、例えば、インターネットのような通信ネットワークまたは電話機内にロードされた特別のアプリケーションにより遠隔操作でアクセスすることができる。プライベートデータベースを修正することに関して、プライベートデータベース中の電話番号の所有者は、主しるしのフィールドのコンテンツを変更することができ、主しるしを代替しるしに変更することができ、または代替しるしを主しるしに変更することができる。プライベートデータベースとマスターデータベースとの間の次の同期化において、加入者が行った変更がマスターデータベース中に反映されるであろう。この方法では、加入者は、すばやくかつ簡単な方法で彼らの電話番号に関係付けられている識別子のしるしを更新することができる。このようにして、加入者は、プライベートデータベースを更新することにより（ＣＮＡＭデータベースのような）マスターデータベース１３０を実際上更新（すなわち、修正または追加）することができる。
【００９０】
上で説明したように、プライベートデータベースは、電気通信ネットワーク１００中のある位置に存在する（“エイリアスサービスプロバイダ”として呼ばれる）サービスプロバイダにより管理することができる。エイリアスサービスプロバイダを使用して電話通話を行う方法を今から説明する。方法により、エイリアスサービスの加入者が、発呼者ＩＤシステムにしたがって被呼者に提供される情報を規定することができる。図２中で示されるフロー図を参照して方法を説明する。フロー図ボックス２１０により表される最初の動作において、加入者はエイリアスサービスプロバイダと電気通信（またはネットワーク）接続を確立することができる。“加入者”は、個人または事業体のようなエンティティであり、加入者は、図１Ｇ中で示される電話機１１０のような電気通信デバイスへのアクセスを有する。
【００９１】
言及したように、電話機１１０は、何らかのタイプの電気通信デバイスであればよい。例えば、１つの実施形態において、電話機１１０は従来の方法でＳＰＮ１２０に接続されている従来の電話機である。このケースにおいて、加入者は、エイリアスサービスプロバイダに関連付けられている電話番号をダイヤルすることによりエイリアスサービスプロバイダに接続する。エイリアスサービスプロバイダに関係付けられている、および／またはそれにより制御される電気通信機器は、例えば、ＳＰＮ中央オフィスに存在することができる。代わりに、エイリアスサービスプロバイダは、ネットワーク１００中の他のいくつかの位置に存在することができる。そのようなシナリオでは、加入者は、エイリアスサービスに関係付けられている特別の電話番号をダイヤルすることによるなど、手動で電話通話がエイリアスサービスを通過するようにすることができる。別の実施形態において、１０１０−２２０タイプの番号のような専用電話番号が、エイリアスサービスに到達するために呼び出される。
【００９２】
別の実施形態において、電話機１１０は、例えば、セルラーサービスまたはパーソナル通信サービス（ＰＣＳ）にしたがって作動するワイヤレス電話機を含む。そのようなケースにおいて、電話機１１０は、ワイヤレス電話サービスプロバイダの基地局および移動交換局に最初に接続することによりＳＰＮおよび／またはエイリアスサービスプロバイダに接続することができる。移動電話サービスプロバイダは、次に、エイリアスサービスプロバイダに対して通話の制御を引き渡す。代わりに、移動サービスプロバイダは、移動サービスプロバイダが制御する（例えば、加入者にサービスを提供するような、移動サービスプロバイダまたはＳＰＮにより制御される）エイリアスサービスシステムに通話を接続する。そのようなシナリオにおいて、移動サービスプロバイダは、それ自身のエイリアスサービスを実現および／または運営する。こうして、移動プロバイダは、それ自身のエイリアスサービスを構築および管理することができる。
【００９３】
１つの実施形態において、ワイヤレス電話機１１０は、図３Ａに示されるような電話機１１０上に存在するアプリケーション３１０を備えている。アプリケーション３１０は、電話機１１０上にも存在する（電話帳としても知られている）コンタクトディレクトリまたはデータベース３１５にアクセスすることができる。コンタクトディレクトリ３１５は、コンタクトのデータベース（またはリスト）を有するが、例えば、よく知られている方法で、名前、関連する電話番号、住所などを含むことができる。アプリケーション３１０が実行されるとき、アプリケーション３１０は、電話機１１０から開始される後続する電話通話を（エイリアスサービスプロバイダに関係付けられている番号を自動的にダイヤルし、次に、エイリアスサービスプロバイダに電話通話を開始させることによるなど）エイリアスサービスプロバイダに自動的に通過させる。図４に示される別の実施形態において、電話機１１０は、エイリアスサービスプロバイダに離れて位置付けられているコンタクト電話ディレクトリ１８４へのアクセスを有する。
【００９４】
有利なことに、アプリケーション３１０は、コンタクトディレクトリ３１５にインターフェイスしているので、加入者はコンタクトディレクトリ中で１つのエントリ（または複数のエントリ）を選択することにより、コンタクトディレクトリから通話を開始することができる。アプリケーション３１０は、次に、電話機を自動的にエイリアスサービスプロバイダに接続させ、加入者に何かさらに介入させることなく、エイリアスサービスプロバイダに何らかの必要とされる情報を提供する。この方法において、全体のプロセスは加入者にトランスペアレントであり、最初にアプリケーション３１０を実行する以外は、加入者による何らかの特別な行動を必要としない。アプリケーション３１０は、ＶｏＩＰが可能な電話機またはハイブリッドセルラー／ＶｏＩＰ電話機のような他の電気通信デバイスとともに使用することもできる。
【００９５】
１つの実施形態において、コンタクトディレクトリ３１５中の情報のバックアップバージョンは、インターネットのようなコンピュータネットワーク上に存在させることができる。電話機１１０を使用して、インターネットを通してコンタクトディレクトリ３１５にアクセスして、コンタクトディレクトリ３１５中に含まれる情報を見たり、追加したり、または改訂したりすることができる。代わりに、インターネットに電話機を結合する以外に（ＰＣのような）別のデバイス上のウェブブラウザにより、ユーザはコンタクトディレクトリ３１５中のデータを見たり編集したりすることができる。このことは、電話機１１０を使用して情報を追加したり、または改訂したりすることよりも場合によっては容易である。加えて、加入者が複数の電話機を持っている場合、加入者が電話機を切り替える場合、または加入者が自分の電話機を無くし、新しい電話機に情報を復元する必要がある場合などにおいては、コンタクトディレクトリ３１５のバックアップバージョンに含まれる情報を、（その他の電話機が、最初の電話機と互換性があろうとなかろうと）別の電話機にダウンロードすることができる。このように、コンタクトディレクトリ３１５中に含まれる情報は電話機それ自体に含まれ、バックアップは、インターネットまたは他の何らかのデータネットワーク上のどこかの位置に含まれる。バックアップシステムは、以下でより詳細に説明する。
【００９６】
図２のフロー図を再び参照すると、加入者がエイリアスサービスプロバイダに接続した後、加入者は、フロー図ボックス２１５により表されるようにサービスプロバイダに関連のある情報を提供する。図６中で示される、方法の代替実施形態において、通話構成パラメータの形態をとっている関連のある情報は、サーバからアクセスされ、このサーバは、図６中のフロー図ボックス２２０ｂにより表されるようにエイリアスサービスプロバイダにおいてプロファイルを記憶する。
【００９７】
加入者が、手動により情報を提供する場合、加入者は被呼者に対する電話番号を提供するが、被呼者は、例えば図１Ｇ中の電話機１１５のような加入者が呼び出そうとしている相手である。アプリケーション３１０（図３Ａ）が通話を取り扱っているシナリオにおいて、アプリケーション３１０は、エイリアスサービスプロバイダに対して被呼者の電話番号を自動的に提供するように構成することができる。言及したように、アプリケーション３１０は、電話機上でコンタクトディレクトリ３１５（図３Ａ）から被呼者の電話番号を取得することができる。代わりに、加入者はエイリアスサービスプロバイダによって提供されるプロンプトに応答して、被呼者の電話番号を手動により入力することができる。
【００９８】
加入者は、エイリアスサービスプロバイダに存在する標準（または拡張）コンタクト電話ディレクトリ１８４（図４）により、またはサービスプロバイダの名前ディレクトリルックアップ（ＮＤＬ）１８２（図４）エンジンにより、ダイヤルする電話番号を選択することができる。ＮＤＬは、名前および電話番号の自己登録（または選択式の）データベース、あるいはもっと一般的なイエローページエンジンであってもよく、一方で、拡張コンタクト電話ディレクトリ１８４は、ユーザが自分の電話機に入力するために選ばないがエイリアスサービスプロバイダに存在する電話番号を含んでもよい。これにより、加入者は、自分の標準コンタクト電話ディレクトリ３１５（図３Ａ）内に表われないプライベートコンタクト電話データベース１８４（図４）にアクセスすることができる。加入者（すなわちアプリケーション３１０）は、パスワード、ログインＩＤ、ＥＩＮまたは、このような他の何らかの情報を提供することもでき、エイリアスサービスプロバイダはそのような情報を使用して、サービスプロバイダを通して通話を行う権限が加入者に与えられていることを確認する。
【００９９】
アプリケーション３１５はそれ自体、プログラムそのものを開始するために、ユーザログインおよび／またはパスワードを提供することを加入者に要求してもよい。加えて、特定の電話番号、コンタクトまたはダイヤリングルールは、加入者によって選ばれたパスコードまたは異なるパスコードの再認証を要求してもよい。
【０１００】
別の実施形態において、加入者は電話通話を開始するためにグループコードを選択してもよく、１つ以上の電話番号がグループコードに関係付けられている。加入者がグループコードにしたがって通話を開始するとき、選択されたグループコード内に見出されるすべての番号が同時に呼び出される。これにより、加入者は、自分の電話機内に見出される自分のコンタクトリストから個々の潜在的な会議参加者を１人残らず選択する必要なく、１つの選択により会議通話リスト上にあるすべての者を選択できる。これらのグループコードは、加入者ダイヤリングプロファイルとともに、または彼の／彼女の標準／拡張コンタクト電話ディレクトリ１８４（図４）内に位置付けられている。
【０１０１】
図２中のフロー図ボックス２２０により表される次の動作において、加入者は、エイリアスサービスプロバイダに１つ以上の通話構成パラメータを提供する。構成パラメータはアウトバウンド通話の構成を規定する。１つのそのような構成パラメータは、アウトバウンド電話番号を含み、アウトバウンド電話番号は、通話に対して加入者の電話番号として使用される。加入者は、加入者がプライベートデータベース１４５上で所有している（またはアクセスを有する）任意の電話番号を選択することができる。例えば、上の表２を参照すると、加入者はデータベース中で加入者自身の電話番号１および２を所有してもよい。インスタント通話のために、加入者は、電話番号として電話番号１（８８８−５５５−１１１１）を選択してもよく、電話番号１は、インスタント通話において発信番号として使用される。以下でさらに説明するように、被呼者が通話を受信するとき、電話番号１が、発呼者ＩＤ番号として表示され、電話番号１（８８８−５５５−１１１１）に対する主しるしも表示される。
【０１０２】
別のそのような構成パラメータは、発信元の実際の位置または環境とは異なる位置または環境から電話通話が発信しているかに見えるように電話通話の構成を変更するために使用できるパラメータと関係がある。例えば、１つのそのようなパラメータは、以下で説明するように、通話に送られるバックグラウンドまたは環境のノイズを含む。
【０１０３】
上述の内容に加えて、アプリケーションは、ユーザにより管理されるＰＩＭ（パーソナル情報マネージャー）機能を提供する。ユーザが（ＰＩＭでない）標準セル電話機上で通話を受信するとき、ユーザインターフェイススクリーンが示され、ユーザインターフェイススクリーンは、発呼者または被呼者について予め記憶されている情報を提供する。この機能は両方の方法で動作する。この機能は、非ＰＩＭベースの電話機に制限されたＰＩＭ機能を提供する。
【０１０４】
別の構成パラメータは、発呼者ＩＤがこの特定の通話に対してイネーブルされているかどうかというものにすることができる。構成パラメータは、発呼者ＩＤがこの通話に対してはイネーブルされるか、または発呼者ＩＤがこの通話に対してブロックされることを指定できる。構成パラメータにより、加入者による指定がない限り、加入者は、（頻繁に呼び出される番号のような）予め選択された電話番号をデフォルトの“ブロックされない”状態にさせ、他の電話番号をデフォルトの“ブロックされた”状態にさせるように、フラグを立てることができる。このような選択式の発呼者ＩＤシステムにより、通話毎のベースで“通話ブロック（*６９）またはアンブロック（*８２）”を手動により選択する必要がない適切なダイヤリングパラメータを加入者に保証する。選択式の発呼者ＩＤにより、加入者は、自分の家または事務所のような相当頻繁に呼び出される電話番号に対してフラグを立てることができる。
【０１０５】
プライベートデータベースは、それぞれの構成パラメータに対してデフォルト値を含むことができ、デフォルト値は、プライベートデータベースの“他の”フィールドに含まれる。この方法において、プライベートデータベース（または拡張コンタクト電話ディレクトリ１８４）中のそれぞれの電話番号は、予め定められたデフォルトのエイリアス構成を持つことができ、そのエイリアス構成は、それらの番号に関係付けられているアウトバウンド（またはインバウンド）通話に対して使用される。
【０１０６】
言及したように、加入者は、プライベートディレクトリ中の情報を追加したり、または編集したりすることができ、それらの情報は、加入者により所有されている電話番号に関係付けられている。加入者は、主しるしまたは代替しるしに新しい名前を付けるなど、何らかのしるしを変更することができる。加入者は、代替しるしの１つを主しるしになるように変更することもできる。例えば表２中で、加入者は、“ジョーン ドウ”以外の“Ａｃｍｅ製品”を示すように主しるしを変更することができる。
【０１０７】
図８および図９は、ユーザに提供される構成情報を実現するために、アプリケーション３１０により電話機の表示スクリーン上に示される一連の例示的なユーザインターフェイスを示す。図８および図９に示されるユーザインターフェイスは、図１Ｂおよび図１Ｃ中で説明したプロセスにしたがって、構成情報を提供するために使用することもできる。最初のユーザインターフェイス８１０は、ここで説明する機能に対応する複数の、ユーザ選択可能な機能をともなうメニューを含む。アイテム２“ディレクトリダイヤル”のようなメニューアイテムの選択により、構成オプションを表示するユーザインターフェイス８３０を直接導くことができる。代わりに、ユーザインターフェイス８２０（図９）を表示することができ、ユーザインターフェイス８２０は、例えば、ダイヤルできる電話帳エントリのリストを含む。
【０１０８】
ユーザは、（図９中のエントリ番号６“ジョーン アダムス”のような）電話帳エントリを選択することができ、エントリは、特定のプロファイルに関係付けられている。エントリの選択により、ダイヤルされている番号に基づいてアウトバウンド発呼者ＩＤと、その番号に関係付けられているプロファイルとを自動的に変更することができる。例えば、ダイヤルされている番号が、ユーザのローカルまたはネットワークデータベース中で、仕事コンタクト対個人コンタクトとしてマークされている場合、アウトバウンド発呼者ＩＤを特定の番号に変更することができる。何らかの環境の下で、自分の“デート番号”から自分の“仕事番号”に、ユーザが自分のアウトバウンド発呼者ＩＤを偶然に変更することを防ぐ“置き換え禁止”とする送出発呼者ＩＤのフラグをユーザが立ててもよい。これにより、ユーザは個人にダイヤルするときに深刻な誤りをすることを防ぐことができる。
【０１０９】
ユーザインターフェイスにより、ユーザは、セル電話機のような第１の電話機から通話を開始し、そのセル電話機以外のデバイス上で通話を開始するようにエイリアスサービスに指示することができる。これは、セル電話機のカバレッジが不十分なエリアに対して、またはユーザがスピーカーホンを使用したいときに有用である。ユーザインターフェイス４１０により、ユーザは通話に対する構成をセットアップすることができ、構成は、呼び出すための番号、送信されるべき発呼者ＩＤパラメータ（ユーザインターフェイス８３０）、および通話を開始するデバイス（ユーザインターフェイス８５０）のようなものである。
【０１１０】
ユーザインターフェイス８２０において名前／番号の対を制御する認証システムは、番号が受け入れ可能なアウトバウンド通話ＩＤとして加えられる前に、ユーザが番号の物理的な制御を有することを確認する。図８および図９中、ならびにここでの他の図中で示されるユーザインターフェイスは、ユーザインターフェイスがどのような格好のものかを表す例に過ぎず、ユーザインターフェイスは変更できることを理解すべきである。
【０１１１】
再度図２を参照すると、次の動作において、エイリアスサービスプロバイダは、（図１Ｇ中のＳＰＮ１２０のような）ＳＰＮと接続を確立し、次に、被呼者のＳＰＮと接続を確立する。上で説明したように、被呼者が、発呼者ＩＤサービスを使用する（すなわち加入する）場合、被呼者のＳＰＮはマスターデータベース１３０に接続し、発呼者の電話番号に関係付けられている発呼者ＩＤ情報を取得する。このような発呼者ＩＤ情報は、プライベートデータベース１４０とマスターデータベース１３０との間の最新同期化の時点で、ユーザにより指定されている通り、プライベートデータベース１４０中に含まれる情報と同じである。とりわけ、ＳＰＮは、通話の開始の間、加入者により予め指定された電話番号およびその電話番号に関係付けられている主しるしにアクセスするであろう。有利なことに、インターネットのようなもの通して、プライベートデータベースにアクセスすることにより、加入者は、容易に主しるしを更新したり、あるいは変更したり、または代替しるしを選択したりすることができる。
【０１１２】
ＳＰＮ１２０により、発呼者ＩＤ情報を通話プロセスの間に送ることができ、受信ＳＰＮ１４０が電話番号ルックアップ（すなわちＥＮＵＭルックアップ）に要求することなく発呼者ＩＤ情報を受け入れるようなシナリオにおいて、次に、図１Ｇ中のマスターデータベースルックアッププロセスは、終端ＳＰＮ１２５における簡易な受信（例えば、番号および名前）への送信ＳＰＮ１２０からの簡易な送信（例えば、番号および名前）に取って代わる。
【０１１３】
インバウンド通信のブロックキングまたはフィルタリング 
セクシャルプレデターまたは犯罪人の通知機能により、呼び出している人物がリストアップされたセクシャルオフェンダーであるか、または呼び出される人物に犯罪歴があるかを（自動化されたプロセスで）割り出すことができる。加えて、その逆も実現することができる。リストアップされたセクシャルオフェンダーまたは犯罪歴のある人物が、実際の番号のうちの１つを呼び出そうとしていることをエイリアスサービスプロバイダが認識するとき、被呼者が受信しようとする通話が、記録されたセクシャルオフェンダーまたは犯罪歴がある誰かからのものであることが被呼者に通知される。図７は、セクシャルプレデターに対する機能を規定するために電話機１１０上で表示することができる例示的なセクシャルプレデターインターフェイス７１５および７２０を示す。
【０１１４】
年少の子供または保護下にある人物が、知らない人からの通話を受信するのを防ごうと望んでいる人のために、ステルスモード機能が設計されている。この機能は、ユーザの現在の電話帳３１５（またはオンラインＣＤＦ１８４）内に見出されない発呼者からの通話をブロックする。この機能は、ユーザの電話帳内にリストアップされていない個人の番号へのアウトバウンド通話をブロックするために使用することもできる。図７Ａは、例示的なステルスモードインターフェイス７２５を示す。
【０１１５】
年齢または性別確認システムにより、年齢および／または性別パラメータにより規定される年齢および／または性別に基づいて、ユーザは通話を受け入れたり、または拒否したりすることができる。年齢パラメータは、セル電話機（図３Ａ）それ自体中に、またはネットワーク（図４）上に存在してもよい。その機能により、ある年齢より上、下、またはちょうどその年齢である誰かへの通話をユーザは限定することができる。これは、発呼者または呼び出している誰かの実際の年齢を確認するために、デートワールドにいる人々により利用することができる。図７Ａは、エイリアスサービスがこのような機能をどのように管理するかについて制御を行う例示的な年齢確認インターフェイス７３０を示す。
【０１１６】
通話が、通話パラメータ以外の誰かから受信されるとき、ユーザは自動的な動作をセットアップする機能を有する。この動作は、発呼者が再度呼び出すことを阻止する予め録音されたメッセージ、自動的な電話の切断、自動的な話中音、または（上で規定された動作をブロックするような）他の何らかの動作とすることができる。
【０１１７】
年齢確認は、キャリアにより電話機内にセットすることができる（または、確認されていない年齢パラメータをユーザによりセットすることができる）。確認されていない年齢がセットされた場合、他の当事者は通知を受けることができる。加えて、年齢パラメータは、クレジットカードまたは社会保険ルックアッププロセスを通してセットすることができる。他の形態の保証された年齢確認を代用してもよい。望まれる場合には、この機能は他のルールとともに使用することができる。
【０１１８】
１つの実施形態において、エイリアスサービスプロバイダは加入者の年齢確認のためのシステムを提供する。言及したように、加入者は単一のエイリアス番号またはグループのエイリアス番号に関係付けられているプロファイルをセットアップすることができる。プロファイルを予め規定されたまたは自動的に規定されたルールに関係付けることができ、それらのルールは、インバウンドおよびアウトバウンド通信がエイリアス番号に対してどのように取り扱われるかを左右する。年齢に関連する機能をプロファイルに関係付けることができる。
【０１１９】
図７Ｂは、エイリアスサービスプロバイダの年齢確認機能に関する例示的なフロー図を示す。最初の動作２４１０において、加入者（ユーザ）は、年齢確認ユーザインターフェイスへのアクセスを選択するが、インターフェイスは図または音声によるものでもよい。動作２４２０において、ユーザは主プロファイルにアクセスするか、または代替のプロファイルにアクセスするかを選択する。最初の代替動作２４９０にしたがうと、ユーザは年齢にプロファイルを関係付け、その年齢は、電話機に関係付けられているＳＰＮにより、電話機中にすでに記憶されているものである。動作２４９５において、ユーザの年齢は電話機上またはサーバ上に記憶される。年齢は、そのときエイリアスサービスプロバイダにより容易にアクセス可能であるので、エイリアスサービスプロバイダは、年齢に基づいて通信をフィルタリングすることができる。
【０１２０】
別の代替動作２４３０において、ユーザは、手動により彼のまたは彼女の年齢を入力する。方法は次に、上述した動作２４９５に進む。さらに別の代替動作２４４０において、エイリアスサービスプロバイダは、ユーザの年齢の証拠を尋ねる。証拠についての問い合わせは、アプリケーションそれ自体から生じることがあり、またはエイリアスサービスプロバイダにおけるサーバから促すことができる。動作２４５０において、ユーザは年齢について何らかのタイプの証拠を提供する。証拠は変更することができるが、例えば、年齢に結びついた電話番号、社会保障番号、クレジットカード番号などを含むことができる。提供された証拠に基づき、例えば提供された電話番号に関係付けられている電話会社（動作２４６０）、社会保障局のような事務局（動作２４７０）から、またはクレジットカード発行者（動作２４８０）から年齢を得ることにより、エイリアスサービスプロバイダは、年齢を確認することができる。方法は次に、上述した動作２４９５に進む。
【０１２１】
人気機能により、ユーザは人気得点に基づいて、呼び出すことが認められる者（またはユーザが呼び出したい者）に関して、ある制限をセットすることができる。図７Ａは、人気ランキングインターフェイス７３５を示す。１つの実施形態において、加入者でない者は、ある個人が加入者であるかないかにかかわらず、その個人に関する情報をエイリアスサービスプロバイダに提供することができる。このような情報は、エイリアスサービスプロバイダにより記憶され、インバウンドおよびアウトバウンド通話のフィルタリングの際に使用することができる。
【０１２２】
ネガティブフィードバックにより、ユーザは他からのネガティブフィードバックに基づいて、呼び出すことが認められる者（またはユーザが呼び出したい者）に関して、ある制限をセットすることができる。言い換えれば、十分多くの人々が、ネガティブとして１人の者を識別した場合、彼らの得点はそれを反映するであろう。例示的なネガティブランキングインターフェイス１６４０が示される。同様に、人の電話番号をアプリケーションまたはエイリアスサービスプロバイダに単に入力することにより、“配偶者の有無”パラメータを個人によりセットしてもよい。ユーザからのこの自動化されたフィードバックの方法により、エイリアスサービスプロバイダは、必ずしもエンドユーザに関する名前またはアドレス情報を集めることなく、そのサービスに関係付けられていないユーザに関する多くの情報を集めることができる。
【０１２３】
バックアップデータベースサービス 
上述したように、コンタクトディレクトリのバックアップバージョン（図３Ａ）はインターネットを通して、エイリアスサービプロバイダ上のようなデータネットワーク上に記憶することができる。ユーザは、インターネットのようなデータネットワーク上にあるバックアップデータベースに、特定の電話機内にあるコンタクトデータベース３１５中のすべてのデータをコピーすることができる。これにより、ユーザは、別の電話機上に彼または彼女のコンタクト情報を複製することができる。
【０１２４】
１つの実施形態において、バックアップデータベースは、異なるモデルの電話機間におけるパラメータの差異を理解するように構成される。いくつかの電話機により、データベースはそれぞれのエントリに対する予め定められた数のパラメータを持つことができるが、それらのパラメータは、異なる電話機のモデルの間で必ずしも統一されていない。例えば、いくつかの電話機は、１つの自宅、職場およびセル番号だけを許可するが、一方で、他の電話機は複数の自宅、職場およびセル番号を許可する。加えて、いくつかの電話機は、それぞれの電話機コンタクトネームに対するファックス番号、ｅメールアドレスおよびウェブサイトアドレスを許可する。バックアップデータベースは、異なる電話機のモデルの間における差異をマッピングするように構成され、これによりユーザは、機能に富んだセル電話機間でデータをアップグレード、またはダウングレードさえすることができる。ユーザは、バックアップデータベースに彼のまたは彼女の電話機を接続することができ、バックアップディレクトリから必要なデータをダウンロードすることができる。
【０１２５】
データは、インターネットのようなデータネットワーク上に記憶されているため、ユーザは、電話ハンドセットの相違またはサービスプロバイダについて心配することなく、彼の／彼女の新しい電話機を入手した数分内に、損傷を受けた電話機から復旧することができる。このプロセスはこのようなことでなければ、古い電話機のアドレスを入力し直すのに何時間もかかったかもしれないし、または加入者によるハンドセットのモデルの変更が妨げられたかもしれない。
【０１２６】
拡張コンタクト電話ディレクトリ（ＣＰＤ） 
コンタクト電話ディレクトリ（ＣＰＤ）１８４は、エイリアスサービスプロバイダ１８０のようなネットワーク上の何らかの位置に存在することができる。これにより、コンタクト電話ディレクトリは、加入者の電話機のハードウェアにより制限されない量のデータを記憶することができる。
【０１２７】
従来の電話ハンドセットは、一般的にはそれぞれのハンドセットが記憶することができる電話機の名前／番号の数に制限がある。データは、電話機上にローカル的に記憶されているため、悪人により物理的にアクセスされる場合、電話機内に含まれるそれぞれの名前／番号のプライバシーが漏洩する可能性がある。拡張ＣＰＤ１８４により、加入者以外の誰に対しても見えないまたはアクセス可能でないプライベートあるいは拡張電話ディレクトリをユーザはインターネット上に維持できる。その上、コンタクトアイテムは、電話機に対して離れて記憶されているため、加入者は、記憶できる番号の数に何ら制限を持たないであろう。エイリアスサービスプロバイダ１８０は、加入者がＣＰＤ１８４にアクセスするために安全認証を提供するように要求することもできる。データベースは遠く離れており、アクセスする前に認証を必要とするため、コンタクト情報は、従来の電話機１１０中のようにローカル的に記憶される場合より、いっそう安全である。
【０１２８】
会議通話 
言及したように、エイリアスサービスプロバイダは、自動会議通話サービスを実現するように構成することもできる。この観点にしたがうと、加入者は、電話機あるいは他のエンドポイントクライアントデバイスまたはソフトウェア上に含まれる彼の／彼女のコンタクトアドレス内の（電話番号、ＳＩＰ ＵＲＩ、または他の何らかのタイプのアドレスのような）複数のアドレスを選択することができる。ユーザが実行コマンド（例えば、ダイヤル）を叩くとき、アプリケーション３１０または１８５は、一度にすべての選択された電話番号を自動的に呼び出し、結果として生じた通話を会議室にダンプする。加えて、ユーザは、会議通話に追加される他の番号をタイプ入力することもできる。
【０１２９】
図１０は、例示的な一連のユーザインターフェイスを示し、一連のユーザインターフェイスは、呼び出される所望の番号を単にタイプ入力することにより、電話のユーザが複数方式の会議通話を開始できるようにする。最初のユーザインターフェイス１０１０において、会議通話に含めるべき番号に関してユーザが一括入力することができるフィールドのリストが、ユーザに提供される。ユーザは、手動により番号を入力するか、あるいはユーザインターフェイス１０１５および１０２０などを通して、コンタクトデータベース３１５またはＣＦＤ１８４に含まれる番号から番号を選択することができる。また、通話が開始される（電話番号のような）識別子をユーザが指定することができるユーザインターフェイス１０２５だけでなく、ユーザが構成パラメータをセットアップすることをできるユーザインターフェイス１０３０にも、ユーザはアクセスすることができる。図１０は、呼び出される番号が一括入力された会議通話のフィールドを伴うユーザインターフェイス１０４０を示す。
【０１３０】
ユーザは、（電話機３１５に組み込まれた、またはエイリアスシステム１８０／１８４上に存在している）標準電話帳のルックアップ機能により呼び出す人々をルックアップしてもよい。
【０１３１】
単に、電話をかけることに加えて、アプリケーション３１０および／またはユーザインターフェイスにより、１つの会議通話における異なる人々が、呼び出されたときに異なる発呼者ＩＤを受信可能になる。発呼者ＩＤの変更は、手動により、またはシステム１８０／１８４上に予めセットアップされているエイリアスプロファイルにより実行することができる。
【０１３２】
アプリケーション３１０は、また、自動グループ会議通話を実現するようにも構成される。この実施形態において、ユーザ（すなわち加入者）は、電話内の彼の／彼女のコンタクトデータベース３１５中の１つ以上のエントリに、あるいは彼の／彼女のプライベートデータベース１４５のエントリ内にあるいは拡張ＣＰＤ１８４内にグループ識別子を追加することができる。いったんグループコードが追加されると、加入者は、単一の（または複数の）グループコードを選択し、選択（または送信）キーを叩くことができる。そのような機能により、加入者は電話機内にある１つのエントリを選択することにより３人以上の人々と会議通話を確立することができ、このエントリは、グループ識別子に関係付けられている。会議通話およびグループ会議通話の両方において、会議通話に加えられるためには、パスコードを入力したり、または電話キーパッド上のキーを押したりすることを発呼者は要求されるかもしれない。これにより、望まれていない個人またはボイスメールシステムが特定の会議通話に加えられることを防ぐことができる。
【０１３３】
コンタクト電話ディレクトリ（１４５、１８４）のいずれか１つ内にある何らかの名前または番号は、それに割り当てられる１つ以上のグループコードを持ってもよいことを認識すべきである。この方法において、単一のエントリが、グループ１、２および３に割り当てられてもよく、例えば、グループ１は、“プリパーティ”メンバに対するものであり、グループ２は、すべてのパーティメンバに対するものであり、およびグループ３は、クリーンアップメンバだけに対するものであってもよい。
【０１３４】
ダウンロード可能な通話ファクトデータベース 
アプリケーション３１０は、ダウンロード可能な通話ファクトデータベースを実現するようにも構成され、それは、例えば、ＣＦＤ１８４の一部としてエイリアスサービスプロバイダに存在することができる。通話ファクトデータベースは、コンタクトデータベース３１５またはＣＦＤ１８４内の電話番号のように、呼び出されるかもしれない電話番号に関係付けられているダウンロード可能なデータを含むデータベースである。データは、何らかのタイプの情報を含むことができ、それらの情報は住所、個人情報のようなものであり、写真、呼出音、ビデオなどのようなマルチ媒体データを含むこともできる。
【０１３５】
加入者がいったん電話通話を開始すると、システムは加入者の選択次第で、呼び出されている当事者（または複数の当事者）についての情報をＣＦＤ１８４からダウンロードしてもよい。ダウンロードされている情報は、呼び出されているそれぞれの人の画像を含んでいてもよい。この情報は、プライベートデータベース１４５または拡張ＣＰＤ１８４中に位置付けられてもよい。ダウンロード内に含まれる情報はユーザにより選択可能であり、単一の通話環境または上述した会議通話環境のどちらかで機能する。
【０１３６】
自動化された会議通話リマインダ（ＡＣＣＲ） 
別の実施形態において、エイリアスサービスプロバイダは、エイリアスサービスプロバイダによって予定されている来たるべき会議通話の出席者に対して、アプリケーション３１０またはアプリケーション１８５を通して、自動化された会議通話リマインダを行う。音声通話、テキストメッセージ、ｅメールメッセージを通してエイリアスサービスプロバイダにより、代替ネットワーク上のインスタントメッセージにより、または非同期の通知を可能にする他のネットワークにより、そのようなリマインダをトリガすることができる。ユーザが好む場合、システムは、ＡＣＣＲ通知中に組み込まれる自動カレンダー通知を含んでもよく、自動カレンダー通知は、自動カレンダーシステムインポートに使用することができる。ユーザが特定の通話における参加を断る場合、アプリケーション１８５は、会議通話ダイヤリングプロセスの間、断られた番号を一時的に修正（または無視）するであろう。
【０１３７】
自動化されたプロファイルベースのダイヤリング（ＡＰＤ） 
別に実施形態において、エイリアスサービスプロバイダは、自動化されたプロファイルベースのダイヤリング（ＡＰＤ）機能を提供する。ＡＰＤにより、加入者はアプリケーション３１０を通して、あるいはウェブブラウザを使用してインターネットにより、または他の何らかのタイプのクライアント／サーバインターフェイスにより、被呼者を呼び出す方法をプリセットすることができる。ユーザは（ウェブインターフェイスまたは電話インターフェイスのような）予め定められたインターフェイスを通して、電話番号を呼び出す方法をプリセットすることができ、そのインターフェイスは、コンタクトデータベース３１５または拡張ＣＦＤ１８４内に位置付けられている。例示的なユーザインターフェイスを以下で説明する。ＡＰＤにしたがうと、アクセスすべき（電話番号のような）アドレスに基づいてあるプロファイルデータが使用されるように、ユーザは（電話通話のような）送出通信を構成することができる。図８は、このようなＡＰＤの実施形態を実現するための例示的な一連のユーザインターフェイスを示す。
【０１３８】
ここでは、時々目標電話番号を使用して電話通話を行うという状況で説明しているが、電話機の状況内での使用に限らないことを理解すべきである。
【０１３９】
以下で示される例示的な加入者プロファイルデータを使用する例の状況において、このことはより良く理解されるかもしれない。以下の例において、加入者は１つ以上のエイリアスを持っており、この１つ以上のエイリアスは、別の加入者を呼び出しているときに、加入者により選ぶことができる。ＡＰＤシステムは、アプリケーション３１０または１８０により、任意の番号に対するプロファイルデータのパラメータを自動的にルックアップし、その任意の番号はシステムを通してダイヤルされ、ＡＰＤシステムは、その番号に関係付けられているプロファイルに基づいて送出通話に対してＡＰＤ方法を適用する。例えば、加入者が４１５−５５５−１１１１を呼び出した場合、次にＡＰＤシステムは、以前の通話履歴に基づいて、アウトバウンド電話通話に対してプロファイル番号１を自動的に割り当てる。このように、電話番号４１５−５５５−１１１１は発呼者ＩＤパラメータを一括入力するために使用することができる。
【０１４０】
図１１は、通話履歴情報を表示する通話履歴マネージャーに対する例示的なユーザインターフェイスを示し、通話履歴情報は、通話プロファイルまたはグループに関係する受信された通話にしたがってグループ化することができる。従来の電話機のように取り損なった通話の総数を単に表示する代わりに、ユーザインターフェイスは、それぞれの通話が関係するプロファイルに基づいて、通話のリストを示す。このようにして、ユーザは、あまり重要でない通話は後に返信するように残しておく一方で、特定のプロファイルまたはグループに関係付けられている重要メッセージに直接飛ぶことができる。通常のセル電話の履歴一覧表と同様に、ユーザは任意の仮想一覧表をクリックし、それぞれの発呼者に対するすべての情報（例えば、名前、番号および通話に対する日付）を見ることができる。
【０１４１】
図１１を参照すると、最初のユーザインターフェイス１１１０は、“通話履歴”ユーザインターフェイス１０１５に至るアイテム番号４のような、アイテムの一般的なメニューを提供する。ユーザインターフェイス１１１０は他のユーザインターフェイスに至り、他のユーザインターフェイスは、取り損なった通話インターフェイス１１２０、ダイヤルされた通話インターフェイス１１２５および受信通話インターフェイス１１３０のようなものである。通話は、予め定められたユーザプロファイルに関連する方法にしたがってグループ化することができる。
【０１４２】
別の例において、加入者が６５０−５５５−５２２２を呼び出した場合、次にプロファイル２が、その番号に関係付けられているプロファイル２として選択される。他の実施形態では、もっと高性能のプロファイルダイヤリングを含むことができ、このようなプロファイルダイヤリングは、通話記録にクライアントＩＤを付加したり、および／または自動的に電話通話を記録し、次に、後に誰かのｅメールアカウントにその通話を転送するアプリケーションのようなものである。
【０１４３】
このような機能は、例えば法律に関する職業のような、ある職業において有利であり、ダイヤリングプロファイルに（および後に発生した通話記録に）クライアントＩＤを付加することにより、代理人は、彼の／彼女のオフィスから離れて行われた通話に対し、より効果的にクライアントに請求できる。別の例において、病院は、医師、翻訳者および患者との間で３方向の会議通話を確立することを望むかもしれない。この通話において、患者ＩＤが記録に付加され、多くの理由のために通話を自動的に記録することができる。いったん通話が完了すると、アプリケーションは、異なる位置に位置付けられているかもしれない医師および翻訳者に（クライアントＩＤをともなった）記録を送信する。ＡＰＤシステムは、ある電話番号のプリフィックスまたはエンドポイントアドレス内の番号一致基準に対して予め定められた方法で動作するように構成することもできる。例えば、加入者が６５０−６００プリフィックスで始まる何らかの番号を呼び出す場合、次に“ブロック発呼者ＩＤ”フラグがセットされる。これは同様に、ＳＩＰ ＵＲＩ、インスタントメッセージング識別子、または他のエンドポイント識別方法のような、他のエンドポイントアドレスにおいても機能することができる。
【０１４４】
ハンドセットまたはセルラー電話機上でフラグまたは値を変更することにより、任意の通話上でＡＰＤ機能を無効にすることができる。
【表３】
2008522501.tif 000005
【０１４５】
図１２は、プロファイルをセットアップおよび管理するために使用できる一連の例示的なユーザインターフェイスを示す。開始ユーザインターフェイス１２１０から、プロファイルマネージャーインターフェイス１２１５にアクセスすることができ、プロファイルマネージャーインターフェイス１２１５は、プロファイルに関連のある管理機能のメニューを提示する。プロファイルマネージャーインターフェイス１２１５により、ユーザは、ユーザインターフェイス１２２０−１２３５を通してシステム上にある１つ以上のプロファイルをセットアップすることができる。例えば、それぞれのプロファイルは、１）連続的に、または同時に行われるダイヤリングのような、何らかの様式で呼び出されたとき、１つ以上の番号を鳴らす；２）特定のプロファイルまたはグループに基づいて、指定された番号に対してアウトバウンド発呼者ＩＤを自動的にプリセットする（または修正する）ようにセットアップすることができる。プロファイルのセットアップにより、セットアップに関係付けられているユーザインターフェイスも変更できることを理解すべきである。
【０１４６】
長距離サービスプロバイダの選択 
エイリアスサービスプロバイダは、エンドポイントアドレスに対する送出通信が、自動的に予め定められたネットワークに対して接続されるように送出通信に作用することができる。
【０１４７】
例えば、電話機からダイヤルされる電話番号は、予め定められた長距離プロバイダにより自動的にダイヤルされる。例えば、アプリケーション３１０により、電話機は標準長距離プロバイダを使用し、または（例えば、“１０１０”タイプの長距離サービスのような）長距離サービスに関係付けられている電話番号をダイヤルすることができる。ユーザが彼の通常の電話機またはセル電話機のエントリの修正を要求されないように、予め定められた長距離プロバイダの使用が自動的に行われるようにアプリケーション３１０を構成することができる。言い換えれば、ユーザは単にコンタクトデータベースからエントリを選択し、アプリケーション３１０は予め定められた長距離プロバイダを通して自動的に通話を開始する。
【０１４８】
標準セル電話機により遠く離れた電話機またはＶｏＩＰユーザに接続するために、４桁の内線、有効でない電話番号または英数字ワードをダイヤルするようにアプリケーション３１０を構成することもできる。４桁の内線ダイヤリングの場合、アプリケーション中のプロファイルエンジンは、ダイヤリング目的のために完全な電話番号またはＶｏＩＰ番号に、電話コンタクトディレクトリ３１５または拡張ＣＰＤ１８４内に見出される４桁番号をマッピングする。ＳＩＰ ＵＲＩ（すなわち、ｊａｎｅ＠ｃｏｍｐａｎｙ．ｃｏｍ）またはインスタントメッセージング識別子を有するＶｏＩＰ電話機を使用することによるなど、インターネットベースのアドレスダイヤリングも、これが通常の電話ネットワークに対して標準でない電話番号であるため、プロファイルエンジンにより取り扱われる。外部のＬＤＡＰディレクトリを使用して、エンドポイント宛先に短い番号をマッピングしてもよい。
【０１４９】
中間キャリアは、発信する媒体のタイプに直接対応していない媒体のタイプであってもよく、さらにパス中の媒体のタイプ間でいくつかの変換があってもよい。例として、ユーザはＳＩＰを使用するＶｏＩＰキャリアを通して長距離サービスプランを購入してもよい。その長距離キャリアは、ＳＩＰユーザネームおよびパスワードを提供して、ユーザがそれらのアカウントにアクセスできるようにする。ユーザは、エイリアスサービスプロバイダに、このユーザネーム／パスワードの対を提供し、エイリアスサービスプロバイダは、エンドユーザがＶｏＩＰアカウントを利用した彼らのセル電話機から通話を行うことを望むような時に、エンドユーザに代わりそのアカウントを使用する。ルールの例としては、最小費用ルーティング、時間帯ルーティング、宛先または発信ルーティングがある。他のルールも可能である。
【０１５０】
こうして、非類似のエンドポイント識別方法および媒体方法は、媒体プロキシにより相互接続することができる。例として、ユーザはデバイス（この例においては、移動電話機）上のインターフェイスにより、“ｕｓｅｒ＠ｄｏｍａｉｎ．ｃｏｍ”のようなエンドポイント識別子を選択してもよく、“ｕｓｅｒ＠ｄｏｍａｉｎ．ｃｏｍ”は、ＳＩＰ ＵＲＩである。媒体プロキシは、媒体プロキシ上の電話中継回線に関係付けられている特定の電話番号にダイヤルするように移動電話アプリケーションに指示する。媒体プロキシは、次に、通話“レグ”を受け入れて、所定のＳＩＰ ＵＲＩに対してＳＩＰ通話“レグ”を生成させようと試みる。ＳＩＰ ＲＴＰセッションが“ｕｓｅｒ＠ｄｏｍａｉｎ．ｃｏｍ”により確立されている場合、次に、媒体プロキシが、２つの通話レグの間に媒体ストリームを中継し、通話を完成させる。
【０１５１】
自動化された発呼者ＩＤプロファイルルーティングシステム（ＡＰＲＳ） 
加入者が到来する発呼者を異なるボイスメールボックス（または異なるボイスメール挨拶を含む単一のボイスメールボックス）へ自動的にルーティングできるプロファイルを実現するようにアプリケーション３１０を構成することもできる。これはここでは自動化された発呼者ＩＤプロファイルルーティングシステム（ＡＰＲＳ）として呼ばれる。
【０１５２】
加入者ミシェルに対する例示的なプロファイルを以下に示す。プロファイルは、ボイスメールボックスに関係付けられている名前と、一般にボイスメールボックスにルーティングされる通話のタイプを記述するコメントとを含む。例えば、ボイスメールボックス１は、職業上のクライアントからの到来通話に対するものであり、一方ボイスメールボックス６は、望まれない通話（すなわち、迷惑な人々）に対するものである。それぞれのボイスメールボックスに対するボイスメール挨拶を、そのボックスに関係付けられている通話のタイプに対して、特に調整することができる。
【表４】
2008522501.tif 000006
【０１５３】
この例示的なシナリオにおいて、ユーザミシェルは、単一のインバウンド電話番号（例えば、８８８−５５５−１１１９）に対し、５つの異なるボイスメール挨拶を確立している。このシナリオは例示的であり、任意の数のインバウンド電話番号に対して任意の数のボイスメール挨拶を確立できることを理解すべきである。
【０１５４】
通話がＡＰＲＳにより受信されるとき、発呼者ＩＤを通して認識される番号が、ユーザのルーティングプロファイルに対して処理される。次にあげるものは、使用できるルーティングルールの例である。
【表５】
2008522501.tif 000007
【０１５５】
上の例において、ミシェルが、６５０−５５５−１１１１から通話を受信する場合、通話は、彼女のセル電話機、職場の電話機および自宅の電話機に対して、すべて同時に送られる。エイリアスサービスプロバイダは、加入者のセル、職場、および自宅の電話番号を規定する記録を持っている。通話が、（適正なシステム応答とともに）ミシェルにより応答される場合、そのデバイスは通話を受け取る。例えば、彼女は、彼女のセルで通話に応答する。
【０１５６】
その一方で、ミシェルがルール中の適正な応答にしたがって電話に適切に応答しない場合、通話は、ユーザのＡＰＲＳプロファイルにしたがって処理され、その番号に関係付けられている特定のボイスメールボックスにルーティングされる。このケースにおいて、ユーザは、例えば“ドクターミシェルアリソン”は電話にでることができません、メッセージを残してくださいのようなボイスプロンプトを受け取る。したがって、３０１−５５５−７１７１からの通話が受信される場合、通話はミシェルのセル電話機にルーティングされる。応答がなかった場合、ユーザは“ミシェル”は電話にでることができません、メッセージを残してくださいというメッセージを受け取る。さらに、ミシェルが、４１５−５５５−６９６９から通話を受信する場合、ミシェルに到達するための何の試みもなされず、“ＭＪ”は電話にでることができません、メッセージを残してくださいということを述べたメッセージを伴うボイスメールに、ユーザは直ちに向かうことになる。
【０１５７】
図１３は、ユーザがボイスメールメッセージにアクセスし、ボイスメールメッセージを管理することができる一連のユーザインターフェイスを示す。ボイスメールインターフェイスは、所定のプロファイルまたはグループによりグループ化されたボイスメールのリストを表示することができる。ユーザが、（ユーザインターフェイス１３１５のような）ユーザインターフェイス上で表示されたプロファイルまたはグループをクリックするとき、そのグループに対する取り損なった通話および／またはボイスメールの完全な一覧表が（例えばユーザインターフェイス１３２０中に）戻される。ユーザが、前のボイスメールを聞くことなく、例えば（図１３中のＵＩ１３２０におけるハンナからの）７番目のメッセージを聞きたい場合、ユーザはリストをスクロールダウンし、７番を選択し、再生に関係付けられている電話機上のボタンを押すことができる。さらに、ユーザが希望する場合、すべての仮想のボイスメールのコピーは、（例えば、３０，０００フィートにおける飛行機から）後に聞くためにｅメールアカウントのような予め定められた位置に転送され、あるいは、単にユーザのためにアーカイブされる。さらに、図１３中のダイヤグラムボックス１３２５および１３３０により表されるように、ｅメールアドレスまたは別の電話番号を単に入力することにより、ユーザは任意のボイスメールを転送することができる。
【０１５８】
ユーザが指定する場合、次に、特定の番号（例えば、９６８−５５５−７７３４）を（ブロックされる）リスト上に置くことができ、特定の番号は、“あなたが連絡を取った番号は、もはや使用されていません。現在どんな追加的な情報も利用できません。”に類似するメッセージを戻す。最後に、プロファイルリスト内に見出されない（ワイルドカードで表された）他のすべての通話に対して、ユーザ（すなわち発呼者）は“あなたが呼び出している人”または“あなたが連絡を取ろうとしている発呼者”は電話にでることができません；トーン後にメッセージを残してください。“ということを述べたメッセージを受け取る。
【０１５９】
ＡＰＲＳシステムも、インバウンドおよびアウトバウンドベースの両方においてダイレクトＩＰ（すなわちインターネットプロトコル）番号に対応することができる。上の例において、ミシェルが、ＳＩＰ ＵＲＩ“ｊａｎｅ＠ｃｏｍｐａｎｙ．ｃｏｍ”から通話を受信する場合、発呼者はミシェルの職場の番号だけに転送される。ミシェルの職場の番号による何らの応答もない場合、発呼者は仕事関連の通話に特に適したボイスプロンプトを受け取る。プロンプトは、例えば、“ドクターミシェルアリソンは、電話にでることができません、あなたの名前および番号を残してください、そうすれば彼女は通常の仕事時間内にあなたに電話をかけなおします、これが緊急の場合、９１１を呼び出してください。”ということを述べることができる。
【０１６０】
ＡＰＲＳは、誰が加入者（例えば、ミシェル）を呼び出そうとしているかを加入者に通知するように構成されている。加入者は、次に通話を受け取るまたは単にそれを拒否する能力を持っている。加入者が通話を拒否する場合、通話はボイスメールシステムに押しやられる。ユーザが通話を受け取ることを決めた場合、ユーザが現在使用中のデバイスが通話を受け取る。さらに、ユーザが通話を受け取ることを決めた場合、上述したように、彼／彼女は、彼／彼女が通話を受け取るときに電話回線にバックグラウンドノイズ（またはきたならしいノイズ）を加えることが可能である。ミシェルは自宅から通話を受け取ることを決めたが、彼女は自分がまだ病院にいることを発呼者に信じさせるために、通話に彼女のデフォルトの病院バックグラウンドノイズを付加したいような例があるかもしれないし、または別のユーザは、彼／彼女が実際ゴルフコース上にいるとき、会議センターバックグラウンドノイズを付加するかもしれない。システムにより、ユーザは通話を受け取り、全部の会話（またはその一部分）を録音することもできる。作成される何らかの録音物を（彼らのｅメールアドレスがシステムに知られている場合）加入者および／または発呼者にｅメールで返すことができる。
【０１６１】
上のルールは例示であり、到来する通話をルーティングするために、さまざまなルールのうちの任意のものを実現するようにＡＰＲＳを構成できることを理解すべきである。例えば、ＡＰＲＳプロファイルは他のパラメータに基づいて通話をルーティングさせることもでき、それらのパラメータは、時間帯、ユーザステータス、物理的位置、および（代理人のような専門的職業に対する）アカウント番号のようなものである。この最後のシナリオにより、何らかの正当なクライアントは、緊急のケースでは昼夜を問わず、自宅にいる代理人にコンタクトできるようになる。ルーティングのためのトリガは、例えばクライアントのアカウント番号であってもよい。
【０１６２】
異なるボイスプロンプトを伴う１つ以上のボイスメールボックスに、同一の番号に対する複数の通話を条件付でルーティングさせることに加えて、システムは、１つ以上のボイスプロンプトを伴う１つのボイスメールボックスに複数の電話番号をルーティングさせることもできる。これにより、（ミシェル）のような上記のユーザは、上記のプロファイリングシステムにより彼女の自宅、セルおよび職場の番号をスクリーニングさせることができる。ＡＰＲＳにより、同一のインバウンド発呼者ＩＤ番号は、同一の方法でプロファイルすることができ、同一のインバウンドユーザによりダイヤルされた番号に関係なく、すべてのメッセージを同一のボイスメールボックスに入れることができる。
【０１６３】
バックグラウンドノイズ 
言及したように、エイリアスサービスプロバイダは、通話にバックグラウンドノイズを挿入するように構成されているので、被呼者は通話の間、発呼者の音声へのバックグラウンドとしてバックグラウンドノイズを聞く。バックグラウンドノイズは変更することができる。例えば、バックグラウンドノイズは、発呼者がセル電話から呼び出しているかのように思わせることができ、静的ノイズを提供することができ、発呼者が外にいるように思わせるために、“外の”ノイズを提供することなどができる。
【０１６４】
何らかのタイプのバックグラウンドノイズを使用して、発呼者が、ある位置またはある環境から呼び出しているように思わせることができる。例えば、エイリアスサービスプロバイダは、一般的に病院、飛行場、またはコンベンションセンターに関係付けられているバックグラウンドノイズを挿入することができる。エイリアスサービスプロバイダは、予め可能な選択を備えたバックグラウンドノイズデータベース１８３（図４）を維持することができる。代わりに、加入者は、彼の／彼女のＰＣまたは電話機１１０から（図４中に見られるように）バックグラウンドノイズデータベース１８３に対して彼の／彼女の所有のバックグラウンドノイズをアップロードしてもよい。
【０１６５】
図１４は、通話に対するバックグラウンドノイズを構成するための一連の例示的なユーザインターフェイスを示す。バックグラウンド音マネージャーインターフェイス１４１５は、識別マネージャーインターフェイス１４１０からアクセスされる。インターフェイス１４１５は、もしあるならば、通話に対してバックグラウンドノイズを構成するために選択できる機能のメニューをユーザに提示する。例えば、インターフェイス１４２０は、バックグラウンドノイズのタイプを選択するために使用でき、一方でインターフェイス１４２５はバックグラウンドノイズを構成する。バックグラウンドノイズは、エイリアスサービスプロバイダ内に記憶され、インバウンドおよびアウトバウンドの両方の通話に対して使用してもよい。
【０１６６】
高度メッセージ通知（ＡＭＮ） 
アプリケーション３１０または１８５は、高度メッセージ通知（ＡＭＮ）と呼ばれる機能を実現するようにも構成される。ＡＭＮにしたがうと、アプリケーションは、通話またはボイスメールが予め定められた発呼者から到着するとき加入者に通知する。これにより加入者は、新規のボイスメールがいつ到着したかを知り、どんな発呼者が加入者に転送されているか（発呼者ＩＤ機能により）通知を受けることができる。
【０１６７】
ＡＭＮシステムは、上述のように、優先メッセージが到着したことをＡＰＲＳシステムのデフォルトプロファイルに基づいて加入者に通知することもできる。すなわち、ミシェルのデートプロファイル上の誰かからのすべての通話が常にミシェルの仮想ボイスシステムに直接行くとしても、ミシェルは、自動応答システムあるいはテキストメッセージまたはｅメールシステムを通して、このような通話をちょうど受信したという通知を受けることができる。第２に、これと同一の機能を使用して、生の転送通話の名前または他の属性を明らかにすることができる。このケースにおいて、ＡＰＲＳシステムは、発信している発呼者に属する発呼者ＩＤ情報に対して追加情報を後ろに付けたり、または前に付けたり（あるいは完全に置換したり）することができる。最後に、ＡＭＮシステムは発呼者ＩＤ情報を、予め定められたしるしに置換してもよい。例えば、ＡＭＮシステムは、ミシェルが人の実名の代わりに“ボーイフレンド”からボイスメッセージをちょうど受け取ったことを加入者ミシェルに通知することができる。
【０１６８】
ボイスメールおよび通話追跡（ＣＴ） 
アプリケーション３１０または１８０は、ボイスメールおよび通話追跡（ＣＴ）エンジンを含み、ボイスメールおよび通話追跡エンジンによりアプリケーションは、従来のセル電話機が今日、インバウンド、アウトバウンド、取り損なった通話およびボイスメールを追跡するのと同様の方法で、加入者に割り当てられた他の番号に対するリモート通話を追跡できる。１つの例示的な相違は、アプリケーション３１０により、そのセル電話機に直接割り当てられていない１つの（またはそれより多い）リモート電話番号に対するこの情報を加入者が見ることができることである。これにより、ミシェルは、彼女のデートメールボックス中に６９のボイスメールがあり、電話番号“９２６−５５５−４４４４”から６つの取り損なった通話があることが分かるようになる。ＣＴエンジンは、利用可能な時ベースでワイヤレスネットワーク接続を通してアプリケーション３１０と通信する。
【０１６９】
ダイヤルインサービスのための存在ダイヤリングおよび近接ベースの予測ダイヤリング 
加入者が、加入者の物理的位置および／または時間帯（または曜日）に基づいて通話を無視するために彼のまたは彼女のプロファイルをセットできるように、アプリケーションは構成される。特定の通話を無視するための基準は、加入者に関係付けられているデータベース中に規定することができ、そのデータベースはエイリアスサービスプロバイダに存在する。代わりに、アプリケーションは、さまざまな基準に基づいて加入者に対して異なるバージョンの加入者プロファイルデータベースを使用するように構成され、さまざまな基準は、時間帯、加入者の位置、一年の時期、などのようなものである。
【０１７０】
例えば、例示的な加入者ジェフは、彼が、彼の物理的な職場または自宅の位置に近づいているときはいつでも、彼のプロファイル内にあるすべての通話（または選択的な通話）が、１つ以上の彼の電話番号を通して彼に到着することを制限することができる。図５中に表示されているように、電話機内にあるアプリケーションは、よく知られている位置の追跡方法およびデバイスを使用して、加入者の物理的な位置を追跡する。加入者が、既知の位置に近づくとき、加入者の制御内にあるダイヤリングプロファイルを変更してもよい。
【０１７１】
さらに、存在（すなわち位置）により通話を制御する能力は、標準データベース、日付タイマー、または関連したアプリケーションに結び付けることができる。最後に、“存在ダイヤリング”機能により、例示的な加入者ジェフが、彼の現在の場所の１マイルの半径（または他の何らかの距離）内に現在いる彼のコンタクトベース内の誰か（または皆）に通話をしたり、またはテキストメッセージを送ったりすることができる。この形態の存在ダイヤリングは、デートをしている人々に、または互いの現在の近接性に基づいて通信したいその場限りのグループに役に立つものとして構想されている。
【０１７２】
エイリアスサービスプロバイダにアクセスするために、加入者の電話機は、サービスプロバイダに関係付けられているサービス番号を呼び出すことができる。１つの観点において、アプリケーション３１０は、アプリケーションがエイリアスサービスプロバイダにダイヤルする前に、最も効率的な（例えば、物理的、または金銭的な観点のどちらから）ダイヤルインサービス番号を位置付けるように構成される。アプリケーション３１０は、（図５中に表示されるように）通常のセルラータワーの三角測量により、またはＧＰＳ（または補助的なＧＰＳ）ポジショニングの一般的な方法を通して、このようなタスクを実行する。いったんセル電話機の位置が決定されると、ルックアップテーブルが、アプリケーションによりアクセスされ、電話機が呼び出すのに最も近いダイヤルインの位置を識別するために使用され、こうしてユーザに対する地域および長距離による料金が軽減される。
【０１７３】
システムにより、ユーザは番号のリストからダイヤルイン番号を選択することができることを理解すべきである。図５中の例において、ジェフのセル電話機は、メンローパーク中の最も近いダイヤルインサービスを正確に位置付ける。最も近いダイヤルイン施設を自動的に位置付けるこの機能により、例示的な加入者ジェフは、どの施設が彼の位置に最も近いかを推測することから免れる。さらに、この自動化された位置サービスによりジェフは、実際にローカルダイヤルイン番号を持っているサービスに到達するための長距離電話番号を潜在的にダイヤリングすることからも免れる。このサービスにより、長距離費用を節約できる。
【０１７４】
グループ会議通話でのように、加入者はグループ通話をダイヤルしてもよいが、加入者からある距離以上に位置付けられているすべての番号を制限または限定する。図５中で、例えばジェフ（加入者）は、マーシー、ミシェルおよびアリソンを含むグループ１と会議通話を開始し、ジェフは１マイルの半径の制限が通話に関係付けられるべきであることを指定した。ジェフは１マイルの半径を選択したので、ミシェルおよびアリソンだけが通話に接続された。マーシーは、１マイルの半径の外側におり、それでアプリケーション３１０は自動的に通話からマーシーを除外する。
【０１７５】
電話機内にあるアプリケーション３１０は、ワイヤレスネットワーク接続に対してその場限りのベースで、ローカルダイヤルイン電話番号を選択的に引き出すことに着目すべきである。利用できるメモリおよびユーザの選択次第で、アプリケーション３１０は、より多くの、またはより少ない番号をダウンロードしてもよい。
【０１７６】
最後に、アプリケーションは、料金無料番号のような代替デフォルトダイヤルイン番号、あるいは、ローカルサービスが利用できるかもしれないまたは利用できないかもしれない特定の国におけるデフォルト番号を含んでいてもよい。
【０１７７】
図１５は、近接ベースのダイヤリングパラメータおよび他の構成パラメータをセットアップするための例示的な一連のユーザインターフェイスを示す。開始ユーザインターフェイス１５１０は、付加的なユーザインターフェイスに至る選択可能なメニューアイテムを含み、それらのユーザインターフェイスは、パスワードマネージャーインターフェイス、スケジュール設定されたバックアップインターフェイス１５２０、ならびに接続タイプインターフェイス１５２５および１５３０のようなものである。
【０１７８】
最も近いダイヤルインポイントにユーザを接続するために、システムによりユーザは最も近いダイヤルインの位置を選択したり、または電話機内のＡＧＰＳ（またはＧＰＳ）を起動させて、最も近いダイヤルインポイントを自動的に見つけるように指定したりすることができる。簡単なタワー番号が利用できる状況では、システムはこのパラメータを使用して最も近いダイヤルインポイントを見つけることもできる。これは、電話機（またはセルラーネットワーク）中のＧＰＳポジショニングを使用するほど正確ではないが、ほとんどのケースにおいて、電話機が呼び出すための位置番号を見つけるのにほぼ十分である。
【０１７９】
別の実施形態において、エイリアスサービスプロバイダシステムにより加入者は、世界中のどこででもコールバックされ、セッションの制御を被呼者に転換することができる。通話が応答されるとき、システムは予め録音されたメッセージを再生することができる。このメッセージは、（例えば、交換機を通してあなたのホテルの部屋を呼び出しているとき）特定の人に対して、または、このメッセージは被呼者に制御を渡すために被呼者に安全パスコードを要求してもよい。この時点で、ユーザはまるで彼／彼女が直接呼び出されたかのようにメインシステムに接続が戻されるが、これに関係する費用はかからない。
【０１８０】
緊急サービス終了（ＥＯＳ）オプション 
加入者は、彼の電話機内にあるアプリケーション３１０を通して、またはエイリアスサービスプロバイダにダイヤルすることを通して、緊急サービス終了（ＥＯＳ）オプションをオンさせてもよい。ＥＯＳオプションにより、加入者の電話機が、この電話番号が解約され、またはサービスを受けるのを止めたという印象を（すべての発呼者、または選択されたグループの発呼者だけ、または知られていない発呼者だけのような）予め定めらた発呼者に直ちに与える。この機能により、加入者は、一時的なベースで彼が特定の電話番号を使用していたというすべての証拠をすぐに除去することができる。
【０１８１】
スポンサ付通話広告 
加入者が実際に電話通話を完了する前に、彼／彼女はダウンロードされた広告を聞くためのオプションを持ってもよく、エイリアスサービスプロバイダが、加入者の電話機に広告をダウンロードする。加入者が広告全体を聞くことを選ぶ場合、広告主は加入者の通話の費用または加入者の通話の一部の費用を負担してもよい。広告が聞かれたことを確認するために、加入者は、広告の間放送されたコード、または製品または広告自体の内容に広告を関係付けさせる他の確認方法をタイプ入力する必要があるかもしれない。このタイプの広告は、アウトバウンド通話上に存在してもよく、これは、加入者からの通話を完全に接続する前に広告を聞くように被呼先に要求する。
【０１８２】
バナー広告 
アプリケーション３１０はアプリケーションが利用されている間、何らかのの形態のバナー広告を使用してもよい。これらのバナー広告は定期ベースでワイヤレスネットワーク接続を通して電話機にダウンロードされる。ユーザの位置がＧＰＳまたは他の手段により知られている場合、ユーザの現在の場所に広告をローカル化してもよい。アプリケーション３１０は、バックグラウンドスクリーンマネージャー（例えば、壁紙アプリケーション）として動作してもよく、ダウンロード可能な広告をデフォルトのスクリーンバックグラウンドとして表示でき、または電話機が使用されている間、人のセル電話機の外側の窓に広告（アイコンを含んでもよい）を表示させてもよい。いったん、ユーザが彼の／彼女の電話機をウォーキングビルボードに事実上入れることに同意すると、広告主（例えば、ナイキ）は、ユーザの電話料金の一部に対して、進んで支払いをするかもしれない。（注意：折りたたみ型電話機上では、広告主は、人が歩き回っている間は、より小さい外側の窓上に広告を出し、電話機が開かれているとき、メインスクリーン上により大きな広告を出すことが可能である。
【０１８３】
確認システム（ＶＳ） 
エイリアスサービスプロバイダは、確認システム（ＶＳ）機能を使用してもよく、確認システム機能により、いやがらせの、またはさもなければ望ましくない最近の電話通話に疑いをもっている被害者は、彼らがエイリアスサービスプロバイダシステムからの何らかの通話を受信したか否かを確認することができる。例えば、保険会社の人間であることを装う人からのいくつかの電話通話を電話機１１５が受信した場合、電話機１１５のオペレータは、エイリアスサービスプロバイダの加入者が、ある期間内に電話機１１５を呼び出したかどうかをチェックするためにエイリアスサービスプロバイダシステムのうちの１つを呼び出すことができる。電話機１１５のオペレータはエイリアスサービスプロバイダの加入者である必要はないことに注意すべきである。この機能は、個人が代替の識別子を使用する誰かによりコンタクトされたかを容易に彼らに知らせるものである。要求している当事者が、彼らがチェックを希望している電話番号に本当に位置付けられているかを確認するために、システムは、要求後直ちに要求者にダイヤルし直す。エイリアスサービスプロバイダはこのルックアップ要求に手数料を関係付けてもよい。法執行機関に利用可能にされた同一結果に問い合わせする自動方法がある。エイリアスサービスプロバイダは、“ブラックリスト”を生成させ、この“ブラックリスト”は、グローバルベースで（すべてのユーザに渡って）識別子が修正された通話がある番号に到達することを禁止してもよい。このブラックリストは、中央アービターにより管理されてもよく、または、個人により修正されてもよい。
【０１８４】
エイリアス電話番号確認（ＡＰＮＶ） 
ＳＶＳシステムと同様に、番号が加入者の利用できるアウトバウンド通話ディレクトリに加えられることを許す前に、加入者が特定の電話番号に対して権限を持っているかを確認するようにＡＰＮＶシステムが設計されている。例えば、加入者１１０がアウトバウンドダイヤリングのために彼の／彼女のエイリアスリストに別の電話番号１１５を加えたい場合、システム（すなわちアプリケーション１８５）は、データベース内でその番号を起動させるのに使用するパスコードを加入者１１０に発行する。いったんパスコードが加入者に割り当てられると、システムは通話を終了させ、要求された（１１５）番号をリダイヤルする。電話に応答するに際して、加入者は、ある数の試行内に正しいパスコードを入力しなければならず、さもないと、番号は加入者の通話リストに加えられない。いくつかのケースにおいて、加入者は、確認通話が行われるとき、彼／彼女が物理的に電話機のところにいるようにするために、コールバック時間またはコールバック遅延を要求してもよい。
【０１８５】
名前ディレクトリルックアップ（ＮＤＬ） 
エイリアスサービスプロバイダは、名前ディレクトリルックアップ（ＮＤＬ）機能を実現することもできる。ＮＤＬ機能にしたがうと、ユーザはセル電話機アプリケーション３１０内にある名前をルックアップし、アプリケーション３１０は、一般的なイエローページエンジンあるいは顧客またはプライベート電話ディレクトリに接続することができる。１つの例において、ＮＤＬ１８２エンジンは、小さい地域社会における在住者に関する情報を含んでもよい。いったん、エンドネームが選ばれると、電話機は電話番号を読み取り、自動的に番号をダイヤルする。このケースにおいて、電話機は電話機を通して、あるいはエイリアスサービスプロバイダまたは別のローカル長距離プロバイダを通して、直接的に番号をダイヤルすることができる。
【０１８６】
ＮＤＬ１８２エンジンの別の実施形態において、人々または会社は、それら自身、自己登録することができる。これは、標準のイエローページアプリケーションと同様であるが、ユーザおよび会社はそれら自身、自己で登録する。このシステムは、１つより多いＮＤＬエンジンまたはデータベース１８２を含んでもよい。デートのような特別のアプリケーションに対して、さまざまなＮＤＬデータベースを使用してもよい。追加、削除および変更も、ユーザまたは会社により制御される。
【０１８７】
自動化されたＥＮＵＭ 
エイリアスサービスプロバイダは、自動化されたＥＮＵＭ機能を実現するようにも構成される。自動化されたＥＮＵＭシステムにより、加入者がＥＮＵＭデータベースに対して呼び出されている番号を自動的に確認して、この番号が対応するＶｏＩＰサービスまたは電話番号を持っているかどうか識別することができる。ＶｏＩＰアドレスが存在するケースでは、通話は、ＶｏＩＰプロトコルにより処理される。ＥＮＵＭテストが失敗した場合、電話通話はエイリアスサービスプロバイダを通して通常の電話として処理される。ＥＮＵＭは、ＩＥＴＦ文書のＲＦＣ番号２９１６で指定されている。
【０１８８】
選択的なドーントディスターブ（ＤＮＤ） 
選択的なドーントディスターブ（ＤＮＤ）機能にしたがうと、アプリケーション３１０は、到来通話に関係付けられているデータに基づいてドーントディスターブステータスがセットされるように電話機を構成する。こうして、ＤＮＤを個人ベースでセットすることができる。ドーントディスターブ機能をサポートする通常のセル電話機およびＶｏＩＰ電話機は、ある期間の間すべての通話にこの機能を適用する。エイリアスサービスプロバイダにより、ユーザは（加入者のプロファイルにより）選択的にＤＮＤ機能をセットすることができる。例において、ミシェルは、ある時間帯の間または彼女の存在／位置が変化するときはいつでも、あるクラスの通話（すなわち選択された発呼者からの通話）に対してＤＮＤ機能を選択的にオンすることができる。
【０１８９】
図１６は、選択的なドーントディスターブ機能を管理するために使用できる一連のユーザインターフェイスを示す。開始ユーザインターフェイス１６１０は、ドーントディスターブマネージャーインターフェイス１２１５に至るメニューアイテム“６”を含んでいるメニューアイテムを含む。ドーントディスターブマネージャーインターフェイス１６１５は、プロファイル全体ベースでまたはプロファイル内にある個人の番号に対して、ドーントディスターブモードをセットすることができるプロファイルのリストを表示する。こうして、ユーザは、１つ以上のプロファイルをドーントディスターブモードに選択的に入れることができる。これは、時間により、または他のプリセット条件により手動によりまたは自動的に実施することできる。
【０１９０】
何らかのプロファイルが起動されるとき、ユーザは、無効セッティングをセットアップする能力を有し、無効セッティングにより、ブロックされた（または、一時的にブロックされた）プロファイルまたはグループにおける個人がこのモードをバイパスし、まるでユーザがブロックグループの一部ではないかのように所望の電話機／番号を鳴らすことができる。
【０１９１】
さらに、無効フラグは（現在イネーブルされているが）無効ステータス内の任意のユーザに対して警告（またはプロンプト）を再生させて、セル電話ユーザが現在ドーントディスターブモード中であることをユーザに伝えてもよい。システムは単に発呼者に警告したり、発呼者がまだ被呼者に接続されることを希望しているかどうかを発呼者に尋ねたりしてもよい。
【０１９２】
ユーザが、すべての呼び出しているプロファイルを一度にブロックできるグローバルなセッティングが存在してもよいし、またはユーザが個人ベースでそれぞれの個人プロファイル（または指定された発呼者ＩＤ）をブロックしてもよい。
【０１９３】
エイリアス通信プロトコル（ＡＣＰ） 
アプリケーション３１０（図３Ａ）は、（セルラー接続を含む）一般的な電話回線１６１に対するトーンベースのプロトコルを通して、あるいは、ＴＣＰ／ＩＰのようなプロトコルまたは同様なプロトコルを使用してワイヤレスネットワーク接続１６２によりエイリアスサービスプロバイダ１８０と接続を確立してもよい。
【０１９４】
とにかく、すべてのアプリケーション（例えば、３１０、３２５、１４５、１８１、１８２、１８３、１８４、１８５、など）間を含んでいる、加入者１１５とエンドユーザ１１０との間の上記で参照したすべての形態の通信は、１つ以上の通話を実行するために電話回線１６１またはワイヤレスネットワーク接続１６２のどちらかを使用してもよい。いくつかのケースにおいては、接続の両方の形態が同時に使用されてもよい。
【０１９５】
後者の例としては、１０の方式の会議通話を発生させる加入者１１５があり、アプリケーション３１０は、ワイヤレスネットワーク接続１６２によりエイリアスサービスプロバイダ１８０に接続して通話セットアップパラメータを確立し、次に、エイリアスサービスプロバイダ１８０は、通話を完成するために電話回線（またはワイヤレス電話接続）１６１により加入者１１５と戻りの通信をする。
【０１９６】
別の実施形態において、通話セットアップの要求がより少ない場合、アプリケーション３１０は一般的な電話回線１６１（またはセルラー接続）に対し、通話セットアップ全体およびダイヤリングプロセスを完成してもよい。このケースでは、トーンベースのハンドシェークプロトコルが使用される。
【０１９７】
最後に、図２Ｂ内で見出されるステップの大多数は、いくつかのケースにおいて、加入者のアプリケーション３１０またはコンタクトデータベース３１５の代わりに、エイリアスサービスプロバイダのシステム内に単に存在してもよいことを理解すべきである。例えば、加入者１１０が公衆電話機から別の加入者１１５を呼び出す場合、加入者はサービスにログインして、彼／彼女が通話したい加入者１１５にダイヤルすることだけが要求されてもよい。この実施形態において、システムは単に、被呼者１１５に対する加入者のプロファイル内で見出される通話セットアップのデフォルト値を使用する。
【０１９８】
通話費用マネージャー 
エイリアスサービスプロバイダは通話費用マネージャー機能を提供し、通話費用マネージャー機能により、ユーザが電話機に電話番号を入力し、エイリアスサービスプロバイダが通話を実現するための提示料金を受信することができる。実際に番号をダイヤルする代わりに、その時点で通話がどのくらい費用がかかっているかに基づいて、システムは自動的に電話通話の価格を決定する。さらに、システムは、通話１分当たりの料金および正確な期間中の通話に対する見積（または正確な）価格を決定する。通話の開始／終了時間、時間帯、基礎となるネットワーク、品質の選択、および他の何らかの通話の特性（サービスプロバイダにより提供されるサービスを含む）が、価格の見積に含まれてもよい。
【０１９９】
発明の多数の実施形態を説明した。しかしながら、発明の精神および範囲から逸脱することなく、さまざまな修正が行われてもよいことが理解される。したがって、他の実施形態も開示の範囲内である。
【図面の簡単な説明】
【０２００】
【図１Ａ】図１Ａは、本開示にしたがってネットワークに通信可能に接続されたデバイス間の通信を可能にする電気通信ネットワークの例示的な実施形態の高レベルな概略図を示す。
【図１Ｂ】図１Ｂは、電気通信デバイスに到来する通信を取り扱うための例示的なスキームを図示する概略図を示す。
【図１Ｃ】図１Ｃは、電気通信デバイスからのアウトバウンド通信を取り扱うための例示的なプロセスを図示する概略図を示す。
【図１Ｄ】図１Ｄは、エイリアスサービスプロバイダによりアウトバウンド通信を開始するための代替方法を記述するフローチャートを示す。
【図１Ｅ】図１Ｅは、エイリアスサービスプロバイダによりアウトバウンド通信を開始するための代替方法を記述するフローチャートを示す。
【図１Ｆ】図１Ｆは、エイリアスサービスプロバイダによりアウトバウンド通信を開始するための代替方法を記述するフローチャートを示す。
【図１Ｇ】図１Ｇは、ユーザ選択式の通話を実施できる電気通信ネットワークの例示的な実施形態を示す。
【図２】図２は、エイリアスサービスの加入者が発呼者構成システムにしたがって被呼者に提供される情報を構成できるようにする例示的な方法を表すフロー図を示す。
【図３Ａ】図３Ａは、電話機上に存在するアプリケーションおよびコンタクトデータベースを装備した例示的なワイヤレス電話機を示す。
【図３Ｂ】図３Ｂは、インバウンドフィルタデータベースの例示的な構成を示す。
【図３Ｃ】図３Ｃは、アウトバウンドフィルタデータベースの例示的な構成を示す。
【図４】図４は、本開示にしたがって選択式の通話構成を実施できる電気通信ネットワークの別の例示的な実施形態を示す。
【図５】図５は、近接ベースの予測ダイアリングシナリオの概略表示を示す。
【図６】図６は、エイリアスサービスの加入者が発呼者構成システムにしたがって被呼者に提供される情報を構成できるようにする例示的な方法を表示するフロー図を示す。
【図７Ａ】図７Ａは、エイリアスサービスのためにルールエンジンを規定する例示的な一連のユーザインターフェイスを示す。
【図７Ｂ】図７Ｂは、エイリアスサービスプロバイダの年齢確認機能に関する例示的なフロー図を示す。
【図８】図８は、送出通話に対してユーザに提供される構成情報を実現するために電話機のディスプレイスクリーン上で示すことができる一連の例示的なユーザインターフェイスを示す。
【図９】図９は、送出通話に対してユーザに提供される構成情報を実現するために電話機のディスプレイスクリーン上で示すことができる一連の例示的なユーザインターフェイスを示す。
【図１０】図１０は、電話機のユーザが複数方式の会議通話を開始できるようにする例示的な一連のユーザインターフェイスを示す。
【図１１】図１１は、通話プロファイルまたはグループに関係する受信される通話にしたがってグループ化することができる通話履歴情報を表示する通話履歴マネージャーに対する例示的なユーザインターフェイスを示す。
【図１２】図１２は、プロファイルをセットアップおよび管理するために使用できる一連の例示的なユーザインターフェイスを示す。
【図１３】図１３は、ユーザがボイスメールメッセンジャーにアクセスし、管理できるようにする一連のユーザインターフェイスを示す。
【図１４】図１４は、開示システムにより実現される通話に対するバックグラウンドノイズを構成するための一連のユーザインターフェイスを示す。
【図１５】図１５は、近接ベースのダイヤリングパラメータをセットアップするための例示的な一連のユーザインターフェイスを示す。
【図１６】図１６は、選択的なドーントディスターブ機能を管理するために使用できる一連のユーザインターフェイスを示す。
【図１７】図１７は、インバウンド通話に対するフィルタの実現を例示する概略図である。
【図１Ａ】
2008522501.tif 000008
【図１Ｂ】
2008522501.tif 000009
【図１Ｃ】
2008522501.tif 000010
【図１Ｄ】
2008522501.tif 000011
【図１Ｅ】
2008522501.tif 000012
【図１Ｆ】
2008522501.tif 000013
【図１Ｇ】
2008522501.tif 000014
【図２】
2008522501.tif 000015
【図３Ａ】
2008522501.tif 000016
【図３Ｂ】
2008522501.tif 000017
【図３Ｃ】
2008522501.tif 000018
【図４】
2008522501.tif 000019
【図５】
2008522501.tif 000020
【図６】
2008522501.tif 000021
【図７Ａ】
2008522501.tif 000022
【図７Ｂ】
2008522501.tif 000023
【図８】
2008522501.tif 000024
【図９】
2008522501.tif 000025
【図１０】
2008522501.tif 000026
【図１１】
2008522501.tif 000027
【図１２】
2008522501.tif 000028
【図１３】
2008522501.tif 000029
【図１４】
2008522501.tif 000030
【図１５】
2008522501.tif 000031
【図１６】
2008522501.tif 000032
【図１７】
2008522501.tif 000033
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
エンドユーザの通信を制御する方法において、
中間媒体プロキシにおいて通信信号を受信し、前記通信信号は、前記中間媒体プロキシから分離したエンティティにより制御される少なくとも１つの電気通信ネットワークに関してインバウンドまたはアウトバウンドであることと、
前記通信信号を制御し、前記制御は、前記少なくとも１つの電気通信ネットワークを制御するエンティティにより制定される制限から独立していることとを含む方法。
【請求項２】
前記通信信号が、どのように制御されるかを規定する１組のフィルタを管理することをさらに含む請求項１記載の方法。
【請求項３】
前記通信信号を制御することは、インバウンドまたはアウトバウンド通信信号に識別子を割り当て、前記識別子は、前記少なくとも１つの電気通信ネットワークを制御するエンティティにより割り当てられる識別子とは異なっている請求項１記載の方法。
【請求項４】
前記通信信号は、電話通話であり、前記識別子は、発呼者識別子である請求項１記載の方法。
【請求項５】
前記識別子は、プロファイルに含まれる予め定められたルールに基づいて割り当てられる請求項３記載の方法。
【請求項６】
前記通信信号を制御することは、前記通信信号にバックグラウンドノイズを関係付けることを含む請求項１記載の方法。
【請求項７】
エンドユーザに少なくとも１つのエイリアスアドレスを割り当てることをさらに含み、前記少なくとも１つのエイリアスアドレスは、通信リンクが確立できるネットワーク位置を示し、前記中間媒体プロキシは、前記少なくとも１つのエイリアスアドレスに関連する通信を制御する請求項１記載の方法。
【請求項８】
前記少なくとも１つのエイリアスアドレスが、エイリアス電話番号を含む請求項７記載の方法。
【請求項９】
複数のエイリアスアドレスがエンドユーザに割り当てられ、通信がエイリアスアドレス上で受信されるとき、エンドユーザに通知を提供することをさらに含み、前記通知は、通信が受信されるエイリアスアドレスを識別する請求項７記載の方法。
【請求項１０】
少なくとも１つのエイリアスアドレスに関連があるプロファイルを管理することをさらに含み、前記プロファイルは、通信がプロファイルにおけるエイリアスアドレスに関して受信されるとき実行される１つ以上の動作を規定する請求項７記載の方法。
【請求項１１】
前記通信信号は、第１の通信プロトコルのアウトバウンド通信信号であり、目標アドレスに方向付けられており、
目標アドレスと通信リンクを確立することをさらに含み、前記通信リンクは、前記第１通信プロトコルとは異なる第２の通信プロトコルである請求項１記載の方法。
【請求項１２】
前記エイリアスアドレスは、予め定められた期間後に失効する請求項７記載の方法。
【請求項１３】
前記通信信号に関係付けられるべきことが決定されたパラメータに基づいて前記通信信号の制御を変更することをさらに含む請求項１記載の方法。
【請求項１４】
前記パラメータは、通信信号の発信者に関連し、前記パラメータは、年齢ならびに配偶者の有無およびネガティブフィードバックデータを含む請求項１３記載の方法。
【請求項１５】
インバウンド通信信号が受信され、前記インバウンド通信信号は、もともと第１のアドレスに方向付けられており、
第２のアドレスに前記インバウンド通信信号を再方向付けすることと、
前記インバウンド通信信号が、前記第２のアドレスに再方向付けされたことをエンドユーザに通知することとをさらに含む請求項１記載の方法。
【請求項１６】
アウトバウンド通信信号が受信され、前記アウトバウンド通信信号は、前記アウトバウンド通信信号を発信したハンドセット上で指定された宛先アドレスに関係付けらており、
前記ハンドセット上で指定された宛先アドレスとは異なる宛先アドレスに、前記アウトバウンド通信信号を方向付けることをさらに含む請求項１記載の方法。
【請求項１７】
エンドユーザが前記中間媒体プロキシにデータをアップロードし、前記データは、前記中間媒体プロキシがどのように前記通信信号を制御するかを規定する請求項１記載の方法。
【請求項１８】
前記通信信号が、エンドユーザにより制御される第２の通信デバイスによる受信のための信号を送信した第１の通信デバイスから受信され、
前記第１の通信デバイスのユーザに関係し、前記第１の通信デバイスのユーザにより選択された情報にしたがい前記第１の通信デバイスと前記第２の通信デバイスとの間に通信リンクを確立することをさらに含む請求項１記載の方法。
【請求項１９】
インバウンド通信信号が受信され、前記インバウンド通信信号は、実際の発信アドレスから発信されており、
前記エンドユーザに前記インバウンド通信信号を方向付けることと、
実際の発信アドレスとは異なる発信アドレスを前記エンドユーザに提供することとをさらに含む請求項１記載の方法。
【請求項２０】
エンドユーザの通信を制御する方法を実行するためのコンピュータ読取り可能なデータを備えたコンピュータ読取り可能媒体において、前記方法は、
中間媒体プロキシにおいて通信信号を受信し、前記通信信号は、前記中間媒体プロキシから分離したエンティティにより制御される少なくとも１つの電気通信ネットワークに関してインバウンドまたはアウトバウンドであることと、
前記通信信号を制御し、前記制御は、前記少なくとも１つの電気通信ネットワークを制御するエンティティにより制定される制限から独立していることとを含むコンピュータ読取り可能媒体。
【請求項２１】
中間媒体プロキシにおいて、
電気通信ネットワークに通信可能に結合された電気通信機器を具備し、前記電気通信機器は、前記ネットワークを通してネットワーク通信信号を受信するように構成され、前記中間媒体プロキシにより、エンドユーザの通信デバイスまたは通信サービスプロバイダにより制定された制限と無関係に、前記ネットワーク通信信号のパラメータ、動作および識別子を、エンドユーザが制御できる中間媒体プロキシ。
【請求項２２】
会議通話を確立する方法において、
会議通話の２以上の参加者を識別することと、
前記２以上の参加者のそれぞれに会議通話通知を提供し、前記会議通話通知は、前記会議通話の発信者を記述する識別子を含むことと、
前記通知を受信するそれぞれの参加者に対して前記識別子を変更することとを含む方法。
【請求項２３】
前記識別子が発呼者ＩＤである請求項２２記載の方法。
【請求項２４】
前記会議通話通知がプロファイルに基づいて自動的に提供される請求項２２記載の方法。
【請求項２５】
前記プロファイルは、前記会議通話のために識別された前記参加者に基づいて変更するルールを含む請求項２４記載の方法。
【請求項２６】
ユーザが、前記２以上の参加者を識別し、それぞれの参加者に対する識別子を識別できるようにするグラフィカルユーザインターフェイスを表示することをさらに含む請求項２２記載の方法。
【請求項２７】
前記２以上の参加者がアドレスデータベースを使用して識別される請求項２２記載の方法。
【請求項２８】
会議通話を開始する方法において、
ハンドセット上にグラフィカルユーザインターフェイス（ＧＵＩ）を提示することを含み、前記ＧＵＩは、会議通話の参加者を提供する少なくとも１つのフィールドおよび前記会議通話の参加者への通知において提供される発信識別子を提供する少なくとも１つのフィールドを含み、前記発信識別子は、前記会議通話の発信者に関係付けられている会議通話を開始する方法。
【請求項２９】
前記グラフィカルユーザインターフェイスは、前記会議通話の参加者をデジタル電話帳から選択できるようにする請求項２８記載の方法。
【請求項３０】
前記発信識別子が発呼者ＩＤである請求項２９記載の方法。
【手続補正２】
【補正対象書類名】明細書
【補正対象項目名】全文
【補正方法】変更
【補正の内容】
【発明の詳細な説明】
【先行文書への参照】
【０００１】
この出願は、２００４年１１月２４日に出願された同時継続中の米国仮特許出願第６０／６３１，００２号および２００５年９月１９日に出願された同時継続中の米国仮特許出願第６０／７１８，６２０号の優先権を主張する。前述の出願日の優先権は、ここに主張され、仮特許出願の開示は、それらの全体において参照によりここに組み込まれる。
【背景】
【０００２】
現在電気通信デバイス、特に移動電話機のようなワイヤレス電気通信デバイスの使用において爆発的な成長がある。このようなデバイスに対する電気通信サービスは、通常通信サービスプロバイダにより提供され、通信サービスプロバイダはインバウンドおよびアウトバウンド通信を行うための電気通信ネットワークに対するアクセスをデバイスに提供する。典型的なシナリオでは、セルラーキャリアのような電気通信サービスプロバイダは、電気通信デバイスを加入者に提供し、そのデバイスに関連付けられているサービスも提供する。例えば、セルラーキャリアは、セル電話機および通信サービスを加入者に提供することができ、その通信サービスにより、セル電話機がキャリアのネットワークを通して電話通話を行ったり、受信したりすることができる。
【０００３】
このようなシステムの１つの欠点は、通信サービスプロバイダによりセットアップされる制限およびルールに加入者が縛られることである。セル電話機加入者の例においては、加入者は、通常セルラープロバイダにより認可されるセル電話デバイスを使用しなければならない。その結果、セル電話機の加入者の使用はセルラープロバイダによって提供されるデバイスの能力により制限される。さらに、セルラーサービスプロバイダは、サービスプロバイダのネットワーク上で行われるインバウンドおよびアウトバウンド電話通話に関して動作および機能を制御する。
【０００４】
電気通信デバイスの利用者が、サービスプロバイダによりこのような通信上に設定される制限とは無関係に、インバウンドおよびアウトバウンド通信の機能を制御できることが有利である。
【概要】
【０００５】
エンドユーザの通信デバイスまたは通信サービスプロバイダによるこれらの制御上に設定される制限とは無関係に、ネットワーク通信の、パラメータ、動作、および識別子をエンドユーザが制御できるシステムおよび方法が開示される。中間媒体プロキシが電気通信ネットワーク上にあり、ネットワーク通信デバイスへの、およびネットワーク通信デバイスからのインバウンドおよびアウトバウンド通信を受け入れる。ネットワーク通信デバイスは、電気通信ネットワークと通信できる何らかのデバイスであればよい。中間媒体プロキシは、ネットワーク通信デバイスと他のネットワーク通信デバイスとの間で行うネットワーク通信のために媒介役として機能する。この方法では、中間媒体プロキシは、エンドユーザの通信デバイスまたは通信サービスプロバイダにより制定される制限から独立して通信のさまざまな機能を制御できる。中間媒体プロキシは、通信の、発信、宛先、または特性について通信に関係するどちらかの当事者の直接の知識なしに、２つの指定された通信デバイス間の通信をリダイレクトすることもできる。
【０００６】
エンドユーザ（例として、セルラーキャリア）により使用されるネットワークは、第１の通信行程を通して中間媒体プロキシに通信デバイス（例えば、セル電話機、インスタントメッセージプラットフォーム、ビデオ端末など）を接続するまでだけに使用される。その時点で、中間媒体プロキシは、別のエンドポイントに同じまたは類似のタイプの第２の通信行程を創造することを指示される（または、手動の要求あるいは自動的に実行されるルールにより予め指示されている）。この新しい通信行程は、ユーザの要求につき第１の行程とは異なる識別子を有してもよく、またはもともとの行程が許可しなかったある機能を有してもよい。中間媒体プロキシにより適用される機能は、ユーザにより（例えば、話し言葉、押しボタン、インスタントメッセージキーワード、または類似の方法のような媒体により）帯域内で制御されてもよく、または（例えば同一デバイス上または第３のグループのインターフェイスを通して、または他の相互作用によりユーザ駆動のアプリケーションと通信するＩＰプロトコルのような他の何らかのネットワークにより）帯域外で制御されてもよい。さらに、会議通話のシナリオにおいては、会議通話のそれぞれの参加者を、異なるプロトコルにしたがって接続することができる。
【０００７】
インバウンド通信に対して、制御がまだ“カスタマ”（受信番号）の支配下にあり、発信当事者が通信の完成の方法に対して知識または制御を持っていないことを除いて、同様の様式のアウトバウンドおよびインバウンド両方の通信に、この方法を使用してもよい。
【０００８】
１つの観点において、エンドユーザの通信を制御するための方法およびデバイスが開示されており、そのような方法およびデバイスは、中間媒体プロキシにおいて通信信号を受信し、その通信信号は、中間媒体プロキシから独立した構成要素により制御されるような少なくとも１つの電気通信ネットワークに対してインバウンドまたはアウトバウンド信号であり、その通信信号を制御し、その制御は少なくとも１つの電気通信ネットワークを制御する構成要素によって制定された制限から独立であることを含んでいる。
【０００９】
別の観点において、中間媒体プロキシが開示されており、中間媒体プロキシは、電気通信ネットワークに通信可能に結合された電気通信機器を含んでおり、その電気通信機器はネットワークに対するネットワーク通信信号を受信するように構成されており、中間媒体プロキシは、エンドユーザの通信デバイスまたは通信サービスプロバイダにより制定される制限とは無関係に、ネットワーク通信信号のパラメータ、動作、および識別子をエンドユーザが制御できるようにする。
【００１０】
別の観点において、会議通話を確立する方法が開示されており、その方法は、会議通話の２人以上の参加者を識別し、２人以上の参加者のそれぞれに会議通話の通知を提供し、会議通話の通知は、会議通話の発信者を記述する識別子を含み、通知を受信するそれぞれの参加者に対する識別子を変更することを含んでいる。
【００１１】
別の観点において、会議通話を開始する方法が開示されており、その方法は、ハンドセット上にグラフィカルユーザインターフェイス（ＧＵＩ）を提示し、ＧＵＩは、会議通話の参加者を提供する少なくとも１つのフィールドと、会議通話の参加者への通知において表示される発信者識別子を提供する少なくとも１つのフィールドとを含んでおり、発信者識別子は、会議通話の発信者と関係があることとを備えている。
【００１２】
１つ以上の実施の詳細は、以下の添付されている図面および説明の中に記載されている。さらになる機能、観点、および利点が説明、図面、および特許請求の範囲から明らかになるであろう。
【詳細な説明】
【００１３】
図１Ａは、本開示にしたがってネットワークに通信可能に接続されたデバイス間の通信を可能にする電気通信ネットワーク１００の例示的な実施形態の高レベルな概略図を示す。ネットワーク１００は、例えば、ＴＣＰ／ＩＰネットワーク（例えば、インターネットまたはイントラネット）に結合した、またはそれらによってオーバーレイされた、公共のまたは私設の双方向電気通信ネットワーク（例えば、公衆電話交換ネットワーク（ＰＳＴＮ）、セルラネットワーク、ケーブルをベースとしている電気通信ネットワーク、ＬＡＮ、ＷＡＮ、ワイヤレスネットワーク、またはそれらの組み合わせ）を含むことができる。
【００１４】
少なくとも第１の電気通信デバイス１１０および第２の電気通信デバイス１１５はネットワーク１００に通信可能にリンクされている。電気通信デバイスは、ネットワークと通信し、ネットワーク１００を通して互いに通信リンクを確立するように構成されている何らかのタイプのデバイスであってもよい。電気通信デバイスは、ここでは第１のワイヤレス電話機１１０と第２のワイヤレス電話機１１５との状況で説明されているが、通信デバイスのタイプは変更することができる。例えば、電気通信デバイスは、ネットワークを通して任意のタイプのデータを送信および受信するように構成されている何か（例えば、コンピュータ、パーソナルデジタルアシスタント、地上有線電話など）であってもよい。
【００１５】
それぞれの電気通信デバイスは、少なくとも１つのアドレスを持っており、アドレスはネットワーク１００により電気通信デバイスと通信リンクが確立できるネットワークの位置を示す。この開示全体を通して、ネットワークデバイスは時々、電話番号からなる１つ以上のアドレスを持つ電話機であるという状況で説明されている。しかしながら、通信デバイスのアドレスは、電話番号に限られず、例えばセッション開始プロトコル（ＳＩＰ）統一リソース識別子（ＵＲＩ）、インスタントメッセージニックネーム、他のアドレスのグループの略式記述子、あるいは通信リンクが確立できるネットワーク上の位置またはノードを示す何らかの識別子のような、他のタイプのアドレスを含むことができることを理解すべきである。
【００１６】
ネットワーク１００は電話機１１０および１１５に通信サービスを提供する１つ以上のサービスプロバイダネットワーク（ＳＰＮ）１２０を含んでいるか、または１つ以上のサービスプロバイダネットワーク（ＳＰＮ）１２０に結合されている。ＳＰＮは、例えば、ローカル交換キャリア（ＬＥＣ）、競争ローカル交換キャリア（ＣＬＥＣ）、ワイヤレス電話技術キャリア、ＶｏＩＰプロバイダ、または電話機１１０、１１５のような加入者デバイスの間にエンドポイント間通信を提供する他の何らかのネットワークであってもよい。それぞれの電話機１１０および１１５は、ＳＰＮ１２０に関係付けられており、ＳＰＮはネットワーク１００に、およびネットワーク１００を通して通信アクセスを提供する。電話機１１０および１１５は両方とも共通のＳＰＮに関係付けることができ、またはそれぞれが異なるＳＰＮを持つことができる。それぞれの電話機に対して、各ＳＰＮは基本電話番号のような（基本アドレスとして呼ばれる）１つ以上のアドレスを提供し、これは電話機を示し、ネットワークに対して通信リンクを確立するために使用できる。ＳＰＮは通常、電話機がネットワーク１００に対して確立する通信リンクの構成または動作を制限する。
【００１７】
さらに図１Ａを参照すると、エイリアスサービスプロバイダ１８０（中間媒体プロキシとしても呼ばれる）がネットワーク１００内に存在し、または、さもなければネットワーク１００に通信可能にリンクされている。エイリアスサービスプロバイダ１８０はネットワーク通信を可能にするための機器、例えば、サーバ、通話制御装置、データベース機器、コンピュータプロセッサ、メモリなどを含むことができる。機器は、ここで説明されるプロセスを実行するための命令を含むコンピュータ読み取り可能なデータを備えたコンピュータ読み取り可能媒体を含むことができる。電話機１１０および１１５に関係付けられたＳＰＮ１２０による制御上に設定された制限とは無関係に、電話機１１０または１１５が通信に対して制御を行うためにネットワークを作り変える通信を受け入れるように、エイリアスサービスプロバイダ１８０は構成されている。そのような制御は、以下でさらに完全に説明するように、例えば、通信のパラメータ、動作、および識別子に対する制御を含むことができる。
【００１８】
このような通信に関連したサービスを提供するために、エイリアスサービスプロバイダ１８０は、電話機１１０のような電気通信デバイスの所有者との、またはＳＰＮとのサービス契約を確立する。電話機１１０は、サービスを可能にするためにエイリアスサービスプロバイダ１８０により提供される１つ以上のアプリケーション（例えば、図３Ａにおいて示されるアプリケーション３１０）をオプションで装備することができる。加えて、エイリアスサービスプロバイダ１８０は、電話機１１０と関連付けられたＳＰＮ以外の、エイリアスサービスプロバイダ１８０により制御されるエイリアス電話番号のような（エイリアスアドレスとして呼ばれる）１つ以上の付加的なアドレスを電話機１１０に提供することができる。これによりエイリアスサービスプロバイダ１８０は、エイリアスアドレスに関連した通信を制御できるようになる。
【００１９】
代替実施形態において、エイリアスサービスプロバイダ１８０およびＳＰＮ１２０は、同一エンティティであるか、または両方とも同一エンティティにより制御される。そのようなケースでは、基本アドレスおよびエイリアスアドレスの両方は、そのエンティティにより提供される。他の実施形態において、アプリケ−ション３１０は、パーソナルコンピュータのような、電話機１１０以外のデバイス上に存在する。加入者は、アプリケーションを使用してパーソナルコンピュータによりエイリアスサービスプロバイダにアクセスすることができる。加入者は、アプリケーションを使用して通信を発生させ、規定することができる。
【００２０】
例示的な状況において、エイリアスサービスプロバイダ１８０は、１つ以上のエイリアス電話番号を電話機１１０に提供し、ＳＰＮ１２０を制御するエンティティが１つ以上の基本電話番号を提供する。各基本電話番号および１つ以上のエイリアス電話番号を電話機１１０により使用して、インバウンドおよびアウトバウンド通話のような通信を行いおよび受信するためにネットワーク１００にアクセスすることができる。しかしながら、エイリアス電話番号に対するインバウンドおよびアウトバウンド通話は、以下に説明するようにエイリアスサービスプロバイダ１８０により一意的に構成することができる。言及したように、アドレスは、必ずしも電話番号に限られず、通信は、必ずしも電話通話に限られない。ネットワークに対する他のタイプのアドレスおよび通信は、この開示の範囲内である。
【００２１】
図１Ａは、電話機１１０のＳＰＮ１２０により通信上に設定された制限とは無関係に、エイリアスサービスプロバイダが電話機１１０のアウトバウンドおよびインバウンド通信のユーザにより規定された制御を可能にする方法の高レベルな表示を提供する。アウトバウンド通信Ｘ１は、電話機１１５に関係付けられた電話番号のようなアドレスに対して、電話機１１０により開始される。言及したように、アドレスが電話番号であることは単なる例示である。ネットワークデバイスは電話機である必要はなく、アドレスは、必ずしも電話番号とは限らず、他の任意のタイプのアドレスであってもよい。
【００２２】
アウトバウンド通信Ｘ１は、少なくとも最初にＳＰＮ１２０を通過する。電話機１１５に到着する前に、アウトバウンド通信Ｘ１は少なくとも部分的にエイリアスサービスプロバイダ１８０により制御され、エイリアスサービスプロバイダ１８０は、電話機１１０および１１５の間にあるネットワーク１００中のどこかに存在する。例示の実施形態において、電話機１１０は電話機１１５上のアドレスにアウトバウンド通信を送信する前に、エイリアスサービスプロバイダに対して最初の通信リンクを確立する。最初の通信リンクにしたがって、電話機は、電話機１１５に対してやがて出るアウトバウンド通信に関連した情報をエイリアスサービスプロバイダに提供する。電話機１１０は、次に（エイリアスサービスプロバイダを通しての）電話機１１５に対するアウトバウンド通信Ｘ１を開始する。エイリアスサービスプロバイダがアウトバウンド通信を制御できるようにするための例示的なスキームを以下で説明する。
【００２３】
エイリアスサービスプロバイダ１８０は、このようにしてアウトバウンド通信Ｘ１に対して制御を確立する。この事について、エイリアスサービスプロバイダ１８０は、以下で説明するさまざまな機能を可能にするために通信Ｘ１の設定をすることができ、それらの機能のいくつかは、通信Ｘ１がＳＰＮ１２０により独占的に取り扱われた場合には認められなかった、または可能ではなかったものである。エイリアスサービスプロバイダ１８０は、次に電話機１１５と通信リンクＸ２を確立する。通信リンクＸ２は、電話機１１５と関係付けられた付加的なＳＰＮを通過することがある。
【００２４】
この段階において、通信リンクＸ１は電話機１１０とエイリアスサービスプロバイダ１８０との間に存在し、通信リンクＸ２はエイリアスサービスプロバイダ１８０と電話機１１５との間に存在する。エイリアスサービスプロバイダ１８０は、次に、通信リンクの構成に対しいくつかの制御を持つエイリアスサービスプロバイダにより電話機１１０と電話機１１５との間に双方向の通信リンクを確立する。有利なことに、このスキームによりエイリアスサービスプロバイダ１８０が、ＳＰＮ１２０により設定された制限とは無関係に、通信に関連した機能を提供することができるようになる。上述したように、電話機１１０からのアウトバウンド通信を取り扱うための特定のスキームを以下でより詳細に説明する。
【００２５】
エイリアスサービスプロバイダ１８０は、電話機１１０の電話番号に対するインバウンド通話のような、電話機１１０に関係付けられたアドレスに対するインバウンド通信も制御することができる。電話番号は、エイリアスサービスプロバイダ１８０が電話機１１０に割り当てたエイリアス番号であってもよく、エイリアスサービスプロバイダは、そのエイリアス電話番号に対して制御を有する。エイリアス電話番号に対するインバウンド通話は、自動的にエイリアスサービスプロバイダにリンクする。
【００２６】
例えば、図１Ａを参照すると、電話機１１５は電話機１１０のエイリアス電話番号に向かう通信Ｘ２を開始する。通信Ｘ２は、エイリアスサービスプロバイダ１８０に方向付けられる。その理由は、エイリアスサービスプロバイダ１８０が、このような方法で作動するエイリアス番号を予めセットアップしているからである。エイリアスサービスプロバイダ１８０は、この時点でインバウンド通信Ｘ２に対して制御を有する。次にエイリアスサービスプロバイダ１８０は電話機１１０に対するインバウンド通信リンクＸ１を確立し、インバウンド通信リンクＸ１はＳＰＮ１２０を通過するかもしれない。エイリアスサービスプロバイダ１８０は、次にエイリアスサービスプロバイダにより可能になった機能を持つ通信リンクにより電話機１１０と１１５との間に通信リンクを確立する。
【００２７】
インバウンド通信のための例示的なスキーム 
図１Ｂは、電話機１１０に到来する通信を取り扱うための例示的なスキームを図示する概略図を示す。この例の目的のために、電話機１１０の所有者は、エイリアスサービスプロバイダ１８０により提供されるサービスに加入しており、エイリアスサービスプロバイダ１８０は、電話機１１０と電話機１１５との間の少なくともいくつかの通信を制御できるようにするために通信ネットワーク中に位置している。電話機１１５は、必ずしもエイリアスサービスプロバイダ１８０のサービス加入者ではない。
【００２８】
言及したように、電気通信デバイス１１０および１１５は、必ずしも電話機である必要はない。さらに、ここでは時々、例を電話番号による通信という状況で説明しているが、電気通信デバイスに割り当てられるＳＩＰ ＵＲＩ、インスタントメッセージニックネームなどのような他のタイプのアドレスとともに開示されたプロセスを容易に使用できることを理解すべきである。
【００２９】
言及したように、エイリアスサービスプロバイダ１８０は、電話機１１０に１つ以上、２つ以上、３つ以上、または任意の量のエイリアスアドレスを割り当てる。例示的な状況においてエイリアスサービスプロバイダ１８０は、１つ以上のエイリアス電話番号を電話機１１０に割り当て、エイリアス電話番号は、電話機１１０上で通話を受信および送信するために使用できる。エイリアス番号は、基本電話番号に追加されるものである。エイリアスサービスプロバイダは、加入者に割り当てることができるエイリアスアドレスのプールに対して制御するということを理解すべきである。これにより、アドレスに対するインバウンド通信が、自動的にエイリアスサービスプロバイダに方向付けられるように、エイリアスサービスプロバイダがアドレスを設定することができる。エイリアスサービスプロバイダは、次に一時的なまたは永久的なベースでその加入者にアドレスを割り当てることができる。
【００３０】
図１Ｂを参照すると、エイリアスサービスプロバイダ１８０は通信ネットワーク中に位置付けられているので、エイリアスサービスプロバイダ１８０は、特に電話機１１０に対して割り当てられるエイリアス番号に関して、電話機１１０に対するインバウンドおよびアウトバウンド通信を管理し、または電話機１１０に対するインバウンドおよびアウトバウンド通信にアクセスすることができる。
【００３１】
エイリアスサービスプロバイダ１８０は、インバウンドおよびアウトバウンド通話の管理を実現するためのさまざまな機器を含む。例えば、エイリアスサービスプロバイダ１８０は１つ以上の通話制御装置２０２、１つ以上の媒体制御装置２０４、および１つ以上のデータベースを含み、１つ以上のデータベースは、ユーザデータベース２０６、一時またはエイリアス番号データベース、最小費用ルートデータベース２０７、ならびに通話詳細記録データベースのようなものである。データベースは変更することができ、加入者および加入者の電話機１１０に関連した情報を記憶するために使用することができるだけでなく、加入者がインバウンドおよびアウトバウンド通話をどのように管理することを望んでいるかを規定するデータも記憶することができる。加入者は、有利なことに、ネットワークに対してエイリアスサービスプロバイダを接続することにより、加入者のエイリアス番号に関連したデータおよび通話構成データを異なる電話機に対して転送することができる。
【００３２】
例示的な実施形態において、送信する電話機１１５は、電話機１１０に対する電話通話Ｃ１のような通信を開始する。その通話はエイリアスサービスプロバイダ１８０により電話機１１０に割り当てられているエイリアス番号に対して開始される。エイリアスサービスプロバイダ１８０が番号を割り当てたため、エイリアスサービスプロバイダ１８０は、番号を通じて受信された通話に対するアクセスを制御することができる。通話は、例えば、ＰＳＴＮ２１２およびキャリアゲートウェイ２１４を通してルーティングさせることができる。
【００３３】
通話を受信したとき、エイリアスサービスプロバイダ１８０は最初に、通話を受信したエイリアスサービス番号に関係がある加入者に関連した情報を取得する。例えば、媒体制御装置２０４（またはエイリアスサービスプロバイダに関係がある何らかのデバイス）は、通話制御装置２０２とコンタクトし、通話に関連するエイリアス番号のような情報を送信する。通話制御装置２０２は１つ以上のデータベースと通信して、呼び出されているエイリアス番号に基づいて、通話を取り扱う方法を規定する情報を取得する。この点に関して、いったん電話機１１０および１１５の間に通信リンクが確立されると、制御装置はインバウンド通話のさまざまな側面を構成するために使用される媒体フィルタのデータベースに照会することができる。媒体フィルタは、インバウンド通話に対し実行できる１つ以上の機能を規定する。機能は変更することができるが、いくつかの例示的な機能を以下で説明する。通話制御装置２０２および媒体制御装置２０４は、必要に応じて往復して通信することができる。媒体制御装置２０４は、次に、取得した情報に基づいて通話に作用することができる。
【００３４】
媒体制御装置２０４は、次に、電話機１１０に対する電話通話のような通信Ｃ２を確立する。エイリアスサービスプロバイダ１８０が電話機１１０に通信可能に接続できるように、通信Ｃ２は電話機１１０に関係があるキャリアゲートウェイ２１６およびＰＳＴＮ２１８を通してルーティングさせることができる。要望に応じて、媒体制御装置は、例えば課金目的のために通話詳細記録データベース２１９を更新することができる。
【００３５】
電話機１１０が通話を受信するとき、エイリアスサービスプロバイダ１８０は（音声またはテキストメッセージのような）通知を電話機に提供し、この通知はインバウンド通話がどのエイリアス番号に関係があるかに関する指標を提供する。言及したように、電話機１１０はいくつかのエイリアスアドレスを持つことができるので、どのエイリアスアドレスが通話を受信しているかを加入者が識別することは有用である。ユーザは、プロファイル通知メッセージを表示しないようにすることを選んでもよいし、またはユーザが通話を取りたいかどうかを彼／彼女に尋ねるプロンプトを表示することを選んでもよい。ユーザは、通話をボイスメールにさせたり、または自動的に話中信号を再生したりするなど、通話を取り扱う方法を左右するルールを規定することもできる。
【００３６】
１つの実施形態において、電話機１１０が鳴り、識別聴覚メッセージが再生する。例えば、メッセージは“ライン３に通話を受信しています”と伝えることができる（ここでライン３はエイリアス番号に関係付けられている）。代わりに、各基本番号および各エイリアス番号に関係付けられているユニークな鳴動音であってもよい。ユニークなグラフィックの表示、ユニークな振動、自動聴覚信号など、他の何らかのタイプの識別子を使用することができる。
【００３７】
加入者が通話を取るかどうかにより、エイリアスサービスプロバイダ１８０は、次に、電話機１１０と電話機１１５との間に双方向の通信リンクを確立したり、または加入者および／またはエイリアスサービスプロバイダにより予め規定されたフィルタに基づいて通話に作用したりする。電話機１１０と１１５との間の通信が未定の間、エイリアスサービスプロバイダは、通話に対してさまざまなレベルの制御を発揮させることができる。
【００３８】
図３Ｂはインバウンドフィルタデータベースの例示的な構成を示す。エイリアスサービスプロバイダにより制御されるアドレスに対するインバウンド通信をエイリアスサービスプロバイダが取り扱うことについて、加入者がどのように希望するのかに関連したデータをインバウンドフィルタデータベースは含む。加入者は、アドレス毎のベースでまたはアドレスのグループに基づいたルールで指定することができ、ルールは、そのアドレスに対するインバウンド通信がどのように取り扱われるかについて指定する。フィルタデータベースは、通話の取扱いに関連するするさまざまなデータを含むことができ、通話の取扱いは以下で詳細に説明するように、（通話を録音することに対する法的な要求を受ける）通話録音、会議通話機能、ボイスメール処置などのようなものである。
【００３９】
例えば、エイリアス番号Ｘに対するインバウンド通話は、予め定められた挨拶を伴う特定のボイスメールボックスに送られ、一方では、エイリアス番号Ｙに対するインバウンド通話は、異なるボイスメールボックスに送られるということをフィルタは指定することができる。別の例においては、いくつかの異なるエイリアス番号（または特定の通話番号）に対するすべての到来通話を１つのボイスメールボックスに送るようにフィルタをセットしてもよく、そこでエイリアスユーザ、またはインバウンド番号は、そのインバウンド番号すなわちエイリアス番号のためにカスタマイズされた異なるボイスメールの挨拶を受信してもよい。言い換えれば、加入者は複数の挨拶を伴う１つのボイスメールボックスを持つことができ、複数の挨拶は、通話が方向付けられるエイリアス番号に基づいて変化する。
【００４０】
電話機に関係付けられたそれぞれのアドレスまたはアドレスのグループに対して、ユーザは、そのアドレスに到来する通信の取扱いを左右するルールを規定することができる。実行できるいくつかの動作としては、例えば、通話を録音すること、会議モードに自動的に通話を入れること、通話にバックグラウンドノイズを挿入すること、通話中にユーザの声を歪ませること、通話に対してドーントディスターブをセットすること、時間帯または電話機１１０の位置に基づいて通話応答を変更することなどを含む。これにより、複数の電話番号を取り扱う１つの電話機１１０をユーザが使用できるようになり、同時に、通話が方向付けられているエイリアス番号に基づいて、インバウンド通話に対して取られる動作を変更することもできるようになる。
【００４１】
図１７は、インバウンド通話に対するフィルタの実現を例示する概略図である。アウトバウンド通話フィルタは、同様の方法で実行することができる。動作２６１０においてインバウンド通話が１人以上の発呼者から開始される。インバウンド通話は（上述したように）エイリアスサービスプロバイダにより受け入れられ、フィルタデータベース２６１２が動作２６１５においてアクセスされる。言及したようにフィルタは変更することができ、例えば、セクシャルプレデター情報、犯罪前歴情報、ドーントディスターブ情報、年齢／性別情報、人気情報、時間帯情報、バックグラウンドノイズ情報、代替識別子情報、およびネガティブフィードバック情報に関するフィルタを含むことができる。フィルタは、以下でより詳細に説明するように、インバウンド通話に対する機能を提供するために使用される。フィルタはさまざまな基準に基づいて実行することができ、さまざまな基準は、通話が方向付けられているアドレス、通話が発生した場所のアドレスなどである。それらのいくつかは、フィルタデータベース中に規定されている。フィルタはエイリアスサービスプロバイダにより自動的に、またはアプリケーション３１０によるようなユーザとの対話と共にセットアップすることができる。動作２６２０および２６２５において、インバウンド通話は、ユーザに方向付けられている。
【００４２】
こうして、電話番号のような複数のアドレスが、移動電話機のような１つの電気通信デバイスに割り当てられるか、またはさもなければマッピングされる。複数の電話番号は、従来の移動電話サービスプロバイダにより電話機に割り当てられる１つ以上の番号だけではなく、以下で説明するようにエイリアスサービスプロバイダにより割り当てられる追加的な番号も含むことができる。電話機は、電話機に割り当てられる任意のの電話番号により通話を受信および／または行うことができる。
【００４３】
システムの例示的な使用は、ユーザが通話中に匿名のままでありたいか、あるいは彼のまたは彼女のプライバシーを保護するために他の制御を確立したいような場合である。ユーザは、限られた数の人々に対してエイリアス番号の１つを与えることができ、その一方で異なるグループの人々に対して電話機の基本番号または別のエイリアス番号を与えることができる。ユーザは同一の電話機上にあるすべての番号に対する通話を受信するが、通話が行われる番号に基づいて、それぞれの通話を別々に取り扱うことができる。
【００４４】
例えば、オンライン上でデートの関係を続けている間、プライバシーおよび安全の保護を希望する女性は、新しい知り合いのために取っておかれているエイリアス番号を明かすことができる。女性は、じかに彼女を識別する彼女の名前または他の情報を示すことなく、デート通信の開始の間、匿名のままでいることを希望してもよい。匿名モードの間、依然として彼女はまだ、潜在的な相手と話すことができることを望んでいる。それゆえに、女性は基本番号以外の、あるエイリアス番号を新しい知り合いに与える。女性が“新しい知り合い”番号により通話を受信するとき、彼女は、それを受け入れること、それを無視すること、またはルールセットが予め定められた方法でインバウンド通話を自動的に処理するようにさせることのいずれかを選択することができる。
【００４５】
女性がもはや特定の知り合いに対してアクセスできることを望んでいない場合には、彼女は、ルールセットが、彼女が知り合いに与えたエイリアス番号にその知り合いの電話番号からの通話が接続されるのを自動的に防ぐようにさせることができる。女性は“新しい知り合い”番号を完全に取り消すこともできるし、彼女がエイリアスサービスプロバイダから獲得した番号の１つとして、それを取り除くこともでき、その結果、彼女がその番号を提供したすべての新しい知り合いが、何らかの方法で彼女にさらにコンタクトすることを防ぐことができる。
【００４６】
別の例において、弁護士のような専門家は、電話機に関係付けられたいくつかのエイリアス番号を持つことができる。エイリアス番号のうちの１つは、仕事関係の通話のために使用することができ、弁護士は、仕事関連の通話がどのように取り扱われるかについてルールを規定することができ、通話を受信したとき、それが仕事関連のものであることを知ることもできる。弁護士が仕事の通話から離れた週末を望んでいるが、エイリアス番号からであろうと、または基本番号からであろうと他のすべての通話には答える自由を望んでいる場合を仮定する。そのようなケースでは、弁護士は、“仕事関連の”エイリアス番号に対するすべてのインバウンド通話を、自動的にボイスメールまたはドーントディスターブモードに移行させるルールセットを指定することができる。
【００４７】
さらに別の例は、ユーザが、オンライン上の分類されたリスティングサービスまたは地方新聞中に、あるいはオンライン上のオークションサービス上に“売ります”広告を載せるが、安全およびプライバシーの理由から広告中に自分の基本番号を発表することを望んでいない場合である。そのようなケースでは、ユーザは、エイリアスサービスプロバイダによるエイリアス番号を割り当てることができ、エイリアス番号は、事実上広告の期間中だけのものであり、アイテムが売られた後は取り消される。ユーザは広告中にエイリアス番号を掲載することができ、ユーザの基本番号と同一の電話機においてエイリアス番号で通話を受信することができる。アイテムが売られ、または、さもなければユーザが広告およびエイリアス番号を取り消した後は、ユーザはもはやエイリアス番号を覚えている公衆のメンバによりコンタクト可能でなくなる。
【００４８】
アウトバウンド通信のための例示的なスキーム 
図１Ｃは、電話機１１０から電話機１１５へのアウトバウンド通信を取り扱うための例示的なプロセスを図示する概略図を示す。説明したように、エイリアスプロバイダ１８０はエイリアス電話番号のような１つ以上のエイリアスアドレスを電話機１１０に割り当て、エイリアスアドレスは電話機１１０上で通話を受信および送信するために使用できる。加入者は、何らかのエイリアス番号または基本番号に関連して、アウトバウンド通話を行うことができる。エイリアスサービスプロバイダは、図１Ｂを参照して上述したような機器および／またはデータベースを含む。
【００４９】
例示的な実施形態において、加入者は電話番号のような目標コンタクト識別子に対して電話機１１０上でアウトバウンド通話を開始することを望む。この説明の目的のため、加入者が通話を開始する電話番号は、“目標電話番号”として呼ばれ、目標電話番号は図１Ｃにおいて電話機１１５を示す。加入者は、エイリアスサービスプロバイダにより通話が一意的に構成されることを望む。
【００５０】
最初の動作において、加入者は電話機１１０上にあるアプリケーション３１０を起動し、アプリケーションは予め定められた方法でエイリアスサービスプロバイダ１８０と通信リンクを開始するように構成されている。以下で説明するように、加入者はアプリケーション３１０を使用して、アウトバウンド通信がエイリアスサービスプロバイダによりどのように取り扱われるべきかに関するさまざまなパラメータを規定することができる。起動において、アプリケーション３１０は、エイリアスサービスプロバイダと初期管理に関連する通信リンクをオプション的に確立して、初期管理タスクを実行することができる。そのようなタスクは、例えば、ソフトウェアアップデートをダウンロードすること、加入者の識別子を検証すること、課金タスクを実行することなどを含む。最初の通信リンクは、電話ネットワークまたはインターネット接続によるなど、さまざまな方法で行うことができる。管理通信リンクが確立されている間、加入者は、以下で詳細に説明するように、アウトバウンド通話の構成を規定するためにアプリケーション３１０と相互対話することができる。
【００５１】
次の動作において、加入者は、目標電話番号に対するアウトバウンド電話通話のような、目標アドレスに対するアウトバウンド通信を開始するようにアプリケーションに指示する。これは、例えば、電話機上の送信キーを押すこと、または他のいくつかの動作を取ることにより行うことができる。アプリケーションは、エイリアスサービスプロバイダ１８０と通信リンク３３０を確立する。通信リンク３３０は、ＰＳＴＮを通して、またはインターネットによってなどの何らかの方法で実行することができる。通信リンク３３０の少なくとも１つの目的は、目標電話番号およびユーザがどのようにアウトバウンド通話を構成することを望むかに関する情報を、アプリケーションがエイリアスサービスプロバイダ１８０に提供することである。
【００５２】
電話機１１０と電話機１１５との間の通信リンクは、まだ確立されていないことを理解すべきである。そのようなリンクを確立する前に、エイリアスサービスプロバイダ１８０は、通話を構成するためにさまざまな動作を取る。
【００５３】
次の動作において、通話制御装置２０２は、加入者により指定された構成情報のような、アプリケーション３１０により提供される情報を使用してさまざまなデータベース２０６、２０７、２０８に照会する。通話制御装置は、一時電話番号のような一時アドレスを取得し、一時アドレスは、エイリアスサービスプロバイダ１８０を示し、媒体制御装置２０４との後続する通信リンク３３５を確立するために電話機１１０に提供される。通話制御装置２０２は、次に、電話機１１０上にあるアプリケーション３１０に対して（通信リンク３３２により）一時電話番号を送信する。
【００５４】
次の動作において、アプリケーションは電話機１１０上にあるダイヤルアプリケーションに一時電話番号を提供する。一時電話番号を使用して、ダイヤルアプリケーションは次に、例えばＰＳＴＮ２１８を通して電話をかけることによりエイリアスサービスプロバイダ１８０との通信３３５を確立する。代替の実施形態において、通信リンク３３０によりエイリアスサービスプロバイダ１８０に接続するアプリケーションの最初のステップは削除される。加入者は単に、ＰＳＴＮ２１８を通して、または他の何らかの方法において、エイリアスサービスプロバイダ１８０に対して電話をかけることができる。
【００５５】
媒体制御装置２０２は、次に、ユーザにより規定されたプロファイル中に含まれるフィルタを実行することによるなど、送出通信に関連するある動作を実行することができる。例えば、媒体制御装置は通話に対して、発呼者ＩＤのような予め規定されたユーザ識別子をセットすることができ、または（通話を録音することに対する法的な要求を受ける）通話の録音を自動的にセットアップすることができる。
【００５６】
プロセスのこの段階において、電話機１１０と電話機１１５との間に、まだ通信リンクはない。媒体制御装置２０４は、次に、目標電話番号を使用して、ＰＳＴＮ２１２（または他の形態の通信リンク）を通して電話機１１５への通信リンク３４０を確立する。通信リンク３４０はこの時点で、エイリアスサービスプロバイダ１８０と電話機１１５との間に存在する。通信リンク３３５も電話機１１０とエイリアスサービスプロバイダ１８０との間に存在する。エイリアスサービスプロバイダ１８０は、次に、電話機１１０と１１５との間に双方向の通信リンクを確立し、エイリアスサービスプロバイダ１８０は通信リンクに対して少なくとも何らかのの制御を有する。望まれる場合は、例えば課金目的のために、媒体制御装置は通話詳細記録データベースを更新することができる。
【００５７】
エイリアスサービスプロバイダはさまざまな方法およびプロトコルで通信リンク３３５を確立することができる。有利なことに、通信リンクは、リンク３３５のプロトコルあるいはネットワークとは異なるプロトコルまたはネットワークにしたがって確立することができる。例えば、リンク３３５は、通話が異なるプロトコルから発生していても、スカイプ、ボネージ、（ＴＭ）（登録商標）、ＡＩＸ、ＰＢＸのような任意のタイプのサービスまたはプロトコルにしたがうことができる。
【００５８】
加えて、加入者は、１つ以上のプロファイルをセットアップすることができ、プロファイルはアウトバウンド通話がターミネーションリンク３３５にどのように接続されるかを指定する。プロファイルを特定の番号またはグループの番号に関係付けて、予め定められたルールに基づいて特定のターミネーションサービスまたはプロトコルを使用することができる。この点に関して、加入者は（ユーザネーム／パスワードのような）パスコードのデータベースをセットアップすることができ、パスコードのデータベースは、エイリアスサービスがリンク３３５を完成するためにパスコードを必要とするとき、エイリアスサービスプロバイダにより容易にアクセスすることができる。
【００５９】
図３Ｃは、アウトバウンドフィルタデータベースの例示的な構成を示す。アウトバウンドフィルタデータベースは、エイリアスサービスプロバイダがアウトバウンド通話を取り扱うことについて、加入者がどのように望むかに関連するデータを含む。言及したように、加入者は番号毎のベースで、またはグループの番号に基づいてルールを指定することができ、ルールはその番号に対するアウトバウンド通話が、どのように取り扱われるかを指定する。フィルタデータベースは、（通話を録音するための法的な要求を受ける）通話録音、会議通話機能、声の歪み、バックグラウンドノイズのパイピング、発呼者ＩＤなどの、アウトバウンド通話の取扱いに関連するさまざまなデータを含むことができる。
【００６０】
図１Ｄは、エイリアスサービスプロバイダによりアウトバウンド通信を開始するための代替方法を記述するいくつかのフローチャートを示す。最初の方法はトーンダイヤル方式である。最初の動作３６０において、加入者はアウトバウンド通話を開始することを決定する。方法は、２方向のどちらかで進行することができる。動作３６２において、加入者は、電話機の電話ディレクトリ上にあるダイヤルイン番号のリストからエイリアスサービスプロバイダに対するダイヤルイン番号を選択する。代わりに、動作３６４において、地理的に最も近いダイヤルイン番号が、ＧＰＳを使用して自動的に選択される。次の動作３６６において、電話機はログイン番号を使用してエイリアスサービスプロバイダにダイヤルする。動作３６８、３６９、および３７０において、加入者は手動で、または自動化されたプロセスを通してエイリアスサービスプロバイダに指示を提供する。トーンを使用して、アウトバウンド通話は目標番号に渡され、ユーザは指定されたパラメータを使用して目標番号に接続される。
【００６１】
別の方法は、ＵＲＬコールバック方法であり、これは図１Ｃを参照して上述した。別の方法は代替番号方法である。動作３６０において、加入者がアウトバウンド通話を開始することを決定した後、動作３７２において、電話機は統一リソース位置指定子（ＵＲＬ）によりエイリアスサービスプロバイダに対して通話セットアップ情報を送信する。動作３７４および３７６において、サーバは利用できる電話番号をデータベースから選択し、次に、ユーザにより規定されたパラメータによりアウトバウンド通話を調整する。動作３７８においてエイリアスサーバは一時番号を電話機１１０に提供し、動作３８０において電話機は一時番号をダイヤルする。動作３８２において、ユーザは、次に、指定されたパラメータを使用して目標番号に接続される。
【００６２】
図１Ｅを参照すると、キャリアすなわちネットワーク内の方法が示されている。この方法にしたがって、アウトバウンド通話が電話機のＳＰＮを通して行われる。最初の動作３６０において、ユーザはアウトバウンド通話を行うことを決定する。動作３８４において、電話機は、サーバまたはＳＰＮにより動作するスイッチに対して通話セットアップ情報および目標番号を送信する。動作３８６において、サーバまたはスイッチは所望の構成パラメータによりアウトバウンド通話を通過させる。動作３８８において、ユーザは、次に、指定されたパラメータを使用して目標番号に接続される。
【００６３】
図１Ｆは、電話機からのアウトバウンド通話を開始するための例示的なプロセスを記述するフロー図を示す。動作３９０において示されるように、ユーザは、キーパッド上で英数字の数字列を入力することにより、または電話機上にあるアドレス帳から電話番号を選択することによりアウトバウンド電話通話を開始することができる。１つの手順Ａにしたがうと、アクセスすべき電話番号は、例えば、２１２−５５５−４４５５である。その番号は、ユーザインターフェイス（ＵＩ）３９８に入力される。
【００６４】
次の動作３９２において、電話機は、アウトバウンド番号がデータベース中にあり、アウトバウンド番号が発呼者プロファイルに関係がある予め定められた機能を持つプロファイルに関係付けられているかどうかを確認するためにチェックする。チェックは、ローカル的に電話機において実行することができ、またはエイリアスサービスプロバイダによっても実行することができる。例えば、プロファイルに関係付けられている任意の番号に対する任意のアウトバウンド通話に、（発呼者ＩＤのような）予め定められた識別子が提供されるということを、プロファイルは指定することができる。こうして、動作３９３において、チェックが実行されて、電話番号がグループプロファイルＩＤを持っているかどうかが決定される。持っている場合、動作３９６において、（発呼者ＩＤのような）アウトバウンド識別子がセットされる。代わりに，動作３９４において、電話番号がデータベース中にない場合、次にユーザはで通話に対して識別子を手動割り当てることができる。ユーザは、エイリアス番号に関連したプロファイル中で規定されているパラメータを無効にできることを理解すべきである。ＵＩ３９８はアウトバウンド通話に対して使用される発呼者ＩＤを識別する。
【００６５】
別の動作３９７において、ユーザは、アウトバウンド通話が発生する電話番号を指定することができる。言い換えれば、ユーザは電話機１１０からアウトバウンド通話を行うことができるが、エイリアスサービスプロバイダは、その通話がユーザ選択の番号から発生したと見えるようにアウトバウンド通信を構成する。
【００６６】
エイリアスサービスプロバイダが、呼び出されているアウトバウンド番号に基づいて、アウトバウンド通話のための発呼者ＩＤを予め定められた番号に自動的にセットするように、ユーザはプロファイルを構成することもできる。例えば、加入者が番号Ｘを呼び出すときはいつでも、加入者が実際にどの番号から呼び出しているかに関わらず、発呼者ＩＤが番号Ｙに設定されるように、加入者はプロファイルをセットアップすることができる。これにより、加入者は発呼者ＩＤ上でデート関連のエイリアス番号を示すことだけを意図しているときに、加入者が、仕事関連のエイリアス番号を示す誰かおよび発呼者ＩＤを呼び出すことを防ぐことができる。
【００６７】
さまざまな通信構成 
上で説明したように、エイリアスサービスプロバイダは、電話機１１０に対するインバウンドおよびアウトバウンド通信を制御することができ、ＳＰＮの制限により左右されない機能を通信に対して提供する。通信のために実施できるさまざまな機能を以下で説明する。例示のため、時々、通信が電話機間の電話通話であるという状況で機能を説明している。しかしながら、説明される機能は、非電話アドレス間の他のタイプの通信とともに使用するために修正できるということを理解すべきである。
【００６８】
１つの実施形態において、加入者は、１つ以上のルールを構成することができ、ルールは、エイリアスサービスプロバイダがどのようにそのような機能を提供するのかを左右する。ローカルアプリケーション３１０中に、またはエイリアスサービスプロバイダにおけるフィルタデータベース中に存在するルールエンジンにルールを含めることができる。図７は、ルールエンジンを規定する例示的な一連のユーザインターフェイスを示す。ルールエンジンにより、加入者（または他の権限のあるもの）はエイリアスサービスの使用を左右する、あるルールを予め設定しておくことができる。例示的な機能の基本リストは以下の通りである。パーソナルルールエンジンインターフェイス７１０は、ルールエンジンを左右するために管理ページにアクセスするのに使用することができる。
【００６９】
アウトバウンド通信のためのユーザ識別子 
図１Ｇは、本開示にしたがってさまざまな通信関連の機能を実行することができる電気通信ネットワーク１００の別の例示的な実施形態を示す。電気通信ネットワーク１００は図１Ａとは異なる方法で例示されているが、図１Ａおよび図１Ｂに関して説明した機能はどちらの実施形態でも実現することができる。図１Ｇは、例示的な機能を説明するために使用され、機能は電話機１１０からのアウトバンド電話通話に関して実現できる。
【００７０】
電気通信ネットワーク１００は、通常、公衆電話交換ネットワーク（ＰＳＴＮ）に関係がある構成要素だけではなく、セルラー電話通信ネットワークのようなワイヤレス電話通信ネットワークに関係がある構成要素も含むことができる。電気通信ネットワーク１００は、インターネットプロトコル（ＩＰ）ネットワークの構成要素を含むように構成され、例えば、音声をＩＰにのせる仕組み（ＶｏＩＰ）などに対応する機能およびサービスを実行することもできる。
【００７１】
図１Ｇで示されるように、電気通信ネットワーク１００は、電話機１１０のような第１の電気通信デバイスを持つ発呼者と電話機１１５のような第２の電気通信デバイスを持つ発呼者との間にある音声中継回線１０５を実現するために使用することができる。電気通信回線ネットワーク１００は会議通話も実現することができ、音声中継回線は、２つ以上の電気通信デバイスの間で確立される。
【００７２】
ここでは、（ワイヤレス電話機および音声をＩＰにのせる仕組みの電話機（例えば、ウェブ電話機を含む）電話機ならびにハイブリッドワイヤレス／ＶｏＩＰ電話機）であるという状況で、電気通信デバイスを説明しているが、電気通信デバイスは、音声および／またはデータ通信を実現できる何らかのタイプのデバイスであってもよいことを理解すべきである。電気通信ネットワーク１００は、さらに１つ以上のサービスプロバイダネットワーク（ＳＰＮ）１２０、１２５を含み、サービスプロバイダネットワークは、電話機１１０および１１５にローカル電話サービスを提供する。言及したように、ＳＰＮは、加入者の間にエンドポイント間通信を提供するＬＥＣ（ローカル交換キャリア）、ＣＬＥＣ（競合ローカル交換キャリア）、ワイヤレス電話技術キャリア、ＶｏＩＰプロバイダ、または他の何らかのネットワークであってもよい。ＳＰＮ１２０および１２５は、よく知られている方法で１つ以上の相互交換キャリア（ＩＸＣ）により相互接続することができるが、ＳＰＮは、終端間の通話を完成するために何らかのＩＸＣまたは他のリソースを使用しないことが可能である。
【００７３】
電気通信ネットワーク１００は、発呼者名データベース（ＣＮＡＭ）のようマスターデータベース１３０を含み、マスターデータベースは、ＳＰＮのサービスの加入者に関連するプロファイルデータを含む。図１Ｇは１つのマスターデータベースだけを示しているが、ネットワーク１００は、１つ以上のマスターデータベースを含むことができることを理解すべきである。プロファイルデータは、ＳＰＮ１２０、１２５によりアクセスすることができ、発呼者ＩＤシステムにしたがって被呼者へ提供することができる。この点に関して、マスターデータベース１３０は、例えば、それぞれの加入者に関係がある名前または他のしるしを含むことができる。それぞれの加入者に対して、電話番号（例えば、１０桁の番号であり、特定のＳＰＮスイッチを識別する３桁のオフィスコードが後に続く、特定の地理的エリアを規定する３桁のエリアコードを含み、さらに４桁の顧客ラインが続く）のような１つ以上のステーションＩＤもある。例えば、以下の表１は、マスターデータベース１３０中のそれぞれの加入者に関係付けられている例示的なフィールドを示す。マスターデータベース１３０は表１中に示される以外に、追加的な情報または情報を含むことができる。このように、表１は単に例示であり、マスターデータベース１３０の構成を制限しない。
【表１】
2008522501.tif 000034
【００７４】
マスターデータベース１３０は、マスター管理者により維持され、マスター管理者は、マスターデータベース１３０のコンテンツに対して読み取ることと書き込むこととの両方の権限を持っている。ＳＰＮ１２０、１２５の管理者はマスターデータベース１３０からデータを読み取る能力を持っているが、以下でさらに完全に説明するように、ある環境においては、マスターデータベース１３０にデータを書き込むことだけができる。
【００７５】
さらに図１Ｇを参照すると、それぞれのＳＰＮは、ローカル加入者データベースを維持し、ローカル加入者データベースはＳＰＮ１２０に対するローカルデータベース１３５およびＳＰＮ１２５に対するローカルデータベース１４０のようなものである。ローカルデータベース中の少なくともいくつかのデータフィールドは、マスターデータベース１３０中のデータフィールドに対応する。この点に関し、ローカルデータベースは、ＳＰＮのそれぞれの加入者のために、加入者のしるしおよび電話番号のようなデータを含む。このように、それぞれのＳＰＮは、各ローカルデータベース中に含まれるデータを維持する唯一の権限を持っている。マスターデータベース１３０は、集団ローカルデータベース内に含まれるすべてのデータの編集物、または単に特定のＳＰＮ１２０により発行される特定の電話番号に関係付けられているすべてのデータの編集物を含む。いくつかのケースにおいて、ＳＰＮ１２０は、従来のＣＮＡＭ（またはそれに関連したもの）におけるようにルックアップに対して電話番号を決定する１つのデータベースを維持するだけでもよい。１つのデータベースだけが維持されるケースでは、ＳＰＮ１２０のデータベース１３５およびマスターデータベース１３０は、電話通信ネットワークのその他の部分に対して、単に１つの単一データベース（１３５または１３０のどちらか）になるであろう。各ＳＰＮ１２０および１２５は、公式のマスターデータベース１３０（またはＣＮＡＭデータベース）のように単一データベース１３５または１４０を維持してもよいことも理解される。そのため、マスターデータベース１３０およびＳＰＮ１２０、１２５のデータベース１３５、１４０は、ここに含まれている図において完全に相互に交換可能であってもよい。
【００７６】
言及したように、ＳＰＮは、限られた環境にしたがって、マスターデータベース１３０に対してデータを提供することができる。例えば、マスターデータベース１３０は同期化プロセスを定期的に実行し、同期化プロセスではマスターデータベース１３０は、ローカルデータベースからのデータのアップロードをするためにローカルデータベースに照会し、アップロードはローカルデータベース全体、または修正されたデータだけを含むことができる。このような同期化は、予め定められた時間スパンの経過において定期的に行うなど、定期的なベースで行うことができる。データを同期化させることができる別の方法は、各ローカルデータベースにおいて何らかのデータが修正または更新されたときに、マスターデータベース１３０にプロンプトを送信するＳＰＮによるものである。そのようなプロンプトを受信すると、データベース１３０はデータの同期化を実行する。データを同期化させることができる別の方法は、マスターデータベース１３０とＳＰＮのデータベース１３５または１４０とを同期化させるために修正（例えば、追加、削除、および／変更）を押し付けるＳＰＮによるものである。
【００７７】
通常の発呼者ＩＤプロセスは、次のように動作する。最初に、電話機１１０における（ＳＰＮ１２０の加入者である）発呼者は、電話機１１５における（ＳＰＮ１２５の加入者である）被呼者に対して通話を開始する。電話機１１０は、ＳＰＮ１２０と接続を確立し、ＳＰＮ１２０はＳＰＮ１２５と接続を確立する。言及したように、ＳＰＮ間の接続は相互交換キャリア（すなわち、長距離プロバイダ）により行うことができる。
【００７８】
被呼者が発呼者ＩＤサービスに加入し、発呼者が、彼の電話番号が表示されることをブロックしたり、または制限したりしていないと仮定すると、ＳＰＮ１２５は、マスターデータベース１３０に含まれている発呼者の電話番号に関係付けられた加入者のしるし（例えば、加入者の名前）および／または電話番号のような関連情報をマスターデータベース１３０に照会する。言及したように、マスターデータベース１３０は、ＳＰＮ１２０のローカルデータベース１３５とマスターデータベース１３０との間で行う同期化プロセスにしたがった情報を含んでいる。被呼者のＳＰＮ１２５は、次に、マスターデータベース１３０から発呼者の関連情報を取得し、表示のために被呼者の電話機１１５に対してそのような情報を提供する。例えば、電話機１１５は、ＳＰＮ１２５がマスターデータベース１３０から取得した発呼者の名前および電話番号を表示することができる。この方法では、被呼者には、発呼者ＩＤサービスにしたがって発呼者の関連情報が提供される。
【００７９】
ローカルデータベースはそれらの各ＳＰＮにより維持され、ＳＰＮは一般に会社のような事業主体を含むことを理解すべきである。ＳＰＮに対する個人のユーザ（すなわち、加入者）は、ＳＰＮに含まれているデータを任意に修正する権限または能力をもっていない。加入者が、ＳＰＮのローカルデータベースに含まれるそれらの情報を変更することを望む場合、加入者は、ＳＰＮとコンタクトし、情報を変更することを要求しなければならないであろう。加入者は次に、ＳＰＮが、要求された変更を実現することを待たなければならない。それゆえに、潜在的な退屈さが、このようなプロセスに関係している場合には、加入者は一般的に、彼らの発呼者ＩＤを修正することに気が進まないことがありうることが理解できる。最後に、そのような何らかの要求された変更を承認することは、ＳＰＮ１２０またはローカル電話番号データベース１３５または１４０を制御する当事者次第である。一般に、ＳＰＮ（１２０、１２５）およびサービスプロバイダは、ローカルデータベース１３５内に見出されるフィールドを完成するために加入者の課金情報を使用することを好み、課金情報は、ひいては後にマスターデータベース１３０に複製される。
【００８０】
ＳＰＮの加入者にとってより一層ユーザフレンドリである発呼者ＩＤサービスを提供するシステムおよび方法を今から説明する。さらに図１Ｇを参照すると、電気通信ネットワーク１００はプライベートデータベース１４５を含み、プライベートデータベース１４５は、ＳＰＮを通過する必要なく加入者によりアクセスされることができる。プライベートデータベース１４５は、１つ以上の電話番号のブロックに関係付けられているデータを含み、その電話番号は、予め購入されたか、またはさもなければ１つ以上のＳＰＮから取得されたものである。例えば、プライベートデータベース１４５に関係付けられている電話番号は、ＳＰＮ１２０から取得された数百の電話番号およびＳＰＮ１２５から取得された数百または数千の電話番号を含むことができる。最後に、プライベートデータベース１４５に関係付けられている電話番号は、加入者が、彼の自宅、セル、または職場の電話番号のようなすでに制御（すなわちアクセスまたは使用のための許可）を有する番号を含むことができる。プライベートデータベース中のそれぞれの電話番号に対して、表１を参照して上述した主しるしのような関係付けられている主しるしがある。主しるしは、電話番号に関係付けられている加入者が電話通話を行うとき、発呼者ＩＤとともにデフォルトとして表示されるしるしである。それぞれの電話番号は、以下でさらに説明するように、それらに関係付けられている追加的なデータも持つことができる。
【００８１】
１つの実施形態において、プライベートデータベース１４５中のそれぞれの電話番号は、それらに関係付けられている１つ以上の代替しるしも持つ。代替しるしは加入者指定のしるしを含み、加入者指定のしるしは発呼者ＩＤとともに代わりに表示でき、または主しるしに追加して表示できる。言い換えれば、代替しるしは、プライベートデータベース中の電話番号に関係付けることができるさまざまな“エイリアス”を含む。以下の表２は、電話番号、主しるし、代替しるしのためのフィールド、および“他の”データフィールドを有するプライベートデータベースの例示的な実施形態を示し、これらのデータフィールドを以下でより完全に説明する。
【表２】
2008522501.tif 000035
【００８２】
表２中で示されるプライベートデータベースの例において、電話番号“８８８−５５５−１１１１”は、“ジョーン ドウ”の主しるし、“ジェーン ドウ”の第１の代替しるし、および “ＡＣＭＥ製品”の第２の代替しるしを持っている。表２は２つの代替しるしを有するようなプライベートデータベースを示すが、代替しるしの使用数は（必要ならば）変更できることを理解すべきである。
【００８３】
電気通信システムのプライベートデータベース１４５は、次のようにセットアップされる。最初、個人または事業体のようなエンティティは、ローカル交換キャリアまたは他のＳＰＮのような電話サービスプロバイダから１つ以上の電話番号に対する権利を取得する。すべての取得された電話番号は、プライベートデータベース１４５中のエントリが割り当てられる。電話番号は、次に、プライベートデータベース１４５を維持しているサービスの加入者に対して、例えば、有料で割り当てられる。その後、加入者は、電話番号を使用して、電気通信ネットワーク上で電話通話を行ったり、受信したりすることができる。
【００８４】
プライベートデータサービスへの加入者は、加入者が適合すると思うようにプライベートデータベースのフィールドにデータを一括入力することができる。このようにして、加入者は、主しるしのコンテンツおよび代替しるしのコンテンツを指定することができ、意のままにそのようなコンテンツを変更することができる。以下でより完全に説明するように、加入者は、さまざまな方法でプライベートデータベースのコンテンツを編集することができ、さまざまな方法は、インターネットを通してプライベートディレクトリにアクセスしたり、または彼の電話にロードされた特別のアプリケーションを使用したりすることによるようなものである。したがって、加入者は、プライベートデータベースのコンテンツを見たり、または編集したりするのに何らかのＳＰＮの許可を得る必要はない。
【００８５】
プライベートデータベース１４５は、直接的に、または間接的にマスターデータベース１３０と同期化するように構成されている。プライベートデータベース１４５とマスターデータベース１３０との間の同期化の目的は、プライベートデータベース１４５から最も新しい電話番号とそれに対応する主しるしをマスターデータベースに提供することである。この方法において、加入者が、電話番号の１つに関係付けられている通話を行うとき、対応する発呼者ＩＤのしるしは、プライベートデータベースの主しるしである。プライベートデータベース１４５は、さまざまな方法で構成することができ、表１に示される構成は、単なる例示であることを理解すべきである。例えば、電話番号および主しるしは、データベースの（フィールド１および２のような）異なるフィールドにセットされてもよい。
【００８６】
言及したように、プライベートデータベースとマスターデータベースとの間の同期化は、直接的または間接的な方法のどちらかで行うことができる。直接的な同期化は、上述したように、ＳＰＮローカルデータベースがマスターデータベース１３０と同期化するのと同じ方法で行うことができる。つまり、図１Ｇ中でプライベートデータベース１４５とマスターデータベース１３０とを接続する同期化ライン１４７により表されるように、プライベートデータベース１４５は、マスターデータベース１３０と直接通信する。同期化１４７が行われるとき、マスターデータベース１３０はプライベートデータベース１４５からの電話番号および主しるしのデータにより更新される。
【００８７】
代わりに、プライベートデータベースとマスターデータベースとの間の同期化は、間接的であってもよい。間接的なシナリオにおいて、図１Ｇ中で同期化ライン１５０により表されるように、プライベートデータベース１４５は、ローカルデータベース１３５のような１つ以上の関係付けられているＳＰＮローカルデータベースと直接的な同期化を行う。プライベートデータベース１４５は、更新された電話番号およびユーザにより選択された主しるしのデータをローカルデータベースに提供する。次に、ローカルデータベース１３５はマスターデータベース１３０と同期化するとき、プライベートデータベースからの最新のデータにより、実際上マスターデータベース１３０が更新される。とにかく、直接的または間接的などちらかの同期化シナリオのため、マスターデータベースはプライベートデータベース１４５からのデータにより定期的に更新される。
【００８８】
使用において、プライベートデータベースの加入者は、加入者がプライベートデータベースを通して正当に取得したアクセスを有する電話番号の１つに関連して電話通話を行う。そのような電話番号に対して、対応する主しるしがプライベートデータベース、マスターデータベース、および、おそらくは以前の同期化の結果としてＳＰＮの１つ以上のローカルデータベース中に存在する。電話通話は、上述した電気通信システムを通してルーティングされる。被呼者が発呼者ＩＤサービスを有している場合、次に、被呼者のＳＰＮは、被呼者の電話機器上での表示のために、呼び出しているしるしをマスターデータベースに照会する。言及したように、マスターデータベース１３０中のしるしは、マスターデータベースとプライベートデータベースとの間の最も最近の同期化の時点でのプライベートデータベース中の主しるしと同じである。
【００８９】
１つの実施形態において、プライベートデータベース１４５の加入者は、プライベートデータベース１４５に遠隔操作でアクセスして、彼らの電話番号に関連した情報を見たり、および／または修正したりすることができる。加入者は、以下でより完全に説明するように、プライベートデータベースのコンテンツを修正することもできる。プライベートデータベース１４５は、例えば、インターネットのような通信ネットワークまたは電話機内にロードされた特別のアプリケーションにより遠隔操作でアクセスすることができる。プライベートデータベースを修正することに関して、プライベートデータベース中の電話番号の所有者は、主しるしのフィールドのコンテンツを変更することができ、主しるしを代替しるしに変更することができ、または代替しるしを主しるしに変更することができる。プライベートデータベースとマスターデータベースとの間の次の同期化において、加入者が行った変更がマスターデータベース中に反映されるであろう。この方法では、加入者は、すばやくかつ簡単な方法で彼らの電話番号に関係付けられている識別子のしるしを更新することができる。このようにして、加入者は、プライベートデータベースを更新することにより（ＣＮＡＭデータベースのような）マスターデータベース１３０を実際上更新（すなわち、修正または追加）することができる。
【００９０】
上で説明したように、プライベートデータベースは、電気通信ネットワーク１００中のある位置に存在する（“エイリアスサービスプロバイダ”として呼ばれる）サービスプロバイダにより管理することができる。エイリアスサービスプロバイダを使用して電話通話を行う方法を今から説明する。方法により、エイリアスサービスの加入者が、発呼者ＩＤシステムにしたがって被呼者に提供される情報を規定することができる。図２中で示されるフロー図を参照して方法を説明する。フロー図ボックス２１０により表される最初の動作において、加入者はエイリアスサービスプロバイダと電気通信（またはネットワーク）接続を確立することができる。“加入者”は、個人または事業体のようなエンティティであり、加入者は、図１Ｇ中で示される電話機１１０のような電気通信デバイスへのアクセスを有する。
【００９１】
言及したように、電話機１１０は、何らかのタイプの電気通信デバイスであればよい。例えば、１つの実施形態において、電話機１１０は従来の方法でＳＰＮ１２０に接続されている従来の電話機である。このケースにおいて、加入者は、エイリアスサービスプロバイダに関連付けられている電話番号をダイヤルすることによりエイリアスサービスプロバイダに接続する。エイリアスサービスプロバイダに関係付けられている、および／またはそれにより制御される電気通信機器は、例えば、ＳＰＮ中央オフィスに存在することができる。代わりに、エイリアスサービスプロバイダは、ネットワーク１００中の他のいくつかの位置に存在することができる。そのようなシナリオでは、加入者は、エイリアスサービスに関係付けられている特別の電話番号をダイヤルすることによるなど、手動で電話通話がエイリアスサービスを通過するようにすることができる。別の実施形態において、１０１０−２２０タイプの番号のような専用電話番号が、エイリアスサービスに到達するために呼び出される。
【００９２】
別の実施形態において、電話機１１０は、例えば、セルラーサービスまたはパーソナル通信サービス（ＰＣＳ）にしたがって作動するワイヤレス電話機を含む。そのようなケースにおいて、電話機１１０は、ワイヤレス電話サービスプロバイダの基地局および移動交換局に最初に接続することによりＳＰＮおよび／またはエイリアスサービスプロバイダに接続することができる。移動電話サービスプロバイダは、次に、エイリアスサービスプロバイダに対して通話の制御を引き渡す。代わりに、移動サービスプロバイダは、移動サービスプロバイダが制御する（例えば、加入者にサービスを提供するような、移動サービスプロバイダまたはＳＰＮにより制御される）エイリアスサービスシステムに通話を接続する。そのようなシナリオにおいて、移動サービスプロバイダは、それ自身のエイリアスサービスを実現および／または運営する。こうして、移動プロバイダは、それ自身のエイリアスサービスを構築および管理することができる。
【００９３】
１つの実施形態において、ワイヤレス電話機１１０は、図３Ａに示されるような電話機１１０上に存在するアプリケーション３１０を備えている。アプリケーション３１０は、電話機１１０上にも存在する（電話帳としても知られている）コンタクトディレクトリまたはデータベース３１５にアクセスすることができる。コンタクトディレクトリ３１５は、コンタクトのデータベース（またはリスト）を有するが、例えば、よく知られている方法で、名前、関連する電話番号、住所などを含むことができる。アプリケーション３１０が実行されるとき、アプリケーション３１０は、電話機１１０から開始される後続する電話通話を（エイリアスサービスプロバイダに関係付けられている番号を自動的にダイヤルし、次に、エイリアスサービスプロバイダに電話通話を開始させることによるなど）エイリアスサービスプロバイダに自動的に通過させる。図４に示される別の実施形態において、電話機１１０は、エイリアスサービスプロバイダに離れて位置付けられているコンタクト電話ディレクトリ１８４へのアクセスを有する。
【００９４】
有利なことに、アプリケーション３１０は、コンタクトディレクトリ３１５にインターフェイスしているので、加入者はコンタクトディレクトリ中で１つのエントリ（または複数のエントリ）を選択することにより、コンタクトディレクトリから通話を開始することができる。アプリケーション３１０は、次に、電話機を自動的にエイリアスサービスプロバイダに接続させ、加入者に何かさらに介入させることなく、エイリアスサービスプロバイダに何らかの必要とされる情報を提供する。この方法において、全体のプロセスは加入者にトランスペアレントであり、最初にアプリケーション３１０を実行する以外は、加入者による何らかの特別な行動を必要としない。アプリケーション３１０は、ＶｏＩＰが可能な電話機またはハイブリッドセルラー／ＶｏＩＰ電話機のような他の電気通信デバイスとともに使用することもできる。
【００９５】
１つの実施形態において、コンタクトディレクトリ３１５中の情報のバックアップバージョンは、インターネットのようなコンピュータネットワーク上に存在させることができる。電話機１１０を使用して、インターネットを通してコンタクトディレクトリ３１５にアクセスして、コンタクトディレクトリ３１５中に含まれる情報を見たり、追加したり、または改訂したりすることができる。代わりに、インターネットに電話機を結合する以外に（ＰＣのような）別のデバイス上のウェブブラウザにより、ユーザはコンタクトディレクトリ３１５中のデータを見たり編集したりすることができる。このことは、電話機１１０を使用して情報を追加したり、または改訂したりすることよりも場合によっては容易である。加えて、加入者が複数の電話機を持っている場合、加入者が電話機を切り替える場合、または加入者が自分の電話機を無くし、新しい電話機に情報を復元する必要がある場合などにおいては、コンタクトディレクトリ３１５のバックアップバージョンに含まれる情報を、（その他の電話機が、最初の電話機と互換性があろうとなかろうと）別の電話機にダウンロードすることができる。このように、コンタクトディレクトリ３１５中に含まれる情報は電話機それ自体に含まれ、バックアップは、インターネットまたは他の何らかのデータネットワーク上のどこかの位置に含まれる。バックアップシステムは、以下でより詳細に説明する。
【００９６】
図２のフロー図を再び参照すると、加入者がエイリアスサービスプロバイダに接続した後、加入者は、フロー図ボックス２１５により表されるようにサービスプロバイダに関連のある情報を提供する。図６中で示される、方法の代替実施形態において、通話構成パラメータの形態をとっている関連のある情報は、サーバからアクセスされ、このサーバは、図６中のフロー図ボックス２２０ｂにより表されるようにエイリアスサービスプロバイダにおいてプロファイルを記憶する。
【００９７】
加入者が、手動により情報を提供する場合、加入者は被呼者に対する電話番号を提供するが、被呼者は、例えば図１Ｇ中の電話機１１５のような加入者が呼び出そうとしている相手である。アプリケーション３１０（図３Ａ）が通話を取り扱っているシナリオにおいて、アプリケーション３１０は、エイリアスサービスプロバイダに対して被呼者の電話番号を自動的に提供するように構成することができる。言及したように、アプリケーション３１０は、電話機上でコンタクトディレクトリ３１５（図３Ａ）から被呼者の電話番号を取得することができる。代わりに、加入者はエイリアスサービスプロバイダによって提供されるプロンプトに応答して、被呼者の電話番号を手動により入力することができる。
【００９８】
加入者は、エイリアスサービスプロバイダに存在する標準（または拡張）コンタクト電話ディレクトリ１８４（図４）により、またはサービスプロバイダの名前ディレクトリルックアップ（ＮＤＬ）１８２（図４）エンジンにより、ダイヤルする電話番号を選択することができる。ＮＤＬは、名前および電話番号の自己登録（または選択式の）データベース、あるいはもっと一般的なイエローページエンジンであってもよく、一方で、拡張コンタクト電話ディレクトリ１８４は、ユーザが自分の電話機に入力するために選ばないがエイリアスサービスプロバイダに存在する電話番号を含んでもよい。これにより、加入者は、自分の標準コンタクト電話ディレクトリ３１５（図３Ａ）内に表われないプライベートコンタクト電話データベース１８４（図４）にアクセスすることができる。加入者（すなわちアプリケーション３１０）は、パスワード、ログインＩＤ、ＥＩＮまたは、このような他の何らかの情報を提供することもでき、エイリアスサービスプロバイダはそのような情報を使用して、サービスプロバイダを通して通話を行う権限が加入者に与えられていることを確認する。
【００９９】
アプリケーション３１５はそれ自体、プログラムそのものを開始するために、ユーザログインおよび／またはパスワードを提供することを加入者に要求してもよい。加えて、特定の電話番号、コンタクトまたはダイヤリングルールは、加入者によって選ばれたパスコードまたは異なるパスコードの再認証を要求してもよい。
【０１００】
別の実施形態において、加入者は電話通話を開始するためにグループコードを選択してもよく、１つ以上の電話番号がグループコードに関係付けられている。加入者がグループコードにしたがって通話を開始するとき、選択されたグループコード内に見出されるすべての番号が同時に呼び出される。これにより、加入者は、自分の電話機内に見出される自分のコンタクトリストから個々の潜在的な会議参加者を１人残らず選択する必要なく、１つの選択により会議通話リスト上にあるすべての者を選択できる。これらのグループコードは、加入者ダイヤリングプロファイルとともに、または彼の／彼女の標準／拡張コンタクト電話ディレクトリ１８４（図４）内に位置付けられている。
【０１０１】
図２中のフロー図ボックス２２０により表される次の動作において、加入者は、エイリアスサービスプロバイダに１つ以上の通話構成パラメータを提供する。構成パラメータはアウトバウンド通話の構成を規定する。１つのそのような構成パラメータは、アウトバウンド電話番号を含み、アウトバウンド電話番号は、通話に対して加入者の電話番号として使用される。加入者は、加入者がプライベートデータベース１４５上で所有している（またはアクセスを有する）任意の電話番号を選択することができる。例えば、上の表２を参照すると、加入者はデータベース中で加入者自身の電話番号１および２を所有してもよい。インスタント通話のために、加入者は、電話番号として電話番号１（８８８−５５５−１１１１）を選択してもよく、電話番号１は、インスタント通話において発信番号として使用される。以下でさらに説明するように、被呼者が通話を受信するとき、電話番号１が、発呼者ＩＤ番号として表示され、電話番号１（８８８−５５５−１１１１）に対する主しるしも表示される。
【０１０２】
別のそのような構成パラメータは、発信元の実際の位置または環境とは異なる位置または環境から電話通話が発信しているかに見えるように電話通話の構成を変更するために使用できるパラメータと関係がある。例えば、１つのそのようなパラメータは、以下で説明するように、通話に送られるバックグラウンドまたは環境のノイズを含む。
【０１０３】
上述の内容に加えて、アプリケーションは、ユーザにより管理されるＰＩＭ（パーソナル情報マネージャー）機能を提供する。ユーザが（ＰＩＭでない）標準セル電話機上で通話を受信するとき、ユーザインターフェイススクリーンが示され、ユーザインターフェイススクリーンは、発呼者または被呼者について予め記憶されている情報を提供する。この機能は両方の方法で動作する。この機能は、非ＰＩＭベースの電話機に制限されたＰＩＭ機能を提供する。
【０１０４】
別の構成パラメータは、発呼者ＩＤがこの特定の通話に対してイネーブルされているかどうかというものにすることができる。構成パラメータは、発呼者ＩＤがこの通話に対してはイネーブルされるか、または発呼者ＩＤがこの通話に対してブロックされることを指定できる。構成パラメータにより、加入者による指定がない限り、加入者は、（頻繁に呼び出される番号のような）予め選択された電話番号をデフォルトの“ブロックされない”状態にさせ、他の電話番号をデフォルトの“ブロックされた”状態にさせるように、フラグを立てることができる。このような選択式の発呼者ＩＤシステムにより、通話毎のベースで“通話ブロック（*６９）またはアンブロック（*８２）”を手動により選択する必要がない適切なダイヤリングパラメータを加入者に保証する。選択式の発呼者ＩＤにより、加入者は、自分の家または事務所のような相当頻繁に呼び出される電話番号に対してフラグを立てることができる。
【０１０５】
プライベートデータベースは、それぞれの構成パラメータに対してデフォルト値を含むことができ、デフォルト値は、プライベートデータベースの“他の”フィールドに含まれる。この方法において、プライベートデータベース（または拡張コンタクト電話ディレクトリ１８４）中のそれぞれの電話番号は、予め定められたデフォルトのエイリアス構成を持つことができ、そのエイリアス構成は、それらの番号に関係付けられているアウトバウンド（またはインバウンド）通話に対して使用される。
【０１０６】
言及したように、加入者は、プライベートディレクトリ中の情報を追加したり、または編集したりすることができ、それらの情報は、加入者により所有されている電話番号に関係付けられている。加入者は、主しるしまたは代替しるしに新しい名前を付けるなど、何らかのしるしを変更することができる。加入者は、代替しるしの１つを主しるしになるように変更することもできる。例えば表２中で、加入者は、“ジョーン ドウ”以外の“Ａｃｍｅ製品”を示すように主しるしを変更することができる。
【０１０７】
図８および図９は、ユーザに提供される構成情報を実現するために、アプリケーション３１０により電話機の表示スクリーン上に示される一連の例示的なユーザインターフェイスを示す。図８および図９に示されるユーザインターフェイスは、図１Ｂおよび図１Ｃ中で説明したプロセスにしたがって、構成情報を提供するために使用することもできる。最初のユーザインターフェイス８１０は、ここで説明する機能に対応する複数の、ユーザ選択可能な機能をともなうメニューを含む。アイテム２“ディレクトリダイヤル”のようなメニューアイテムの選択により、構成オプションを表示するユーザインターフェイス８３０を直接導くことができる。代わりに、ユーザインターフェイス８２０（図９）を表示することができ、ユーザインターフェイス８２０は、例えば、ダイヤルできる電話帳エントリのリストを含む。
【０１０８】
ユーザは、（図９中のエントリ番号６“ジョーン アダムス”のような）電話帳エントリを選択することができ、エントリは、特定のプロファイルに関係付けられている。エントリの選択により、ダイヤルされている番号に基づいてアウトバウンド発呼者ＩＤと、その番号に関係付けられているプロファイルとを自動的に変更することができる。例えば、ダイヤルされている番号が、ユーザのローカルまたはネットワークデータベース中で、仕事コンタクト対個人コンタクトとしてマークされている場合、アウトバウンド発呼者ＩＤを特定の番号に変更することができる。何らかの環境の下で、自分の“デート番号”から自分の“仕事番号”に、ユーザが自分のアウトバウンド発呼者ＩＤを偶然に変更することを防ぐ“置き換え禁止”とする送出発呼者ＩＤのフラグをユーザが立ててもよい。これにより、ユーザは個人にダイヤルするときに深刻な誤りをすることを防ぐことができる。
【０１０９】
ユーザインターフェイスにより、ユーザは、セル電話機のような第１の電話機から通話を開始し、そのセル電話機以外のデバイス上で通話を開始するようにエイリアスサービスに指示することができる。これは、セル電話機のカバレッジが不十分なエリアに対して、またはユーザがスピーカーホンを使用したいときに有用である。ユーザインターフェイス８１０により、ユーザは通話に対する構成をセットアップすることができ、構成は、呼び出すための番号、送信されるべき発呼者ＩＤパラメータ（ユーザインターフェイス８３０）、および通話を開始するデバイス（ユーザインターフェイス８５０）のようなものである。
【０１１０】
ユーザインターフェイス８２０において名前／番号の対を制御する認証システムは、番号が受け入れ可能なアウトバウンド通話ＩＤとして加えられる前に、ユーザが番号の物理的な制御を有することを確認する。図８および図９中、ならびにここでの他の図中で示されるユーザインターフェイスは、ユーザインターフェイスがどのような格好のものかを表す例に過ぎず、ユーザインターフェイスは変更できることを理解すべきである。
【０１１１】
再度図２を参照すると、次の動作において、エイリアスサービスプロバイダは、（図１Ｇ中のＳＰＮ１２０のような）ＳＰＮと接続を確立し、次に、被呼者のＳＰＮと接続を確立する。上で説明したように、被呼者が、発呼者ＩＤサービスを使用する（すなわち加入する）場合、被呼者のＳＰＮはマスターデータベース１３０に接続し、発呼者の電話番号に関係付けられている発呼者ＩＤ情報を取得する。このような発呼者ＩＤ情報は、プライベートデータベース１４０とマスターデータベース１３０との間の最新同期化の時点で、ユーザにより指定されている通り、プライベートデータベース１４０中に含まれる情報と同じである。とりわけ、ＳＰＮは、通話の開始の間、加入者により予め指定された電話番号およびその電話番号に関係付けられている主しるしにアクセスするであろう。有利なことに、インターネットのようなもの通して、プライベートデータベースにアクセスすることにより、加入者は、容易に主しるしを更新したり、あるいは変更したり、または代替しるしを選択したりすることができる。
【０１１２】
ＳＰＮ１２０により、発呼者ＩＤ情報を通話プロセスの間に送ることができ、受信ＳＰＮ１２５が電話番号ルックアップ（すなわちＥＮＵＭルックアップ）に要求することなく発呼者ＩＤ情報を受け入れるようなシナリオにおいて、次に、図１Ｇ中のマスターデータベースルックアッププロセスは、終端ＳＰＮ１２５における簡易な受信（例えば、番号および名前）への送信ＳＰＮ１２０からの簡易な送信（例えば、番号および名前）に取って代わる。
【０１１３】
インバウンド通信のブロックキングまたはフィルタリング 
セクシャルプレデターまたは犯罪人の通知機能により、呼び出している人物がリストアップされたセクシャルオフェンダーであるか、または呼び出される人物に犯罪歴があるかを（自動化されたプロセスで）割り出すことができる。加えて、その逆も実現することができる。リストアップされたセクシャルオフェンダーまたは犯罪歴のある人物が、実際の番号のうちの１つを呼び出そうとしていることをエイリアスサービスプロバイダが認識するとき、被呼者が受信しようとする通話が、記録されたセクシャルオフェンダーまたは犯罪歴がある誰かからのものであることが被呼者に通知される。図７は、セクシャルプレデターに対する機能を規定するために電話機１１０上で表示することができる例示的なセクシャルプレデターインターフェイス７１５および７２０を示す。
【０１１４】
年少の子供または保護下にある人物が、知らない人からの通話を受信するのを防ごうと望んでいる人のために、ステルスモード機能が設計されている。この機能は、ユーザの現在の電話帳３１５（またはオンラインＣＤＦ１８４）内に見出されない発呼者からの通話をブロックする。この機能は、ユーザの電話帳内にリストアップされていない個人の番号へのアウトバウンド通話をブロックするために使用することもできる。図７Ａは、例示的なステルスモードインターフェイス７２５を示す。
【０１１５】
年齢または性別確認システムにより、年齢および／または性別パラメータにより規定される年齢および／または性別に基づいて、ユーザは通話を受け入れたり、または拒否したりすることができる。年齢パラメータは、セル電話機（図３Ａ）それ自体中に、またはネットワーク（図４）上に存在してもよい。その機能により、ある年齢より上、下、またはちょうどその年齢である誰かへの通話をユーザは限定することができる。これは、発呼者または呼び出している誰かの実際の年齢を確認するために、デートワールドにいる人々により利用することができる。図７Ａは、エイリアスサービスがこのような機能をどのように管理するかについて制御を行う例示的な年齢確認インターフェイス７３０を示す。
【０１１６】
通話が、通話パラメータ以外の誰かから受信されるとき、ユーザは自動的な動作をセットアップする機能を有する。この動作は、発呼者が再度呼び出すことを阻止する予め録音されたメッセージ、自動的な電話の切断、自動的な話中音、または（上で規定された動作をブロックするような）他の何らかの動作とすることができる。
【０１１７】
年齢確認は、キャリアにより電話機内にセットすることができる（または、確認されていない年齢パラメータをユーザによりセットすることができる）。確認されていない年齢がセットされた場合、他の当事者は通知を受けることができる。加えて、年齢パラメータは、クレジットカードまたは社会保険ルックアッププロセスを通してセットすることができる。他の形態の保証された年齢確認を代用してもよい。望まれる場合には、この機能は他のルールとともに使用することができる。
【０１１８】
１つの実施形態において、エイリアスサービスプロバイダは加入者の年齢確認のためのシステムを提供する。言及したように、加入者は単一のエイリアス番号またはグループのエイリアス番号に関係付けられているプロファイルをセットアップすることができる。プロファイルを予め規定されたまたは自動的に規定されたルールに関係付けることができ、それらのルールは、インバウンドおよびアウトバウンド通信がエイリアス番号に対してどのように取り扱われるかを左右する。年齢に関連する機能をプロファイルに関係付けることができる。
【０１１９】
図７Ｂは、エイリアスサービスプロバイダの年齢確認機能に関する例示的なフロー図を示す。最初の動作２４１０において、加入者（ユーザ）は、年齢確認ユーザインターフェイスへのアクセスを選択するが、インターフェイスは図または音声によるものでもよい。動作２４２０において、ユーザは主プロファイルにアクセスするか、または代替のプロファイルにアクセスするかを選択する。最初の代替動作２４９０にしたがうと、ユーザは年齢にプロファイルを関係付け、その年齢は、電話機に関係付けられているＳＰＮにより、電話機中にすでに記憶されているものである。動作２４９５において、ユーザの年齢は電話機上またはサーバ上に記憶される。年齢は、そのときエイリアスサービスプロバイダにより容易にアクセス可能であるので、エイリアスサービスプロバイダは、年齢に基づいて通信をフィルタリングすることができる。
【０１２０】
別の代替動作２４３０において、ユーザは、手動により彼のまたは彼女の年齢を入力する。方法は次に、上述した動作２４９５に進む。さらに別の代替動作２４４０において、エイリアスサービスプロバイダは、ユーザの年齢の証拠を尋ねる。証拠についての問い合わせは、アプリケーションそれ自体から生じることがあり、またはエイリアスサービスプロバイダにおけるサーバから促すことができる。動作２４５０において、ユーザは年齢について何らかのタイプの証拠を提供する。証拠は変更することができるが、例えば、年齢に結びついた電話番号、社会保障番号、クレジットカード番号などを含むことができる。提供された証拠に基づき、例えば提供された電話番号に関係付けられている電話会社（動作２４６０）、社会保障局のような事務局（動作２４７０）から、またはクレジットカード発行者（動作２４８０）から年齢を得ることにより、エイリアスサービスプロバイダは、年齢を確認することができる。方法は次に、上述した動作２４９５に進む。
【０１２１】
人気機能により、ユーザは人気得点に基づいて、呼び出すことが認められる者（またはユーザが呼び出したい者）に関して、ある制限をセットすることができる。図７Ａは、人気ランキングインターフェイス７３５を示す。１つの実施形態において、加入者でない者は、ある個人が加入者であるかないかにかかわらず、その個人に関する情報をエイリアスサービスプロバイダに提供することができる。このような情報は、エイリアスサービスプロバイダにより記憶され、インバウンドおよびアウトバウンド通話のフィルタリングの際に使用することができる。
【０１２２】
ネガティブフィードバックにより、ユーザは他からのネガティブフィードバックに基づいて、呼び出すことが認められる者（またはユーザが呼び出したい者）に関して、ある制限をセットすることができる。言い換えれば、十分多くの人々が、ネガティブとして１人の者を識別した場合、彼らの得点はそれを反映するであろう。例示的なネガティブランキングインターフェイス７４０が示される。同様に、人の電話番号をアプリケーションまたはエイリアスサービスプロバイダに単に入力することにより、“配偶者の有無”パラメータを個人によりセットしてもよい。ユーザからのこの自動化されたフィードバックの方法により、エイリアスサービスプロバイダは、必ずしもエンドユーザに関する名前またはアドレス情報を集めることなく、そのサービスに関係付けられていないユーザに関する多くの情報を集めることができる。
【０１２３】
バックアップデータベースサービス 
上述したように、コンタクトディレクトリのバックアップバージョン（図３Ａ）はインターネットを通して、エイリアスサービプロバイダ上のようなデータネットワーク上に記憶することができる。ユーザは、インターネットのようなデータネットワーク上にあるバックアップデータベースに、特定の電話機内にあるコンタクトデータベース３１５中のすべてのデータをコピーすることができる。これにより、ユーザは、別の電話機上に彼または彼女のコンタクト情報を複製することができる。
【０１２４】
１つの実施形態において、バックアップデータベースは、異なるモデルの電話機間におけるパラメータの差異を理解するように構成される。いくつかの電話機により、データベースはそれぞれのエントリに対する予め定められた数のパラメータを持つことができるが、それらのパラメータは、異なる電話機のモデルの間で必ずしも統一されていない。例えば、いくつかの電話機は、１つの自宅、職場およびセル番号だけを許可するが、一方で、他の電話機は複数の自宅、職場およびセル番号を許可する。加えて、いくつかの電話機は、それぞれの電話機コンタクトネームに対するファックス番号、ｅメールアドレスおよびウェブサイトアドレスを許可する。バックアップデータベースは、異なる電話機のモデルの間における差異をマッピングするように構成され、これによりユーザは、機能に富んだセル電話機間でデータをアップグレード、またはダウングレードさえすることができる。ユーザは、バックアップデータベースに彼のまたは彼女の電話機を接続することができ、バックアップディレクトリから必要なデータをダウンロードすることができる。
【０１２５】
データは、インターネットのようなデータネットワーク上に記憶されているため、ユーザは、電話ハンドセットの相違またはサービスプロバイダについて心配することなく、彼の／彼女の新しい電話機を入手した数分内に、損傷を受けた電話機から復旧することができる。このプロセスはこのようなことでなければ、古い電話機のアドレスを入力し直すのに何時間もかかったかもしれないし、または加入者によるハンドセットのモデルの変更が妨げられたかもしれない。
【０１２６】
拡張コンタクト電話ディレクトリ（ＣＰＤ） 
コンタクト電話ディレクトリ（ＣＰＤ）１８４は、エイリアスサービスプロバイダ１８０のようなネットワーク上の何らかの位置に存在することができる。これにより、コンタクト電話ディレクトリは、加入者の電話機のハードウェアにより制限されない量のデータを記憶することができる。
【０１２７】
従来の電話ハンドセットは、一般的にはそれぞれのハンドセットが記憶することができる電話機の名前／番号の数に制限がある。データは、電話機上にローカル的に記憶されているため、悪人により物理的にアクセスされる場合、電話機内に含まれるそれぞれの名前／番号のプライバシーが漏洩する可能性がある。拡張ＣＰＤ１８４により、加入者以外の誰に対しても見えないまたはアクセス可能でないプライベートあるいは拡張電話ディレクトリをユーザはインターネット上に維持できる。その上、コンタクトアイテムは、電話機に対して離れて記憶されているため、加入者は、記憶できる番号の数に何ら制限を持たないであろう。エイリアスサービスプロバイダ１８０は、加入者がＣＰＤ１８４にアクセスするために安全認証を提供するように要求することもできる。データベースは遠く離れており、アクセスする前に認証を必要とするため、コンタクト情報は、従来の電話機１１０中のようにローカル的に記憶される場合より、いっそう安全である。
【０１２８】
会議通話 
言及したように、エイリアスサービスプロバイダは、自動会議通話サービスを実現するように構成することもできる。この観点にしたがうと、加入者は、電話機あるいは他のエンドポイントクライアントデバイスまたはソフトウェア上に含まれる彼の／彼女のコンタクトアドレス内の（電話番号、ＳＩＰ ＵＲＩ、または他の何らかのタイプのアドレスのような）複数のアドレスを選択することができる。ユーザが実行コマンド（例えば、ダイヤル）を叩くとき、アプリケーション３１０または１８５は、一度にすべての選択された電話番号を自動的に呼び出し、結果として生じた通話を会議室にダンプする。加えて、ユーザは、会議通話に追加される他の番号をタイプ入力することもできる。
【０１２９】
図１０は、例示的な一連のユーザインターフェイスを示し、一連のユーザインターフェイスは、呼び出される所望の番号を単にタイプ入力することにより、電話のユーザが複数方式の会議通話を開始できるようにする。最初のユーザインターフェイス１０１０において、会議通話に含めるべき番号に関してユーザが一括入力することができるフィールドのリストが、ユーザに提供される。ユーザは、手動により番号を入力するか、あるいはユーザインターフェイス１０１５および１０２０などを通して、コンタクトデータベース３１５またはＣＦＤ１８４に含まれる番号から番号を選択することができる。また、通話が開始される（電話番号のような）識別子をユーザが指定することができるユーザインターフェイス１０２５だけでなく、ユーザが構成パラメータをセットアップすることをできるユーザインターフェイス１０３０にも、ユーザはアクセスすることができる。図１０は、呼び出される番号が一括入力された会議通話のフィールドを伴うユーザインターフェイス１０４０を示す。
【０１３０】
ユーザは、（電話機３１５に組み込まれた、またはエイリアスシステム１８０／１８４上に存在している）標準電話帳のルックアップ機能により呼び出す人々をルックアップしてもよい。
【０１３１】
単に、電話をかけることに加えて、アプリケーション３１０および／またはユーザインターフェイスにより、１つの会議通話における異なる人々が、呼び出されたときに異なる発呼者ＩＤを受信可能になる。発呼者ＩＤの変更は、手動により、またはシステム１８０／１８４上に予めセットアップされているエイリアスプロファイルにより実行することができる。
【０１３２】
アプリケーション３１０は、また、自動グループ会議通話を実現するようにも構成される。この実施形態において、ユーザ（すなわち加入者）は、電話内の彼の／彼女のコンタクトデータベース３１５中の１つ以上のエントリに、あるいは彼の／彼女のプライベートデータベース１４５のエントリ内にあるいは拡張ＣＰＤ１８４内にグループ識別子を追加することができる。いったんグループコードが追加されると、加入者は、単一の（または複数の）グループコードを選択し、選択（または送信）キーを叩くことができる。そのような機能により、加入者は電話機内にある１つのエントリを選択することにより３人以上の人々と会議通話を確立することができ、このエントリは、グループ識別子に関係付けられている。会議通話およびグループ会議通話の両方において、会議通話に加えられるためには、パスコードを入力したり、または電話キーパッド上のキーを押したりすることを発呼者は要求されるかもしれない。これにより、望まれていない個人またはボイスメールシステムが特定の会議通話に加えられることを防ぐことができる。
【０１３３】
コンタクト電話ディレクトリ（１４５、１８４）のいずれか１つ内にある何らかの名前または番号は、それに割り当てられる１つ以上のグループコードを持ってもよいことを認識すべきである。この方法において、単一のエントリが、グループ１、２および３に割り当てられてもよく、例えば、グループ１は、“プリパーティ”メンバに対するものであり、グループ２は、すべてのパーティメンバに対するものであり、およびグループ３は、クリーンアップメンバだけに対するものであってもよい。
【０１３４】
ダウンロード可能な通話ファクトデータベース 
アプリケーション３１０は、ダウンロード可能な通話ファクトデータベースを実現するようにも構成され、それは、例えば、ＣＦＤ１８４の一部としてエイリアスサービスプロバイダに存在することができる。通話ファクトデータベースは、コンタクトデータベース３１５またはＣＦＤ１８４内の電話番号のように、呼び出されるかもしれない電話番号に関係付けられているダウンロード可能なデータを含むデータベースである。データは、何らかのタイプの情報を含むことができ、それらの情報は住所、個人情報のようなものであり、写真、呼出音、ビデオなどのようなマルチ媒体データを含むこともできる。
【０１３５】
加入者がいったん電話通話を開始すると、システムは加入者の選択次第で、呼び出されている当事者（または複数の当事者）についての情報をＣＦＤ１８４からダウンロードしてもよい。ダウンロードされている情報は、呼び出されているそれぞれの人の画像を含んでいてもよい。この情報は、プライベートデータベース１４５または拡張ＣＰＤ１８４中に位置付けられてもよい。ダウンロード内に含まれる情報はユーザにより選択可能であり、単一の通話環境または上述した会議通話環境のどちらかで機能する。
【０１３６】
自動化された会議通話リマインダ（ＡＣＣＲ） 
別の実施形態において、エイリアスサービスプロバイダは、エイリアスサービスプロバイダによって予定されている来たるべき会議通話の出席者に対して、アプリケーション３１０またはアプリケーション１８５を通して、自動化された会議通話リマインダを行う。音声通話、テキストメッセージ、ｅメールメッセージを通してエイリアスサービスプロバイダにより、代替ネットワーク上のインスタントメッセージにより、または非同期の通知を可能にする他のネットワークにより、そのようなリマインダをトリガすることができる。ユーザが好む場合、システムは、ＡＣＣＲ通知中に組み込まれる自動カレンダー通知を含んでもよく、自動カレンダー通知は、自動カレンダーシステムインポートに使用することができる。ユーザが特定の通話における参加を断る場合、アプリケーション１８５は、会議通話ダイヤリングプロセスの間、断られた番号を一時的に修正（または無視）するであろう。
【０１３７】
自動化されたプロファイルベースのダイヤリング（ＡＰＤ） 
別に実施形態において、エイリアスサービスプロバイダは、自動化されたプロファイルベースのダイヤリング（ＡＰＤ）機能を提供する。ＡＰＤにより、加入者はアプリケーション３１０を通して、あるいはウェブブラウザを使用してインターネットにより、または他の何らかのタイプのクライアント／サーバインターフェイスにより、被呼者を呼び出す方法をプリセットすることができる。ユーザは（ウェブインターフェイスまたは電話インターフェイスのような）予め定められたインターフェイスを通して、電話番号を呼び出す方法をプリセットすることができ、そのインターフェイスは、コンタクトデータベース３１５または拡張ＣＦＤ１８４内に位置付けられている。例示的なユーザインターフェイスを以下で説明する。ＡＰＤにしたがうと、アクセスすべき（電話番号のような）アドレスに基づいてあるプロファイルデータが使用されるように、ユーザは（電話通話のような）送出通信を構成することができる。図８は、このようなＡＰＤの実施形態を実現するための例示的な一連のユーザインターフェイスを示す。
【０１３８】
ここでは、時々目標電話番号を使用して電話通話を行うという状況で説明しているが、電話機の状況内での使用に限らないことを理解すべきである。
【０１３９】
以下で示される例示的な加入者プロファイルデータを使用する例の状況において、このことはより良く理解されるかもしれない。以下の例において、加入者は１つ以上のエイリアスを持っており、この１つ以上のエイリアスは、別の加入者を呼び出しているときに、加入者により選ぶことができる。ＡＰＤシステムは、アプリケーション３１０または１８０により、任意の番号に対するプロファイルデータのパラメータを自動的にルックアップし、その任意の番号はシステムを通してダイヤルされ、ＡＰＤシステムは、その番号に関係付けられているプロファイルに基づいて送出通話に対してＡＰＤ方法を適用する。例えば、加入者が４１５−５５５−１１１１を呼び出した場合、次にＡＰＤシステムは、以前の通話履歴に基づいて、アウトバウンド電話通話に対してプロファイル番号１を自動的に割り当てる。このように、電話番号４１５−５５５−１１１１は発呼者ＩＤパラメータを一括入力するために使用することができる。
【０１４０】
図１１は、通話履歴情報を表示する通話履歴マネージャーに対する例示的なユーザインターフェイスを示し、通話履歴情報は、通話プロファイルまたはグループに関係する受信された通話にしたがってグループ化することができる。従来の電話機のように取り損なった通話の総数を単に表示する代わりに、ユーザインターフェイスは、それぞれの通話が関係するプロファイルに基づいて、通話のリストを示す。このようにして、ユーザは、あまり重要でない通話は後に返信するように残しておく一方で、特定のプロファイルまたはグループに関係付けられている重要メッセージに直接飛ぶことができる。通常のセル電話の履歴一覧表と同様に、ユーザは任意の仮想一覧表をクリックし、それぞれの発呼者に対するすべての情報（例えば、名前、番号および通話に対する日付）を見ることができる。
【０１４１】
図１１を参照すると、最初のユーザインターフェイス１１１０は、“通話履歴”ユーザインターフェイス１１１５に至るアイテム番号４のような、アイテムの一般的なメニューを提供する。ユーザインターフェイス１１１０は他のユーザインターフェイスに至り、他のユーザインターフェイスは、取り損なった通話インターフェイス１１２０、ダイヤルされた通話インターフェイス１１２５および受信通話インターフェイス１１３０のようなものである。通話は、予め定められたユーザプロファイルに関連する方法にしたがってグループ化することができる。
【０１４２】
別の例において、加入者が６５０−５５５−５２２２を呼び出した場合、次にプロファイル２が、その番号に関係付けられているプロファイル２として選択される。他の実施形態では、もっと高性能のプロファイルダイヤリングを含むことができ、このようなプロファイルダイヤリングは、通話記録にクライアントＩＤを付加したり、および／または自動的に電話通話を記録し、次に、後に誰かのｅメールアカウントにその通話を転送するアプリケーションのようなものである。
【０１４３】
このような機能は、例えば法律に関する職業のような、ある職業において有利であり、ダイヤリングプロファイルに（および後に発生した通話記録に）クライアントＩＤを付加することにより、代理人は、彼の／彼女のオフィスから離れて行われた通話に対し、より効果的にクライアントに請求できる。別の例において、病院は、医師、翻訳者および患者との間で３方向の会議通話を確立することを望むかもしれない。この通話において、患者ＩＤが記録に付加され、多くの理由のために通話を自動的に記録することができる。いったん通話が完了すると、アプリケーションは、異なる位置に位置付けられているかもしれない医師および翻訳者に（クライアントＩＤをともなった）記録を送信する。ＡＰＤシステムは、ある電話番号のプリフィックスまたはエンドポイントアドレス内の番号一致基準に対して予め定められた方法で動作するように構成することもできる。例えば、加入者が６５０−６００プリフィックスで始まる何らかの番号を呼び出す場合、次に“ブロック発呼者ＩＤ”フラグがセットされる。これは同様に、ＳＩＰ ＵＲＩ、インスタントメッセージング識別子、または他のエンドポイント識別方法のような、他のエンドポイントアドレスにおいても機能することができる。
【０１４４】
ハンドセットまたはセルラー電話機上でフラグまたは値を変更することにより、任意の通話上でＡＰＤ機能を無効にすることができる。
【表３】
2008522501.tif 000036
【０１４５】
図１２は、プロファイルをセットアップおよび管理するために使用できる一連の例示的なユーザインターフェイスを示す。開始ユーザインターフェイス１２１０から、プロファイルマネージャーインターフェイス１２１５にアクセスすることができ、プロファイルマネージャーインターフェイス１２１５は、プロファイルに関連のある管理機能のメニューを提示する。プロファイルマネージャーインターフェイス１２１５により、ユーザは、ユーザインターフェイス１２２０−１２３５を通してシステム上にある１つ以上のプロファイルをセットアップすることができる。例えば、それぞれのプロファイルは、１）連続的に、または同時に行われるダイヤリングのような、何らかの様式で呼び出されたとき、１つ以上の番号を鳴らす；２）特定のプロファイルまたはグループに基づいて、指定された番号に対してアウトバウンド発呼者ＩＤを自動的にプリセットする（または修正する）ようにセットアップすることができる。プロファイルのセットアップにより、セットアップに関係付けられているユーザインターフェイスも変更できることを理解すべきである。
【０１４６】
長距離サービスプロバイダの選択 
エイリアスサービスプロバイダは、エンドポイントアドレスに対する送出通信が、自動的に予め定められたネットワークに対して接続されるように送出通信に作用することができる。
【０１４７】
例えば、電話機からダイヤルされる電話番号は、予め定められた長距離プロバイダにより自動的にダイヤルされる。例えば、アプリケーション３１０により、電話機は標準長距離プロバイダを使用し、または（例えば、“１０１０”タイプの長距離サービスのような）長距離サービスに関係付けられている電話番号をダイヤルすることができる。ユーザが彼の通常の電話機またはセル電話機のエントリの修正を要求されないように、予め定められた長距離プロバイダの使用が自動的に行われるようにアプリケーション３１０を構成することができる。言い換えれば、ユーザは単にコンタクトデータベースからエントリを選択し、アプリケーション３１０は予め定められた長距離プロバイダを通して自動的に通話を開始する。
【０１４８】
標準セル電話機により遠く離れた電話機またはＶｏＩＰユーザに接続するために、４桁の内線、有効でない電話番号または英数字ワードをダイヤルするようにアプリケーション３１０を構成することもできる。４桁の内線ダイヤリングの場合、アプリケーション中のプロファイルエンジンは、ダイヤリング目的のために完全な電話番号またはＶｏＩＰ番号に、電話コンタクトディレクトリ３１５または拡張ＣＰＤ１８４内に見出される４桁番号をマッピングする。ＳＩＰ ＵＲＩ（すなわち、ｊａｎｅ＠ｃｏｍｐａｎｙ．ｃｏｍ）またはインスタントメッセージング識別子を有するＶｏＩＰ電話機を使用することによるなど、インターネットベースのアドレスダイヤリングも、これが通常の電話ネットワークに対して標準でない電話番号であるため、プロファイルエンジンにより取り扱われる。外部のＬＤＡＰディレクトリを使用して、エンドポイント宛先に短い番号をマッピングしてもよい。
【０１４９】
中間キャリアは、発信する媒体のタイプに直接対応していない媒体のタイプであってもよく、さらにパス中の媒体のタイプ間でいくつかの変換があってもよい。例として、ユーザはＳＩＰを使用するＶｏＩＰキャリアを通して長距離サービスプランを購入してもよい。その長距離キャリアは、ＳＩＰユーザネームおよびパスワードを提供して、ユーザがそれらのアカウントにアクセスできるようにする。ユーザは、エイリアスサービスプロバイダに、このユーザネーム／パスワードの対を提供し、エイリアスサービスプロバイダは、エンドユーザがＶｏＩＰアカウントを利用した彼らのセル電話機から通話を行うことを望むような時に、エンドユーザに代わりそのアカウントを使用する。ルールの例としては、最小費用ルーティング、時間帯ルーティング、宛先または発信ルーティングがある。他のルールも可能である。
【０１５０】
こうして、非類似のエンドポイント識別方法および媒体方法は、媒体プロキシにより相互接続することができる。例として、ユーザはデバイス（この例においては、移動電話機）上のインターフェイスにより、“ｕｓｅｒ＠ｄｏｍａｉｎ．ｃｏｍ”のようなエンドポイント識別子を選択してもよく、“ｕｓｅｒ＠ｄｏｍａｉｎ．ｃｏｍ”は、ＳＩＰ ＵＲＩである。媒体プロキシは、媒体プロキシ上の電話中継回線に関係付けられている特定の電話番号にダイヤルするように移動電話アプリケーションに指示する。媒体プロキシは、次に、通話“レグ”を受け入れて、所定のＳＩＰ ＵＲＩに対してＳＩＰ通話“レグ”を生成させようと試みる。ＳＩＰ ＲＴＰセッションが“ｕｓｅｒ＠ｄｏｍａｉｎ．ｃｏｍ”により確立されている場合、次に、媒体プロキシが、２つの通話レグの間に媒体ストリームを中継し、通話を完成させる。
【０１５１】
自動化された発呼者ＩＤプロファイルルーティングシステム（ＡＰＲＳ） 
加入者が到来する発呼者を異なるボイスメールボックス（または異なるボイスメール挨拶を含む単一のボイスメールボックス）へ自動的にルーティングできるプロファイルを実現するようにアプリケーション３１０を構成することもできる。これはここでは自動化された発呼者ＩＤプロファイルルーティングシステム（ＡＰＲＳ）として呼ばれる。
【０１５２】
加入者ミシェルに対する例示的なプロファイルを以下に示す。プロファイルは、ボイスメールボックスに関係付けられている名前と、一般にボイスメールボックスにルーティングされる通話のタイプを記述するコメントとを含む。例えば、ボイスメールボックス１は、職業上のクライアントからの到来通話に対するものであり、一方ボイスメールボックス６は、望まれない通話（すなわち、迷惑な人々）に対するものである。それぞれのボイスメールボックスに対するボイスメール挨拶を、そのボックスに関係付けられている通話のタイプに対して、特に調整することができる。
【表４】
2008522501.tif 000037
【０１５３】
この例示的なシナリオにおいて、ユーザミシェルは、単一のインバウンド電話番号（例えば、８８８−５５５−１１１９）に対し、５つの異なるボイスメール挨拶を確立している。このシナリオは例示的であり、任意の数のインバウンド電話番号に対して任意の数のボイスメール挨拶を確立できることを理解すべきである。
【０１５４】
通話がＡＰＲＳにより受信されるとき、発呼者ＩＤを通して認識される番号が、ユーザのルーティングプロファイルに対して処理される。次にあげるものは、使用できるルーティングルールの例である。
【表５】
2008522501.tif 000038
【０１５５】
上の例において、ミシェルが、６５０−５５５−１１１１から通話を受信する場合、通話は、彼女のセル電話機、職場の電話機および自宅の電話機に対して、すべて同時に送られる。エイリアスサービスプロバイダは、加入者のセル、職場、および自宅の電話番号を規定する記録を持っている。通話が、（適正なシステム応答とともに）ミシェルにより応答される場合、そのデバイスは通話を受け取る。例えば、彼女は、彼女のセルで通話に応答する。
【０１５６】
その一方で、ミシェルがルール中の適正な応答にしたがって電話に適切に応答しない場合、通話は、ユーザのＡＰＲＳプロファイルにしたがって処理され、その番号に関係付けられている特定のボイスメールボックスにルーティングされる。このケースにおいて、ユーザは、例えば“ドクターミシェルアリソン”は電話にでることができません、メッセージを残してくださいのようなボイスプロンプトを受け取る。したがって、３０１−５５５−７１７１からの通話が受信される場合、通話はミシェルのセル電話機にルーティングされる。応答がなかった場合、ユーザは“ミシェル”は電話にでることができません、メッセージを残してくださいというメッセージを受け取る。さらに、ミシェルが、４１５−５５５−６９６９から通話を受信する場合、ミシェルに到達するための何の試みもなされず、“ＭＪ”は電話にでることができません、メッセージを残してくださいということを述べたメッセージを伴うボイスメールに、ユーザは直ちに向かうことになる。
【０１５７】
図１３は、ユーザがボイスメールメッセージにアクセスし、ボイスメールメッセージを管理することができる一連のユーザインターフェイスを示す。ボイスメールインターフェイスは、所定のプロファイルまたはグループによりグループ化されたボイスメールのリストを表示することができる。ユーザが、（ユーザインターフェイス１３１５のような）ユーザインターフェイス上で表示されたプロファイルまたはグループをクリックするとき、そのグループに対する取り損なった通話および／またはボイスメールの完全な一覧表が（例えばユーザインターフェイス１３２０中に）戻される。ユーザが、前のボイスメールを聞くことなく、例えば（図１３中のＵＩ１３２０におけるハンナからの）７番目のメッセージを聞きたい場合、ユーザはリストをスクロールダウンし、７番を選択し、再生に関係付けられている電話機上のボタンを押すことができる。さらに、ユーザが希望する場合、すべての仮想のボイスメールのコピーは、（例えば、３０，０００フィートにおける飛行機から）後に聞くためにｅメールアカウントのような予め定められた位置に転送され、あるいは、単にユーザのためにアーカイブされる。さらに、図１３中のダイヤグラムボックス１３２５および１３３０により表されるように、ｅメールアドレスまたは別の電話番号を単に入力することにより、ユーザは任意のボイスメールを転送することができる。
【０１５８】
ユーザが指定する場合、次に、特定の番号（例えば、９６８−５５５−７７３４）を（ブロックされる）リスト上に置くことができ、特定の番号は、“あなたが連絡を取った番号は、もはや使用されていません。現在どんな追加的な情報も利用できません。”に類似するメッセージを戻す。最後に、プロファイルリスト内に見出されない（ワイルドカードで表された）他のすべての通話に対して、ユーザ（すなわち発呼者）は“あなたが呼び出している人”または“あなたが連絡を取ろうとしている発呼者”は電話にでることができません；トーン後にメッセージを残してください。“ということを述べたメッセージを受け取る。
【０１５９】
ＡＰＲＳシステムも、インバウンドおよびアウトバウンドベースの両方においてダイレクトＩＰ（すなわちインターネットプロトコル）番号に対応することができる。上の例において、ミシェルが、ＳＩＰ ＵＲＩ“ｊａｎｅ＠ｃｏｍｐａｎｙ．ｃｏｍ”から通話を受信する場合、発呼者はミシェルの職場の番号だけに転送される。ミシェルの職場の番号による何らの応答もない場合、発呼者は仕事関連の通話に特に適したボイスプロンプトを受け取る。プロンプトは、例えば、“ドクターミシェルアリソンは、電話にでることができません、あなたの名前および番号を残してください、そうすれば彼女は通常の仕事時間内にあなたに電話をかけなおします、これが緊急の場合、９１１を呼び出してください。”ということを述べることができる。
【０１６０】
ＡＰＲＳは、誰が加入者（例えば、ミシェル）を呼び出そうとしているかを加入者に通知するように構成されている。加入者は、次に通話を受け取るまたは単にそれを拒否する能力を持っている。加入者が通話を拒否する場合、通話はボイスメールシステムに押しやられる。ユーザが通話を受け取ることを決めた場合、ユーザが現在使用中のデバイスが通話を受け取る。さらに、ユーザが通話を受け取ることを決めた場合、上述したように、彼／彼女は、彼／彼女が通話を受け取るときに電話回線にバックグラウンドノイズ（またはきたならしいノイズ）を加えることが可能である。ミシェルは自宅から通話を受け取ることを決めたが、彼女は自分がまだ病院にいることを発呼者に信じさせるために、通話に彼女のデフォルトの病院バックグラウンドノイズを付加したいような例があるかもしれないし、または別のユーザは、彼／彼女が実際ゴルフコース上にいるとき、会議センターバックグラウンドノイズを付加するかもしれない。システムにより、ユーザは通話を受け取り、全部の会話（またはその一部分）を録音することもできる。作成される何らかの録音物を（彼らのｅメールアドレスがシステムに知られている場合）加入者および／または発呼者にｅメールで返すことができる。
【０１６１】
上のルールは例示であり、到来する通話をルーティングするために、さまざまなルールのうちの任意のものを実現するようにＡＰＲＳを構成できることを理解すべきである。例えば、ＡＰＲＳプロファイルは他のパラメータに基づいて通話をルーティングさせることもでき、それらのパラメータは、時間帯、ユーザステータス、物理的位置、および（代理人のような専門的職業に対する）アカウント番号のようなものである。この最後のシナリオにより、何らかの正当なクライアントは、緊急のケースでは昼夜を問わず、自宅にいる代理人にコンタクトできるようになる。ルーティングのためのトリガは、例えばクライアントのアカウント番号であってもよい。
【０１６２】
異なるボイスプロンプトを伴う１つ以上のボイスメールボックスに、同一の番号に対する複数の通話を条件付でルーティングさせることに加えて、システムは、１つ以上のボイスプロンプトを伴う１つのボイスメールボックスに複数の電話番号をルーティングさせることもできる。これにより、（ミシェル）のような上記のユーザは、上記のプロファイリングシステムにより彼女の自宅、セルおよび職場の番号をスクリーニングさせることができる。ＡＰＲＳにより、同一のインバウンド発呼者ＩＤ番号は、同一の方法でプロファイルすることができ、同一のインバウンドユーザによりダイヤルされた番号に関係なく、すべてのメッセージを同一のボイスメールボックスに入れることができる。
【０１６３】
バックグラウンドノイズ 
言及したように、エイリアスサービスプロバイダは、通話にバックグラウンドノイズを挿入するように構成されているので、被呼者は通話の間、発呼者の音声へのバックグラウンドとしてバックグラウンドノイズを聞く。バックグラウンドノイズは変更することができる。例えば、バックグラウンドノイズは、発呼者がセル電話から呼び出しているかのように思わせることができ、静的ノイズを提供することができ、発呼者が外にいるように思わせるために、“外の”ノイズを提供することなどができる。
【０１６４】
何らかのタイプのバックグラウンドノイズを使用して、発呼者が、ある位置またはある環境から呼び出しているように思わせることができる。例えば、エイリアスサービスプロバイダは、一般的に病院、飛行場、またはコンベンションセンターに関係付けられているバックグラウンドノイズを挿入することができる。エイリアスサービスプロバイダは、予め可能な選択を備えたバックグラウンドノイズデータベース１８３（図４）を維持することができる。代わりに、加入者は、彼の／彼女のＰＣまたは電話機１１０から（図４中に見られるように）バックグラウンドノイズデータベース１８３に対して彼の／彼女の所有のバックグラウンドノイズをアップロードしてもよい。
【０１６５】
図１４は、通話に対するバックグラウンドノイズを構成するための一連の例示的なユーザインターフェイスを示す。バックグラウンド音マネージャーインターフェイス１４１５は、識別マネージャーインターフェイス１４１０からアクセスされる。インターフェイス１４１５は、もしあるならば、通話に対してバックグラウンドノイズを構成するために選択できる機能のメニューをユーザに提示する。例えば、インターフェイス１４２０は、バックグラウンドノイズのタイプを選択するために使用でき、一方でインターフェイス１４２５はバックグラウンドノイズを構成する。バックグラウンドノイズは、エイリアスサービスプロバイダ内に記憶され、インバウンドおよびアウトバウンドの両方の通話に対して使用してもよい。
【０１６６】
高度メッセージ通知（ＡＭＮ） 
アプリケーション３１０または１８５は、高度メッセージ通知（ＡＭＮ）と呼ばれる機能を実現するようにも構成される。ＡＭＮにしたがうと、アプリケーションは、通話またはボイスメールが予め定められた発呼者から到着するとき加入者に通知する。これにより加入者は、新規のボイスメールがいつ到着したかを知り、どんな発呼者が加入者に転送されているか（発呼者ＩＤ機能により）通知を受けることができる。
【０１６７】
ＡＭＮシステムは、上述のように、優先メッセージが到着したことをＡＰＲＳシステムのデフォルトプロファイルに基づいて加入者に通知することもできる。すなわち、ミシェルのデートプロファイル上の誰かからのすべての通話が常にミシェルの仮想ボイスシステムに直接行くとしても、ミシェルは、自動応答システムあるいはテキストメッセージまたはｅメールシステムを通して、このような通話をちょうど受信したという通知を受けることができる。第２に、これと同一の機能を使用して、生の転送通話の名前または他の属性を明らかにすることができる。このケースにおいて、ＡＰＲＳシステムは、発信している発呼者に属する発呼者ＩＤ情報に対して追加情報を後ろに付けたり、または前に付けたり（あるいは完全に置換したり）することができる。最後に、ＡＭＮシステムは発呼者ＩＤ情報を、予め定められたしるしに置換してもよい。例えば、ＡＭＮシステムは、ミシェルが人の実名の代わりに“ボーイフレンド”からボイスメッセージをちょうど受け取ったことを加入者ミシェルに通知することができる。
【０１６８】
ボイスメールおよび通話追跡（ＣＴ） 
アプリケーション３１０または１８０は、ボイスメールおよび通話追跡（ＣＴ）エンジンを含み、ボイスメールおよび通話追跡エンジンによりアプリケーションは、従来のセル電話機が今日、インバウンド、アウトバウンド、取り損なった通話およびボイスメールを追跡するのと同様の方法で、加入者に割り当てられた他の番号に対するリモート通話を追跡できる。１つの例示的な相違は、アプリケーション３１０により、そのセル電話機に直接割り当てられていない１つの（またはそれより多い）リモート電話番号に対するこの情報を加入者が見ることができることである。これにより、ミシェルは、彼女のデートメールボックス中に６９のボイスメールがあり、電話番号“９２６−５５５−４４４４”から６つの取り損なった通話があることが分かるようになる。ＣＴエンジンは、利用可能な時ベースでワイヤレスネットワーク接続を通してアプリケーション３１０と通信する。
【０１６９】
ダイヤルインサービスのための存在ダイヤリングおよび近接ベースの予測ダイヤリング 
加入者が、加入者の物理的位置および／または時間帯（または曜日）に基づいて通話を無視するために彼のまたは彼女のプロファイルをセットできるように、アプリケーションは構成される。特定の通話を無視するための基準は、加入者に関係付けられているデータベース中に規定することができ、そのデータベースはエイリアスサービスプロバイダに存在する。代わりに、アプリケーションは、さまざまな基準に基づいて加入者に対して異なるバージョンの加入者プロファイルデータベースを使用するように構成され、さまざまな基準は、時間帯、加入者の位置、一年の時期、などのようなものである。
【０１７０】
例えば、例示的な加入者ジェフは、彼が、彼の物理的な職場または自宅の位置に近づいているときはいつでも、彼のプロファイル内にあるすべての通話（または選択的な通話）が、１つ以上の彼の電話番号を通して彼に到着することを制限することができる。図５中に表示されているように、電話機内にあるアプリケーションは、よく知られている位置の追跡方法およびデバイスを使用して、加入者の物理的な位置を追跡する。加入者が、既知の位置に近づくとき、加入者の制御内にあるダイヤリングプロファイルを変更してもよい。
【０１７１】
さらに、存在（すなわち位置）により通話を制御する能力は、標準データベース、日付タイマー、または関連したアプリケーションに結び付けることができる。最後に、“存在ダイヤリング”機能により、例示的な加入者ジェフが、彼の現在の場所の１マイルの半径（または他の何らかの距離）内に現在いる彼のコンタクトベース内の誰か（または皆）に通話をしたり、またはテキストメッセージを送ったりすることができる。この形態の存在ダイヤリングは、デートをしている人々に、または互いの現在の近接性に基づいて通信したいその場限りのグループに役に立つものとして構想されている。
【０１７２】
エイリアスサービスプロバイダにアクセスするために、加入者の電話機は、サービスプロバイダに関係付けられているサービス番号を呼び出すことができる。１つの観点において、アプリケーション３１０は、アプリケーションがエイリアスサービスプロバイダにダイヤルする前に、最も効率的な（例えば、物理的、または金銭的な観点のどちらから）ダイヤルインサービス番号を位置付けるように構成される。アプリケーション３１０は、（図５中に表示されるように）通常のセルラータワーの三角測量により、またはＧＰＳ（または補助的なＧＰＳ）ポジショニングの一般的な方法を通して、このようなタスクを実行する。いったんセル電話機の位置が決定されると、ルックアップテーブルが、アプリケーションによりアクセスされ、電話機が呼び出すのに最も近いダイヤルインの位置を識別するために使用され、こうしてユーザに対する地域および長距離による料金が軽減される。
【０１７３】
システムにより、ユーザは番号のリストからダイヤルイン番号を選択することができることを理解すべきである。図５中の例において、ジェフのセル電話機は、メンローパーク中の最も近いダイヤルインサービスを正確に位置付ける。最も近いダイヤルイン施設を自動的に位置付けるこの機能により、例示的な加入者ジェフは、どの施設が彼の位置に最も近いかを推測することから免れる。さらに、この自動化された位置サービスによりジェフは、実際にローカルダイヤルイン番号を持っているサービスに到達するための長距離電話番号を潜在的にダイヤリングすることからも免れる。このサービスにより、長距離費用を節約できる。
【０１７４】
グループ会議通話でのように、加入者はグループ通話をダイヤルしてもよいが、加入者からある距離以上に位置付けられているすべての番号を制限または限定する。図５中で、例えばジェフ（加入者）は、マーシー、ミシェルおよびアリソンを含むグループ１と会議通話を開始し、ジェフは１マイルの半径の制限が通話に関係付けられるべきであることを指定した。ジェフは１マイルの半径を選択したので、ミシェルおよびアリソンだけが通話に接続された。マーシーは、１マイルの半径の外側におり、それでアプリケーション３１０は自動的に通話からマーシーを除外する。
【０１７５】
電話機内にあるアプリケーション３１０は、ワイヤレスネットワーク接続に対してその場限りのベースで、ローカルダイヤルイン電話番号を選択的に引き出すことに着目すべきである。利用できるメモリおよびユーザの選択次第で、アプリケーション３１０は、より多くの、またはより少ない番号をダウンロードしてもよい。
【０１７６】
最後に、アプリケーションは、料金無料番号のような代替デフォルトダイヤルイン番号、あるいは、ローカルサービスが利用できるかもしれないまたは利用できないかもしれない特定の国におけるデフォルト番号を含んでいてもよい。
【０１７７】
図１５は、近接ベースのダイヤリングパラメータおよび他の構成パラメータをセットアップするための例示的な一連のユーザインターフェイスを示す。開始ユーザインターフェイス１５１０は、付加的なユーザインターフェイスに至る選択可能なメニューアイテムを含み、それらのユーザインターフェイスは、パスワードマネージャーインターフェイス、スケジュール設定されたバックアップインターフェイス１５２０、ならびに接続タイプインターフェイス１５２５および１５３０のようなものである。
【０１７８】
最も近いダイヤルインポイントにユーザを接続するために、システムによりユーザは最も近いダイヤルインの位置を選択したり、または電話機内のＡＧＰＳ（またはＧＰＳ）を起動させて、最も近いダイヤルインポイントを自動的に見つけるように指定したりすることができる。簡単なタワー番号が利用できる状況では、システムはこのパラメータを使用して最も近いダイヤルインポイントを見つけることもできる。これは、電話機（またはセルラーネットワーク）中のＧＰＳポジショニングを使用するほど正確ではないが、ほとんどのケースにおいて、電話機が呼び出すための位置番号を見つけるのにほぼ十分である。
【０１７９】
別の実施形態において、エイリアスサービスプロバイダシステムにより加入者は、世界中のどこででもコールバックされ、セッションの制御を被呼者に転換することができる。通話が応答されるとき、システムは予め録音されたメッセージを再生することができる。このメッセージは、（例えば、交換機を通してあなたのホテルの部屋を呼び出しているとき）特定の人に対して、または、このメッセージは被呼者に制御を渡すために被呼者に安全パスコードを要求してもよい。この時点で、ユーザはまるで彼／彼女が直接呼び出されたかのようにメインシステムに接続が戻されるが、これに関係する費用はかからない。
【０１８０】
緊急サービス終了（ＥＯＳ）オプション 
加入者は、彼の電話機内にあるアプリケーション３１０を通して、またはエイリアスサービスプロバイダにダイヤルすることを通して、緊急サービス終了（ＥＯＳ）オプションをオンさせてもよい。ＥＯＳオプションにより、加入者の電話機が、この電話番号が解約され、またはサービスを受けるのを止めたという印象を（すべての発呼者、または選択されたグループの発呼者だけ、または知られていない発呼者だけのような）予め定めらた発呼者に直ちに与える。この機能により、加入者は、一時的なベースで彼が特定の電話番号を使用していたというすべての証拠をすぐに除去することができる。
【０１８１】
スポンサ付通話広告 
加入者が実際に電話通話を完了する前に、彼／彼女はダウンロードされた広告を聞くためのオプションを持ってもよく、エイリアスサービスプロバイダが、加入者の電話機に広告をダウンロードする。加入者が広告全体を聞くことを選ぶ場合、広告主は加入者の通話の費用または加入者の通話の一部の費用を負担してもよい。広告が聞かれたことを確認するために、加入者は、広告の間放送されたコード、または製品または広告自体の内容に広告を関係付けさせる他の確認方法をタイプ入力する必要があるかもしれない。このタイプの広告は、アウトバウンド通話上に存在してもよく、これは、加入者からの通話を完全に接続する前に広告を聞くように被呼先に要求する。
【０１８２】
バナー広告 
アプリケーション３１０はアプリケーションが利用されている間、何らかのの形態のバナー広告を使用してもよい。これらのバナー広告は定期ベースでワイヤレスネットワーク接続を通して電話機にダウンロードされる。ユーザの位置がＧＰＳまたは他の手段により知られている場合、ユーザの現在の場所に広告をローカル化してもよい。アプリケーション３１０は、バックグラウンドスクリーンマネージャー（例えば、壁紙アプリケーション）として動作してもよく、ダウンロード可能な広告をデフォルトのスクリーンバックグラウンドとして表示でき、または電話機が使用されている間、人のセル電話機の外側の窓に広告（アイコンを含んでもよい）を表示させてもよい。いったん、ユーザが彼の／彼女の電話機をウォーキングビルボードに事実上入れることに同意すると、広告主（例えば、ナイキ）は、ユーザの電話料金の一部に対して、進んで支払いをするかもしれない。（注意：折りたたみ型電話機上では、広告主は、人が歩き回っている間は、より小さい外側の窓上に広告を出し、電話機が開かれているとき、メインスクリーン上により大きな広告を出すことが可能である。
【０１８３】
確認システム（ＶＳ） 
エイリアスサービスプロバイダは、確認システム（ＶＳ）機能を使用してもよく、確認システム機能により、いやがらせの、またはさもなければ望ましくない最近の電話通話に疑いをもっている被害者は、彼らがエイリアスサービスプロバイダシステムからの何らかの通話を受信したか否かを確認することができる。例えば、保険会社の人間であることを装う人からのいくつかの電話通話を電話機１１５が受信した場合、電話機１１５のオペレータは、エイリアスサービスプロバイダの加入者が、ある期間内に電話機１１５を呼び出したかどうかをチェックするためにエイリアスサービスプロバイダシステムのうちの１つを呼び出すことができる。電話機１１５のオペレータはエイリアスサービスプロバイダの加入者である必要はないことに注意すべきである。この機能は、個人が代替の識別子を使用する誰かによりコンタクトされたかを容易に彼らに知らせるものである。要求している当事者が、彼らがチェックを希望している電話番号に本当に位置付けられているかを確認するために、システムは、要求後直ちに要求者にダイヤルし直す。エイリアスサービスプロバイダはこのルックアップ要求に手数料を関係付けてもよい。法執行機関に利用可能にされた同一結果に問い合わせする自動方法がある。エイリアスサービスプロバイダは、“ブラックリスト”を生成させ、この“ブラックリスト”は、グローバルベースで（すべてのユーザに渡って）識別子が修正された通話がある番号に到達することを禁止してもよい。このブラックリストは、中央アービターにより管理されてもよく、または、個人により修正されてもよい。
【０１８４】
エイリアス電話番号確認（ＡＰＮＶ） 
ＳＶＳシステムと同様に、番号が加入者の利用できるアウトバウンド通話ディレクトリに加えられることを許す前に、加入者が特定の電話番号に対して権限を持っているかを確認するようにＡＰＮＶシステムが設計されている。例えば、加入者１１０がアウトバウンドダイヤリングのために彼の／彼女のエイリアスリストに別の電話番号１１５を加えたい場合、システム（すなわちアプリケーション１８５）は、データベース内でその番号を起動させるのに使用するパスコードを加入者１１０に発行する。いったんパスコードが加入者に割り当てられると、システムは通話を終了させ、要求された（１１５）番号をリダイヤルする。電話に応答するに際して、加入者は、ある数の試行内に正しいパスコードを入力しなければならず、さもないと、番号は加入者の通話リストに加えられない。いくつかのケースにおいて、加入者は、確認通話が行われるとき、彼／彼女が物理的に電話機のところにいるようにするために、コールバック時間またはコールバック遅延を要求してもよい。
【０１８５】
名前ディレクトリルックアップ（ＮＤＬ） 
エイリアスサービスプロバイダは、名前ディレクトリルックアップ（ＮＤＬ）機能を実現することもできる。ＮＤＬ機能にしたがうと、ユーザはセル電話機アプリケーション３１０内にある名前をルックアップし、アプリケーション３１０は、一般的なイエローページエンジンあるいは顧客またはプライベート電話ディレクトリに接続することができる。１つの例において、ＮＤＬ１８２エンジンは、小さい地域社会における在住者に関する情報を含んでもよい。いったん、エンドネームが選ばれると、電話機は電話番号を読み取り、自動的に番号をダイヤルする。このケースにおいて、電話機は電話機を通して、あるいはエイリアスサービスプロバイダまたは別のローカル長距離プロバイダを通して、直接的に番号をダイヤルすることができる。
【０１８６】
ＮＤＬ１８２エンジンの別の実施形態において、人々または会社は、それら自身、自己登録することができる。これは、標準のイエローページアプリケーションと同様であるが、ユーザおよび会社はそれら自身、自己で登録する。このシステムは、１つより多いＮＤＬエンジンまたはデータベース１８２を含んでもよい。デートのような特別のアプリケーションに対して、さまざまなＮＤＬデータベースを使用してもよい。追加、削除および変更も、ユーザまたは会社により制御される。
【０１８７】
自動化されたＥＮＵＭ 
エイリアスサービスプロバイダは、自動化されたＥＮＵＭ機能を実現するようにも構成される。自動化されたＥＮＵＭシステムにより、加入者がＥＮＵＭデータベースに対して呼び出されている番号を自動的に確認して、この番号が対応するＶｏＩＰサービスまたは電話番号を持っているかどうか識別することができる。ＶｏＩＰアドレスが存在するケースでは、通話は、ＶｏＩＰプロトコルにより処理される。ＥＮＵＭテストが失敗した場合、電話通話はエイリアスサービスプロバイダを通して通常の電話として処理される。ＥＮＵＭは、ＩＥＴＦ文書のＲＦＣ番号２９１６で指定されている。
【０１８８】
選択的なドーントディスターブ（ＤＮＤ） 
選択的なドーントディスターブ（ＤＮＤ）機能にしたがうと、アプリケーション３１０は、到来通話に関係付けられているデータに基づいてドーントディスターブステータスがセットされるように電話機を構成する。こうして、ＤＮＤを個人ベースでセットすることができる。ドーントディスターブ機能をサポートする通常のセル電話機およびＶｏＩＰ電話機は、ある期間の間すべての通話にこの機能を適用する。エイリアスサービスプロバイダにより、ユーザは（加入者のプロファイルにより）選択的にＤＮＤ機能をセットすることができる。例において、ミシェルは、ある時間帯の間または彼女の存在／位置が変化するときはいつでも、あるクラスの通話（すなわち選択された発呼者からの通話）に対してＤＮＤ機能を選択的にオンすることができる。
【０１８９】
図１６は、選択的なドーントディスターブ機能を管理するために使用できる一連のユーザインターフェイスを示す。開始ユーザインターフェイス１６１０は、ドーントディスターブマネージャーインターフェイス１６１５に至るメニューアイテム“６”を含んでいるメニューアイテムを含む。ドーントディスターブマネージャーインターフェイス１６１５は、プロファイル全体ベースでまたはプロファイル内にある個人の番号に対して、ドーントディスターブモードをセットすることができるプロファイルのリストを表示する。こうして、ユーザは、１つ以上のプロファイルをドーントディスターブモードに選択的に入れることができる。これは、時間により、または他のプリセット条件により手動によりまたは自動的に実施することできる。
【０１９０】
何らかのプロファイルが起動されるとき、ユーザは、無効セッティングをセットアップする能力を有し、無効セッティングにより、ブロックされた（または、一時的にブロックされた）プロファイルまたはグループにおける個人がこのモードをバイパスし、まるでユーザがブロックグループの一部ではないかのように所望の電話機／番号を鳴らすことができる。
【０１９１】
さらに、無効フラグは（現在イネーブルされているが）無効ステータス内の任意のユーザに対して警告（またはプロンプト）を再生させて、セル電話ユーザが現在ドーントディスターブモード中であることをユーザに伝えてもよい。システムは単に発呼者に警告したり、発呼者がまだ被呼者に接続されることを希望しているかどうかを発呼者に尋ねたりしてもよい。
【０１９２】
ユーザが、すべての呼び出しているプロファイルを一度にブロックできるグローバルなセッティングが存在してもよいし、またはユーザが個人ベースでそれぞれの個人プロファイル（または指定された発呼者ＩＤ）をブロックしてもよい。
【０１９３】
エイリアス通信プロトコル（ＡＣＰ） 
アプリケーション３１０（図３Ａ）は、（セルラー接続を含む）一般的な電話回線１６１に対するトーンベースのプロトコルを通して、あるいは、ＴＣＰ／ＩＰのようなプロトコルまたは同様なプロトコルを使用してワイヤレスネットワーク接続１６２によりエイリアスサービスプロバイダ１８０と接続を確立してもよい。
【０１９４】
とにかく、すべてのアプリケーション（例えば、３１０、３２５、１４５、１８１、１８２、１８３、１８４、１８５、など）間を含んでいる、加入者１１５とエンドユーザ１１０との間の上記で参照したすべての形態の通信は、１つ以上の通話を実行するために電話回線１６１またはワイヤレスネットワーク接続１６２のどちらかを使用してもよい。いくつかのケースにおいては、接続の両方の形態が同時に使用されてもよい。
【０１９５】
後者の例としては、１０の方式の会議通話を発生させる加入者１１５があり、アプリケーション３１０は、ワイヤレスネットワーク接続１６２によりエイリアスサービスプロバイダ１８０に接続して通話セットアップパラメータを確立し、次に、エイリアスサービスプロバイダ１８０は、通話を完成するために電話回線（またはワイヤレス電話接続）１６１により加入者１１５と戻りの通信をする。
【０１９６】
別の実施形態において、通話セットアップの要求がより少ない場合、アプリケーション３１０は一般的な電話回線１６１（またはセルラー接続）に対し、通話セットアップ全体およびダイヤリングプロセスを完成してもよい。このケースでは、トーンベースのハンドシェークプロトコルが使用される。
【０１９７】
最後に、図２Ｂ内で見出されるステップの大多数は、いくつかのケースにおいて、加入者のアプリケーション３１０またはコンタクトデータベース３１５の代わりに、エイリアスサービスプロバイダのシステム内に単に存在してもよいことを理解すべきである。例えば、加入者１１０が公衆電話機から別の加入者１１５を呼び出す場合、加入者はサービスにログインして、彼／彼女が通話したい加入者１１５にダイヤルすることだけが要求されてもよい。この実施形態において、システムは単に、被呼者１１５に対する加入者のプロファイル内で見出される通話セットアップのデフォルト値を使用する。
【０１９８】
通話費用マネージャー 
エイリアスサービスプロバイダは通話費用マネージャー機能を提供し、通話費用マネージャー機能により、ユーザが電話機に電話番号を入力し、エイリアスサービスプロバイダが通話を実現するための提示料金を受信することができる。実際に番号をダイヤルする代わりに、その時点で通話がどのくらい費用がかかっているかに基づいて、システムは自動的に電話通話の価格を決定する。さらに、システムは、通話１分当たりの料金および正確な期間中の通話に対する見積（または正確な）価格を決定する。通話の開始／終了時間、時間帯、基礎となるネットワーク、品質の選択、および他の何らかの通話の特性（サービスプロバイダにより提供されるサービスを含む）が、価格の見積に含まれてもよい。
【０１９９】
発明の多数の実施形態を説明した。しかしながら、発明の精神および範囲から逸脱することなく、さまざまな修正が行われてもよいことが理解される。したがって、他の実施形態も開示の範囲内である。
【図面の簡単な説明】
【０２００】
【図１Ａ】図１Ａは、本開示にしたがってネットワークに通信可能に接続されたデバイス間の通信を可能にする電気通信ネットワークの例示的な実施形態の高レベルな概略図を示す。
【図１Ｂ】図１Ｂは、電気通信デバイスに到来する通信を取り扱うための例示的なスキームを図示する概略図を示す。
【図１Ｃ】図１Ｃは、電気通信デバイスからのアウトバウンド通信を取り扱うための例示的なプロセスを図示する概略図を示す。
【図１Ｄ】図１Ｄは、エイリアスサービスプロバイダによりアウトバウンド通信を開始するための代替方法を記述するフローチャートを示す。
【図１Ｅ】図１Ｅは、エイリアスサービスプロバイダによりアウトバウンド通信を開始するための代替方法を記述するフローチャートを示す。
【図１Ｆ】図１Ｆは、エイリアスサービスプロバイダによりアウトバウンド通信を開始するための代替方法を記述するフローチャートを示す。
【図１Ｇ】図１Ｇは、ユーザ選択式の通話を実施できる電気通信ネットワークの例示的な実施形態を示す。
【図２】図２は、エイリアスサービスの加入者が発呼者構成システムにしたがって被呼者に提供される情報を構成できるようにする例示的な方法を表すフロー図を示す。
【図３Ａ】図３Ａは、電話機上に存在するアプリケーションおよびコンタクトデータベースを装備した例示的なワイヤレス電話機を示す。
【図３Ｂ】図３Ｂは、インバウンドフィルタデータベースの例示的な構成を示す。
【図３Ｃ】図３Ｃは、アウトバウンドフィルタデータベースの例示的な構成を示す。
【図４】図４は、本開示にしたがって選択式の通話構成を実施できる電気通信ネットワークの別の例示的な実施形態を示す。
【図５】図５は、近接ベースの予測ダイアリングシナリオの概略表示を示す。
【図６】図６は、エイリアスサービスの加入者が発呼者構成システムにしたがって被呼者に提供される情報を構成できるようにする例示的な方法を表示するフロー図を示す。
【図７Ａ】図７Ａは、エイリアスサービスのためにルールエンジンを規定する例示的な一連のユーザインターフェイスを示す。
【図７Ｂ】図７Ｂは、エイリアスサービスプロバイダの年齢確認機能に関する例示的なフロー図を示す。
【図８】図８は、送出通話に対してユーザに提供される構成情報を実現するために電話機のディスプレイスクリーン上で示すことができる一連の例示的なユーザインターフェイスを示す。
【図９】図９は、送出通話に対してユーザに提供される構成情報を実現するために電話機のディスプレイスクリーン上で示すことができる一連の例示的なユーザインターフェイスを示す。
【図１０】図１０は、電話機のユーザが複数方式の会議通話を開始できるようにする例示的な一連のユーザインターフェイスを示す。
【図１１】図１１は、通話プロファイルまたはグループに関係する受信される通話にしたがってグループ化することができる通話履歴情報を表示する通話履歴マネージャーに対する例示的なユーザインターフェイスを示す。
【図１２】図１２は、プロファイルをセットアップおよび管理するために使用できる一連の例示的なユーザインターフェイスを示す。
【図１３】図１３は、ユーザがボイスメールメッセンジャーにアクセスし、管理できるようにする一連のユーザインターフェイスを示す。
【図１４】図１４は、開示システムにより実現される通話に対するバックグラウンドノイズを構成するための一連のユーザインターフェイスを示す。
【図１５】図１５は、近接ベースのダイヤリングパラメータをセットアップするための例示的な一連のユーザインターフェイスを示す。
【図１６】図１６は、選択的なドーントディスターブ機能を管理するために使用できる一連のユーザインターフェイスを示す。
【図１７】図１７は、インバウンド通話に対するフィルタの実現を例示する概略図である。
【国際調査報告】
2008522501.tif 000039
2008522501.tif 000040
2008522501.tif 000041